(57)【要約】  本開示は、端末能力指示方法、装置、端末および基地局を提供する。端末に応用される当該端末能力指示方法は、ユーザ機器ＵＥ能力取得要求メッセージを基地局から受信することと、サポートされるＭＦ技術方式周波数帯および／またはサポートされるＭＦ技術方式機能特徴を含む、サポートされるＭＦ技術方式能力をＵＥ能力情報メッセージで指示することと、前記ＵＥ能力情報メッセージを前記基地局に送信することとを含む。【選択図】図１
2019506063.tif 000002
【特許請求の範囲】
【請求項１】
端末に応用される端末能力指示方法において、
ユーザ機器ＵＥ能力取得要求メッセージを基地局から受信することと、
サポートされるＭＦ技術方式周波数帯および／またはサポートされるＭＦ技術方式機能特徴を含む、サポートされるＭＦ技術方式能力をＵＥ能力情報メッセージで指示することと、
前記ＵＥ能力情報メッセージを前記基地局に送信することとを含む端末能力指示方法。
【請求項２】
前記のサポートされるＭＦ技術方式能力をＵＥ能力情報メッセージで指示することは、
前記サポートされるＭＦ技術方式周波数帯を、前記ＵＥ能力情報メッセージのＥ−ＵＴＲＡ能力情報に含まれるラジオ周波数パラメータで指示すること、および／または、
ＭＦ技術方式の測定機能特徴とＭＦ技術方式の切換機能特徴を含む前記サポートされるＭＦ技術方式機能特徴を、前記ＵＥ能力情報メッセージのＥ−ＵＴＲＡ能力情報に含まれるＦＧＩパラメータで指示することとを含む請求項１に記載の方法。
【請求項３】
前記サポートされるＭＦ技術方式周波数帯を、前記ＵＥ能力情報メッセージのＥ−ＵＴＲＡ能力情報に含まれるラジオ周波数パラメータで指示することは、
前記ＭＦ技術方式とＬＡＡ技術方式で同一の周波数帯番号が使用される場合、前記ＵＥ能力情報メッセージのＥ−ＵＴＲＡ能力情報に含まれるラジオ周波数パラメータのうち、周波数帯番号と、ＭＦ技術方式および／またはＬＡＡ技術方式を含むネットワークタイプを用いて前記サポートされるＭＦ技術方式周波数帯を指示することと、
前記ＭＦ技術方式と前記ＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いて前記サポートされるＭＦ技術方式周波数帯を指示することとを含む請求項２に記載の方法。
【請求項４】
前記サポートされるＭＦ技術方式機能特徴を、前記ＵＥ能力情報メッセージのＥ−ＵＴＲＡ能力情報に含まれるＦＧＩパラメータで指示することは、
前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することを含み、
ここで、前記ＭＦ技術方式の測定機能特徴は、前記ＭＦ技術方式内の測定機能特徴、前記ＭＦ技術方式とＴＤＤ技術方式の間の測定機能特徴、または前記ＭＦ技術方式とＦＤＤ技術方式の間の測定機能特徴を含む請求項２または３に記載の方法。
【請求項５】
前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、
前記ＵＥ能力情報メッセージのＥ−ＵＴＲＡ能力情報に含まれるＦＧＩパラメータのうち、所定の空き状態の第１ビット情報を用いて、前記サポートされるＭＦ技術方式内の測定機能特徴を指示し、所定の空き状態の第２ビット情報を用いて、前記サポートされるＭＦ技術方式とＴＤＤ技術方式の間の測定機能特徴を指示し、所定の空き状態の第３ビット情報を用いて、前記サポートされるＭＦ技術方式とＦＤＤ技術方式の間の測定機能特徴を指示することを含む請求項４に記載の方法。
【請求項６】
前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、
前記ＵＥ能力情報メッセージのＥ−ＵＴＲＡ能力情報に含まれるＦＧＩパラメータのうち、前記測定機能特徴を指示するビット情報を用いて、前記サポートされるＭＦ技術方式内の測定機能特徴を指示し、所定の空き状態の第２ビット情報を用いて、前記サポートされるＭＦ技術方式とＴＤＤ技術方式の間の測定機能特徴を指示し、所定の空き状態の第３ビット情報を用いて、前記サポートされるＭＦ技術方式とＦＤＤ技術方式の間の測定機能特徴を指示することを含む請求項４に記載の方法。
【請求項７】
前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、
前記ＵＥ能力情報メッセージのＥ−ＵＴＲＡ能力情報に含まれるＦＧＩパラメータのうち、前記測定機能特徴を指示するビット情報を用いて、前記サポートされるＭＦ技術方式内の測定機能特徴および前記ＭＦ技術方式におけるＴＤＤまたはＦＤＤ技術方式に対する測定機能特徴を指示し、所定の空き状態の第３ビット情報を用いて、ＴＤＤまたはＦＤＤ技術方式における前記ＭＦ技術方式に対する測定機能特徴を指示することを含む請求項４に記載の方法。
【請求項８】
前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、
前記ＵＥ能力情報メッセージのＥ−ＵＴＲＡ能力情報に含まれるＦＧＩパラメータのうち、前記測定機能特徴を指示するビット情報を用いて、前記サポートされるＭＦ技術方式内の測定機能特徴を指示し、所定の空き状態の第３ビット情報を用いて、サポートされる前記ＭＦ技術方式とＴＤＤまたはＦＤＤ技術方式の間の測定機能特徴を指示することを含む請求項４に記載の方法。
【請求項９】
前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、
前記ＵＥ能力情報メッセージのＥ−ＵＴＲＡ能力情報に含まれるＦＧＩパラメータのうち、前記測定機能特徴を指示するビット情報を用いて、前記サポートされるＭＦ技術方式内の測定機能特徴およびＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することを含む請求項４に記載の方法。
【請求項１０】
前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、
前記ＵＥ能力情報メッセージのＥ−ＵＴＲＡ能力情報に含まれるＦＧＩパラメータのうち、前記測定機能特徴を指示するビット情報を用いて、前記サポートされるＭＦ技術方式内の測定機能特徴および前記ＭＦ技術方式とＦＤＤ技術方式の間の測定機能特徴を指示し、所定の空き状態の第３ビット情報を用いて、サポートされるＭＦ技術方式とＴＤＤ技術方式の間の測定機能特徴を指示することを含む請求項４に記載の方法。
【請求項１１】
前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、
前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴、ＭＦ技術方式とＴＤＤまたはＦＤＤ技術方式の間の測定機能特徴を指示することを含む請求項４に記載の方法。
【請求項１２】
前記サポートされるＭＦ技術方式機能特徴を、前記ＵＥ能力情報メッセージのＥ−ＵＴＲＡ能力情報に含まれるＦＧＩパラメータで指示することは、
前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することを含み、
ここで、前記切換機能特徴を指示するビット情報は、方式内の切換機能特徴を指示するビット情報と方式間の切換機能特徴を指示するビット情報を含み、前記ＭＦ技術方式の切換機能特徴は、ＭＦ技術方式内の切換機能特徴、ＭＦ技術方式とＴＤＤまたはＦＤＤ技術方式の間の切換機能特徴を含む請求項２〜１１のいずれか一項に記載の方法。
【請求項１３】
前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、
前記ＵＥ能力情報メッセージのＥ−ＵＴＲＡ能力情報に含まれるＦＧＩパラメータのうち、所定の空き状態の第４ビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む請求項１２に記載の方法。
【請求項１４】
前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む請求項１２に記載の方法。
【請求項１５】
前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式からＴＤＤまたはＦＤＤ技術方式に切り替える切換機能特徴を指示し、所定の空き状態の第６ビット情報を用いて、サポートされるＴＤＤまたはＦＤＤ技術方式からＭＦ技術方式に切り替える切換機能特徴を指示することを含む請求項１２に記載の方法。
【請求項１６】
前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第６ビット情報を用いて、サポートされるＭＦ技術方式とＴＤＤまたはＦＤＤ技術方式の間の切換機能特徴を指示することを含む請求項１２に記載の方法。
【請求項１７】
前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む請求項１２に記載の方法。
【請求項１８】
前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＦＤＤ技術方式の間の切換機能特徴を指示し、所定の空き状態の第６ビット情報を用いて、サポートされるＭＦ技術方式とＴＤＤ技術方式の間の切換機能特徴を指示することを含む請求項１２に記載の方法。
【請求項１９】
前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤまたはＦＤＤ技術方式の間の切換機能特徴を指示することを含む請求項１２に記載の方法。
【請求項２０】
端末に応用される端末能力指示装置において、
ユーザ機器ＵＥ能力取得要求メッセージを基地局から受信するための受信モジュールと、
サポートされるＭＦ技術方式周波数帯および／またはサポートされるＭＦ技術方式機能特徴を含む、サポートされるＭＦ技術方式能力をＵＥ能力情報メッセージで指示するための指示モジュールと、
前記ＵＥ能力情報メッセージを前記基地局に送信するための送信モジュールとを含む端末能力指示装置。
【請求項２１】
前記指示モジュールは、
前記サポートされるＭＦ技術方式周波数帯を、前記ＵＥ能力情報メッセージのＥ−ＵＴＲＡ能力情報に含まれるラジオ周波数パラメータで指示するための第１指示サブモジュール、および／または、
ＭＦ技術方式の測定機能特徴とＭＦ技術方式の切換機能特徴を含む前記サポートされるＭＦ技術方式機能特徴を、前記ＵＥ能力情報メッセージのＥ−ＵＴＲＡ能力情報に含まれるＦＧＩパラメータで指示するための第２指示サブモジュールとを含む請求項２０に記載の装置。
【請求項２２】
前記第１指示サブモジュールは、
前記ＭＦ技術方式とＬＡＡ技術方式で同一の周波数帯番号が使用される場合、前記ＵＥ能力情報メッセージのＥ−ＵＴＲＡ能力情報に含まれるラジオ周波数パラメータのうち、周波数帯番号と、ＭＦ技術方式および／またはＬＡＡ技術方式を含むネットワークタイプを用いて前記サポートされるＭＦ技術方式周波数帯を指示するための第１指示ユニットと、
前記ＭＦ技術方式とＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いて、サポートされるＭＦ技術方式周波数帯を指示するための第２指示ユニットとを含む請求項２１に記載の装置。
【請求項２３】
前記第２指示サブモジュールは、
前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示するための第３指示ユニットを含み、
ここで、前記ＭＦ技術方式の測定機能特徴は、前記ＭＦ技術方式内の測定機能特徴、前記ＭＦ技術方式とＴＤＤ技術方式の間の測定機能特徴、または前記ＭＦ技術方式とＦＤＤ技術方式の間の測定機能特徴を含む請求項２１または２２に記載の装置。
【請求項２４】
前記第３指示ユニットは、具体的に、
前記ＵＥ能力情報メッセージのＥ−ＵＴＲＡ能力情報に含まれるＦＧＩパラメータのうち、所定の空き状態の第１ビット情報を用いて、前記サポートされるＭＦ技術方式内の測定機能特徴を指示し、所定の空き状態の第２ビット情報を用いて、前記サポートされるＭＦ技術方式とＴＤＤ技術方式の間の測定機能特徴を指示し、所定の空き状態の第３ビット情報を用いて、前記サポートされるＭＦ技術方式とＦＤＤ技術方式の間の測定機能特徴を指示することに用いられる請求項２３に記載の装置。
【請求項２５】
前記第３指示ユニットは、具体的に、
前記ＵＥ能力情報メッセージのＥ−ＵＴＲＡ能力情報に含まれるＦＧＩパラメータのうち、前記測定機能特徴を指示するビット情報を用いて、前記サポートされるＭＦ技術方式内の測定機能特徴を指示し、所定の空き状態の第２ビット情報を用いて、前記サポートされるＭＦ技術方式とＴＤＤ技術方式の間の測定機能特徴を指示し、所定の空き状態の第３ビット情報を用いて、前記サポートされるＭＦ技術方式とＦＤＤ技術方式の間の測定機能特徴を指示することに用いられる請求項２３に記載の装置。
【請求項２６】
前記第３指示ユニットは、具体的に、
前記ＵＥ能力情報メッセージのＥ−ＵＴＲＡ能力情報に含まれるＦＧＩパラメータのうち、前記測定機能特徴を指示するビット情報を用いて、前記サポートされるＭＦ技術方式内の測定機能特徴および前記ＭＦ技術方式におけるＴＤＤまたはＦＤＤ技術方式に対する測定機能特徴を指示し、所定の空き状態の第３ビット情報を用いて、ＴＤＤまたはＦＤＤ技術方式における前記ＭＦ技術方式に対する測定機能特徴を指示することに用いられる請求項２３に記載の装置。
【請求項２７】
前記第３指示ユニットは、具体的に、
前記ＵＥ能力情報メッセージのＥ−ＵＴＲＡ能力情報に含まれるＦＧＩパラメータのうち、前記測定機能特徴を指示するビット情報を用いて、前記サポートされるＭＦ技術方式内の測定機能特徴を指示し、所定の空き状態の第３ビット情報を用いて、サポートされる前記ＭＦ技術方式とＴＤＤまたはＦＤＤ技術方式の間の測定機能特徴を指示することに用いられる請求項２３に記載の装置。
【請求項２８】
前記第３指示ユニットは、具体的に、
前記ＵＥ能力情報メッセージのＥ−ＵＴＲＡ能力情報に含まれるＦＧＩパラメータのうち、前記測定機能特徴を指示するビット情報を用いて、前記サポートされるＭＦ技術方式内の測定機能特徴およびＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することに用いられる請求項２３に記載の装置。
【請求項２９】
前記第３指示ユニットは、具体的に、
前記ＵＥ能力情報メッセージのＥ−ＵＴＲＡ能力情報に含まれるＦＧＩパラメータのうち、前記測定機能特徴を指示するビット情報を用いて、前記サポートされるＭＦ技術方式内の測定機能特徴および前記ＭＦ技術方式とＦＤＤ技術方式の間の測定機能特徴を指示し、所定の空き状態の第３ビット情報を用いて、サポートされるＭＦ技術方式とＴＤＤ技術方式の間の測定機能特徴を指示することに用いられる請求項２３に記載の装置。
【請求項３０】
前記第３指示ユニットは、具体的に、
前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴、ＭＦ技術方式とＴＤＤまたはＦＤＤ技術方式の間の測定機能特徴を指示することに用いられる請求項２３に記載の装置。
【請求項３１】
前記第２指示サブモジュールは、
前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示するための第４指示ユニットを含み、
ここで、前記切換機能特徴を指示するビット情報は、方式内の切換機能特徴を指示するビット情報と方式間の切換機能特徴を指示するビット情報を含み、前記ＭＦ技術方式の切換機能特徴は、ＭＦ技術方式内の切換機能特徴、ＭＦ技術方式とＴＤＤまたはＦＤＤ技術方式の間の切換機能特徴を含む請求項２１〜３０のいずれか一項に記載の装置。
【請求項３２】
前記第４指示ユニットは、具体的に、
前記ＵＥ能力情報メッセージのＥ−ＵＴＲＡ能力情報に含まれるＦＧＩパラメータのうち、所定の空き状態の第４ビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することに用いられる請求項３１に記載の装置。
【請求項３３】
前記第４指示ユニットは、具体的に、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することに用いられる請求項３１に記載の装置。
【請求項３４】
前記第４指示ユニットは、具体的に、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式からＴＤＤまたはＦＤＤ技術方式に切り替える切換機能特徴を指示し、所定の空き状態の第６ビット情報を用いて、サポートされるＴＤＤまたはＦＤＤ技術方式からＭＦ技術方式に切り替える切換機能特徴を指示することに用いられる請求項３１に記載の装置。
【請求項３５】
前記第４指示ユニットは、具体的に、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第６ビット情報を用いて、サポートされるＭＦ技術方式とＴＤＤまたはＦＤＤ技術方式の間の切換機能特徴を指示することに用いられる請求項３１に記載の装置。
【請求項３６】
前記第４指示ユニットは、具体的に、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することに用いられる請求項３１に記載の装置。
【請求項３７】
前記第４指示ユニットは、具体的に、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＦＤＤ技術方式の間の切換機能特徴を指示し、所定の空き状態の第６ビット情報を用いて、サポートされるＭＦ技術方式とＴＤＤ技術方式の間の切換機能特徴を指示することに用いられる請求項３１に記載の装置。
【請求項３８】
前記第４指示ユニットは、具体的に、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤまたはＦＤＤ技術方式の間の切換機能特徴を指示することに用いられる請求項３１に記載の装置。
【請求項３９】
ユーザ機器ＵＥ能力取得要求メッセージを基地局から受信するための受信機と、
サポートされるＭＦ技術方式周波数帯および／またはサポートされるＭＦ技術方式機能特徴を含む、サポートされるＭＦ技術方式能力をＵＥ能力情報メッセージで指示するためのプロセッサと、
前記ＵＥ能力情報メッセージを前記基地局に送信するための送信機とを含む端末。
【請求項４０】
基地局に応用される端末能力指示方法において、
ユーザ機器ＵＥ能力取得要求メッセージを端末に送信することと、
サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信することと、
前記ＵＥ能力情報メッセージから前記端末にサポートされるＭＦ技術方式能力の情報を取得することとを含む前記端末能力指示方法。
【請求項４１】
前記ＵＥ能力情報メッセージから前記端末にサポートされるＭＦ技術方式能力の情報を取得することは、
前記ＵＥ能力情報メッセージのＥ−ＵＴＲＡ能力情報に含まれるラジオ周波数パラメータから前記端末にサポートされるＭＦ技術方式周波数帯を取得すること、および／または、
ＭＦ技術方式の測定機能特徴とＭＦ技術方式の切換機能特徴を含む前記端末にサポートされるＭＦ技術方式機能特徴を、前記ＵＥ能力情報メッセージのＥ−ＵＴＲＡ能力情報に含まれるＦＧＩパラメータから取得することを含む請求項４０に記載の方法。
【請求項４２】
基地局に応用される端末能力指示装置において、
ユーザ機器ＵＥ能力取得要求メッセージを端末に送信するための送信モジュールと、
サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信するための受信モジュールと、
前記ＵＥ能力情報メッセージから前記端末にサポートされるＭＦ技術方式能力の情報を取得するための処理モジュールとを含む端末能力指示装置。
【請求項４３】
前記処理モジュールは、具体的に、
前記ＵＥ能力情報メッセージのＥ−ＵＴＲＡ能力情報に含まれるラジオ周波数パラメータから前記端末にサポートされるＭＦ技術方式周波数帯を取得すること、および／または、
ＭＦ技術方式の測定機能特徴とＭＦ技術方式の切換機能特徴を含む前記端末にサポートされるＭＦ技術方式機能特徴を、前記ＵＥ能力情報メッセージのＥ−ＵＴＲＡ能力情報に含まれるＦＧＩパラメータから取得することに用いられる請求項４０に記載の方法。
【請求項４４】
ユーザ機器ＵＥ能力取得要求メッセージを端末に送信するための送信機と、
サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信するための受信機と、
前記ＵＥ能力情報メッセージから前記端末にサポートされるＭＦ技術方式能力の情報を取得するためのプロセッサとを含む基地局。
【発明の詳細な説明】
【技術分野】
【０００１】
本願は、２０１６年８月１日に中国特許庁に提出された中国特許出願２０１６１０６２２６３９．２の優先権を主張し、その全ての内容が援用により本願に取り込まれる。
本開示は、通信分野に係り、特に端末能力指示方法、装置、端末および基地局に係る。
【背景技術】
【０００２】
ＭＦ（Ｍｕｌｔｅ  Ｆｉｒｅ）は、ＬＴＥ（Ｌｏｎｇ  Ｔｅｒｍ  Ｅｖｏｌｕｔｉｏｎ）技術をアンライセンスバンドに拡張させる無線アクセス技術である。当該技術は、ライセンスバンドの搬送波を介さずにアンランセンススペクトルで独立に運用することができる。アンライセンスバンドのチャネルをアンライセンスバンドにある他の機器（例えばＷｉＦｉ機器）と公平に占有すると共に、アンライセンスバンドの機器同士による相互干渉の回避を図るために、ＭＦ物理レイヤでは、ＷｉＦｉの搬送波モニタリング技術に類似するＬＢＴ（Ｌｉｓｔｅｎ  Ｂｅｆｏｒｅ  Ｔａｌｋ）メカニズムが導入されている。ＭＦは、ＬＴＥのＴＤＤ（Ｔｉｍｅ  Ｄｉｖｉｓｉｏｎ  Ｄｕｐｌｅｘ）とＦＤＤ（Ｆｒｅｑｕｅｎｃｙ  Ｄｉｖｉｓｉｏｎ  Ｄｕｐｌｅｘ）とは異なり、固定したアップリンク／ダウンリンクサブフレーム設定がない。基地局は、ＬＢＴに基づいて、ダウンリンクデータを送信するかの判断が正しいかを決定する。ＵＥ（Ｕｓｅｒ  Ｅｑｕｉｐｍｅｎｔ）は、基地局のアップリンクスケジューリングライセンスとＬＢＴに基づいて、アップリンクデータを送信するかの判断が正しいかを判断する。
【０００３】
ＭＦは、ＰＬＭＮ（Ｐｕｂｌｉｃ  Ｌａｎｄ  Ｍｏｂｉｌｅ  Ｎｅｔｗｏｒｋ）アクセス方式とＮＨＮ（Ｎｅｕｔｒａｌ  Ｈｏｓｔ  Ｎｅｔｗｏｒｋ）アクセス方式の２種類の基本的アクセス方式のネットワークアークテクチャーを提供する。ここで、ＮＨＮアクセス方式は、ＭＦに新規に導入されたものであって、統一的に計画されて自己組織化したニューラルネットワークであり、ＭＦ  ＲＡＮ（Ｒａｄｉｏ  Ａｃｃｅｓｓ  Ｎｅｔｗｏｒｋ）がＮＨＮのＣＮ（Ｃｏｒｅ  Ｎｅｔｗｏｒｋ）に接続する。ＰＬＭＮアクセス方式は、ＭＦ  ＲＡＮが移動事業者の３ＧＰＰ  ＣＮに接続するネットワーク方式であり、ＵＥがＰＬＭＮアクセス方式のＭＦ  ＲＡＮと３ＧＰＰ  ＲＡＮの間でＳ１またはＸ２切り替えを行うことができる。また、ＭＦ  ＲＡＮがＮＨＮ  ＣＮと３ＧＰＰ  ＣＮに同時に接続するハイブリッドアクセス方式も存在する。
【０００４】
３ＧＰＰの元々のＥ−ＵＴＲＡ無線アクセス技術は、ＴＤＤとＦＤＤの２種類の技術方式のみを含む。３ＧＰＰにＭＦ技術方式が導入されると、Ｅ−ＵＴＲＡは、ＴＤＤ技術方式、ＦＤＤ技術方式およびＭＦ技術方式の３種類の技術方式を含むことになる。Ｅ−ＵＴＲＡにＭＦ技術方式が導入されると、ＭＦ測定能力を持つＵＥは、ＭＦセルの測定を行うことができ、ＭＦとＬＴＥとの間の切換能力を持つＵＥは、ＰＬＭＮアクセス方式のＭＦセルと３ＧＰＰセルの間で切り替えを行うことができる。しかし、現在のＥ−ＵＴＲＡ能力情報には、ＭＦ技術方式に関する能力指示情報がないため、ＵＥのＭＦセルと３ＧＰＰセルとの間の切換機能および他のＭＦ技術方式に関する機能が実現できない。
【発明の概要】
【０００５】
解決しようとする課題
本開示が解決しようとする技術課題は、ＭＦ技術方式に関する能力指示情報がＵＥのＥ−ＵＴＲＡ能力情報にないため、ＵＥのＭＦ技術方式における関連機能が実現できないという従来技術の問題を解決するための端末能力指示方法、装置、端末および基地局を提供することである。
課題を解決するための手段
【０００６】
上述の技術課題を解決するために、本開示の実施例は、端末に応用される端末能力指示方法を提供する。前記方法は、ユーザ機器ＵＥ能力取得要求メッセージを基地局から受信することと、サポートされるＭＦ技術方式周波数帯および／またはサポートされるＭＦ技術方式機能特徴を含む、サポートされるＭＦ技術方式能力をＵＥ能力情報メッセージで指示することと、前記ＵＥ能力情報メッセージを前記基地局に送信することとを含む。
【０００７】
選択可能に、サポートされるＭＦ技術方式能力をＵＥ能力情報メッセージで指示することは、前記サポートされるＭＦ技術方式周波数帯を、前記ＵＥ能力情報メッセージのＥ−ＵＴＲＡ能力情報に含まれるラジオ周波数パラメータで指示すること、および／または、ＭＦ技術方式の測定機能特徴とＭＦ技術方式の切換機能特徴を含む前記サポートされるＭＦ技術方式機能特徴を、前記ＵＥ能力情報メッセージのＥ−ＵＴＲＡ能力情報に含まれるＦＧＩパラメータで指示することとを含む。
【０００８】
さらに、サポートされるＭＦ技術方式周波数帯を、前記ＵＥ能力情報メッセージのＥ−ＵＴＲＡ能力情報に含まれるラジオ周波数パラメータで指示することは、前記ＭＦ技術方式とＬＡＡ技術方式で同一の周波数帯番号が使用される場合、前記ＵＥ能力情報メッセージのＥ−ＵＴＲＡ能力情報に含まれるラジオ周波数パラメータのうち、周波数帯番号と、ＭＦ技術方式および／またはＬＡＡ技術方式を含むネットワークタイプを用いて前記サポートされるＭＦ技術方式周波数帯を指示することと、前記ＭＦ技術方式と前記ＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いて前記サポートされるＭＦ技術方式周波数帯を指示することとを含む。
【０００９】
さらに、前記サポートされるＭＦ技術方式機能特徴を、前記ＵＥ能力情報メッセージのＥ−ＵＴＲＡ能力情報に含まれるＦＧＩパラメータで指示することは、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することを含み、ここで、前記ＭＦ技術方式の測定機能特徴は、ＭＦ技術方式内の測定機能特徴、前記ＭＦ技術方式とＴＤＤ技術方式の間の測定機能特徴、または前記ＭＦ技術方式とＦＤＤ技術方式の間の測定機能特徴を含む。
【００１０】
さらに、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、所定の空き状態の第１ビット情報を用いて、前記サポートされるＭＦ技術方式内の測定機能特徴を指示し、所定の空き状態の第２ビット情報を用いて、前記サポートされるＭＦ技術方式とＴＤＤ技術方式の間の測定機能特徴を指示し、所定の空き状態の第３ビット情報を用いて、前記サポートされるＭＦ技術方式とＦＤＤ技術方式の間の測定機能特徴を指示することを含む。
【００１１】
さらに、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第２ビット情報を用いて、サポートされるＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することを含む。
【００１２】
さらに、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、前記サポートされるＭＦ技術方式内の測定機能特徴および前記ＭＦ技術方式におけるＴＤＤまたはＦＤＤ技術方式に対する測定機能特徴を指示し、所定の空き状態の第３ビット情報を用いて、ＴＤＤまたはＦＤＤ技術方式における前記ＭＦ技術方式に対する測定機能特徴を指示することを含む。
【００１３】
さらに、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第３ビット情報を用いて、サポートされる前記ＭＦ技術方式とＴＤＤまたはＦＤＤ技術方式の間の測定機能特徴を指示することを含む。
【００１４】
さらに、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴およびＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することを含む。
【００１５】
さらに、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴および前記ＭＦ技術方式とＦＤＤ技術方式の間の測定機能特徴を指示し、所定の空き状態の第３ビット情報を用いて、サポートされるＭＦ技術方式とＴＤＤ技術方式の間の測定機能特徴を指示することを含む。
【００１６】
さらに、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴、ＭＦ技術方式とＴＤＤまたはＦＤＤ技術方式の間の測定機能特徴を指示することを含む。
【００１７】
選択可能に、前記サポートされるＭＦ技術方式機能特徴を、前記ＵＥ能力情報メッセージのＥ−ＵＴＲＡ能力情報に含まれるＦＧＩパラメータで指示することは、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することを含み、ここで、前記切換機能特徴を指示するビット情報は、方式内の切換機能特徴を指示するビット情報と方式間の切換機能特徴を指示するビット情報を含み、前記ＭＦ技術方式の切換機能特徴は、ＭＦ技術方式内の切換機能特徴、ＭＦ技術方式とＴＤＤまたはＦＤＤ技術方式の間の切換機能特徴を含む。
【００１８】
さらに、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、所定の空き状態の第４ビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む。
【００１９】
さらに、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む。
【００２０】
さらに、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式からＴＤＤまたはＦＤＤ技術方式に切り替える切換機能特徴を指示し、所定の空き状態の第６ビット情報を用いて、サポートされるＴＤＤまたはＦＤＤ技術方式からＭＦ技術方式に切り替える切換機能特徴を指示することを含む。
【００２１】
さらに、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第６ビット情報を用いて、サポートされるＭＦ技術方式とＴＤＤまたはＦＤＤ技術方式の間の切換機能特徴を指示することを含む。
【００２２】
さらに、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む。
【００２３】
さらに、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＦＤＤ技術方式の間の切換機能特徴を指示し、所定の空き状態の第６ビット情報を用いて、サポートされるＭＦ技術方式とＴＤＤ技術方式の間の切換機能特徴を指示することを含む。
【００２４】
さらに、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤまたはＦＤＤ技術方式の間の切換機能特徴を指示することを含む。
【００２５】
上述した技術課題を解決するために、本開示の実施例は、端末に応用される端末能力指示装置をさらに提供する。前記装置において、ユーザ機器ＵＥ能力取得要求メッセージを基地局から受信するための受信モジュールと、サポートされるＭＦ技術方式周波数帯および／またはサポートされるＭＦ技術方式機能特徴を含む、サポートされるＭＦ技術方式能力をＵＥ能力情報メッセージで指示するための指示モジュールと、前記ＵＥ能力情報メッセージを前記基地局に送信するための送信モジュールとを含む。
【００２６】
選択可能に、前記指示モジュールは、前記サポートされるＭＦ技術方式周波数帯を、前記ＵＥ能力情報メッセージのＥ−ＵＴＲＡ能力情報に含まれるラジオ周波数パラメータで指示するための第１指示サブモジュール、および／または、ＭＦ技術方式の測定機能特徴とＭＦ技術方式の切換機能特徴を含む前記サポートされるＭＦ技術方式機能特徴を、前記ＵＥ能力情報メッセージのＥ−ＵＴＲＡ能力情報に含まれるＦＧＩパラメータで指示するための第２指示サブモジュールとを含む。
【００２７】
さらに、前記第１指示サブモジュールは、前記ＭＦ技術方式とＬＡＡ技術方式で同一の周波数帯番号が使用される場合、前記ＵＥ能力情報メッセージのＥ−ＵＴＲＡ能力情報に含まれるラジオ周波数パラメータのうち、周波数帯番号と、ＭＦ技術方式および／またはＬＡＡ技術方式を含むネットワークタイプを用いてサポートされるＭＦ技術方式周波数帯を指示するための第１指示ユニットと、前記ＭＦ技術方式とＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いて、サポートされるＭＦ技術方式周波数帯を指示するための第２指示ユニットとを含む。
【００２８】
さらに、前記第２指示サブモジュールは、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示するための第３指示ユニットを含み、ここで、前記ＭＦ技術方式の測定機能特徴は、ＭＦ技術方式内の測定機能特徴、前記ＭＦ技術方式とＴＤＤ技術方式の間の測定機能特徴、または前記ＭＦ技術方式とＦＤＤ技術方式の間の測定機能特徴を含む。
【００２９】
さらに、前記第３指示ユニットは、具体的に、前記ＵＥ能力情報メッセージのＥ−ＵＴＲＡ能力情報に含まれるＦＧＩパラメータのうち、所定の空き状態の第１ビット情報を用いて、サポートされるＭＦ技術方式内の測定機能特徴を指示し、所定の空き状態の第２ビット情報を用いて、サポートされるＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することに用いられる。
【００３０】
さらに、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第２ビット情報を用いて、サポートされるＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することに用いられる。
【００３１】
さらに、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴およびＭＦ技術方式におけるＴＤＤまたはＦＤＤ技術方式に対する測定機能特徴を指示し、所定の空き状態の第３ビット情報を用いて、サポートされる、ＴＤＤまたはＦＤＤ技術方式における前記ＭＦ技術方式に対する測定機能特徴を指示することに用いられる。
【００３２】
さらに、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第３ビット情報を用いて、サポートされるＭＦ技術方式とＴＤＤまたはＦＤＤ技術方式の間の測定機能特徴を指示することに用いられる。
【００３３】
さらに、前記第３指示ユニットは、具体的に前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴およびＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することに用いられる。
【００３４】
さらに、前記第３指示ユニットは、具体的に前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴および前記ＭＦ技術方式とＦＤＤ技術方式の間の測定機能特徴を指示し、所定の空き状態の第３ビット情報を用いて、サポートされるＭＦ技術方式とＴＤＤ技術方式の間の測定機能特徴を指示することに用いられる。
【００３５】
さらに、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴、ＭＦ技術方式とＴＤＤまたはＦＤＤ技術方式の間の測定機能特徴を指示することに用いられる。
【００３６】
選択可能に、前記第２指示サブモジュールは、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示するための第４指示ユニットを含み、ここで、前記切換機能特徴を指示するビット情報は、方式内の切換機能特徴を指示するビット情報と方式間の切換機能特徴を指示するビット情報を含み、前記ＭＦ技術方式の切換機能特徴は、ＭＦ技術方式内の切換機能特徴、ＭＦ技術方式とＴＤＤまたはＦＤＤ技術方式の間の切換機能特徴を含む。
【００３７】
さらに、前記第４指示ユニットは、具体的に、前記ＵＥ能力情報メッセージのＥ−ＵＴＲＡ能力情報に含まれるＦＧＩパラメータのうち、所定の空き状態の第４ビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することに用いられる。
【００３８】
さらに、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することに用いられる。
【００３９】
さらに、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式からＴＤＤまたはＦＤＤ技術方式に切り替える切換機能特徴を指示し、所定の空き状態の第６ビット情報を用いて、サポートされるＴＤＤまたはＦＤＤ技術方式からＭＦ技術方式に切り替える切換機能特徴を指示することに用いられる。
【００４０】
さらに、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第６ビット情報を用いて、サポートされるＭＦ技術方式とＴＤＤまたはＦＤＤ技術方式の間の切換機能特徴を指示することに用いられる。
【００４１】
さらに、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することに用いられる。
【００４２】
さらに、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＦＤＤ技術方式の間の切換機能特徴を指示し、所定の空き状態の第６ビット情報を用いて、サポートされるＭＦ技術方式とＴＤＤ技術方式の間の切換機能特徴を指示することに用いられる。
【００４３】
さらに、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤまたはＦＤＤ技術方式の間の切換機能特徴を指示することに用いられる。
【００４４】
上述した技術課題を解決するために、本開示の実施例は、ユーザ機器ＵＥ能力取得要求メッセージを基地局から受信するための受信機と、サポートされるＭＦ技術方式周波数帯および／またはサポートされるＭＦ技術方式機能特徴を含む、サポートされるＭＦ技術方式能力をＵＥ能力情報メッセージで指示するためのプロセッサと、前記ＵＥ能力情報メッセージを前記基地局に送信するための送信機とを含む端末をさらに提供する。
【００４５】
上述した技術課題を解決するために、本開示の実施例は、基地局に応用される端末能力指示方法をさらに提供する。前記方法は、ユーザ機器ＵＥ能力取得要求メッセージを端末に送信することと、サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信することと、前記ＵＥ能力情報メッセージから前記端末にサポートされるＭＦ技術方式能力の情報を取得することとを含む。
【００４６】
選択可能に、前記ＵＥ能力情報メッセージから前記端末にサポートされるＭＦ技術方式能力の情報を取得することは、前記ＵＥ能力情報メッセージのＥ−ＵＴＲＡ能力情報に含まれるラジオ周波数パラメータから前記端末にサポートされるＭＦ技術方式周波数帯を取得すること、および／または、ＭＦ技術方式の測定機能特徴とＭＦ技術方式の切換機能特徴を含む前記端末にサポートされるＭＦ技術方式機能特徴を、前記ＵＥ能力情報メッセージのＥ−ＵＴＲＡ能力情報に含まれるＦＧＩパラメータから取得することを含む。
【００４７】
上述した技術課題を解決するために、本開示の実施例は、基地局に応用される端末能力指示装置をさらに提供する。前記装置は、ユーザ機器ＵＥ能力取得要求メッセージを端末に送信するための送信モジュールと、サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信するための受信モジュールと、前記ＵＥ能力情報メッセージから前記端末がサポートされるＭＦ技術方式能力の情報を取得するための処理モジュールとを含む。
【００４８】
選択可能に、前記処理モジュールは、具体的に、前記ＵＥ能力情報メッセージのＥ−ＵＴＲＡ能力情報に含まれるラジオ周波数パラメータから前記端末にサポートされるＭＦ技術方式周波数帯を取得すること、および／または、ＭＦ技術方式の測定機能特徴とＭＦ技術方式の切換機能特徴を含む前記端末にサポートされるＭＦ技術方式機能特徴を、前記ＵＥ能力情報メッセージのＥ−ＵＴＲＡ能力情報に含まれるＦＧＩパラメータから取得することにもちいられる。
【００４９】
上述した技術課題を解決するために、本開示の実施例は、ユーザ機器ＵＥ能力取得要求メッセージを端末に送信するための送信機と、サポートされるＭＦ技術方式周波数帯とサポートされるＭＦ技術方式機能特徴を含む、前記端末がサポートされるＭＦ技術方式能力を指示する情報が含まれるＵＥ能力情報メッセージを前記端末から受信するための受信機と、前記ＵＥ能力情報メッセージから前記端末がサポートされるＭＦ技術方式能力の情報を取得するためのプロセッサとを含む基地局をさらに提供する。
発明の効果
【００５０】
本開示の実施例の端末能力指示方法において、端末は、ＵＥ能力取得要求メッセージを基地局から受信すると、サポートされるＭＦ技術方式能力をＵＥ能力情報メッセージで指示し、それからＵＥ能力情報メッセージを基地局に送信する。よって、端末からサポートされるＭＦ技術方式能力を基地局に指示する目的が実現され、端末のＭＦ技術方式における関連機能が実現される。ＭＦ技術方式に関する能力指示情報がＵＥのＥ−ＵＴＲＡ能力情報にないため、ＵＥのＭＦ技術方式における関連機能が実現できないという従来技術の問題を解決した。さらに、本方法は、ＦＧＩパラメータのうちサポートされるＴＤＤまたはＦＤＤ技術方式の機能特徴を指示するビット情報を用いて、サポートされるＭＦ技術方式の機能特徴を同時に指示することによって、占有する空き状態のＦＧＩビットを節約する目的が実現される。さらに、本方法によれば、ＭＦ技術方式の機能特徴を同時に指示するための、サポートされるＴＤＤまたはＦＤＤ技術方式の機能特徴を指示するＦＧＩビット、および、サポートされるＭＦ技術方式の機能特徴を指示するための空き状態のＦＧＩビットは、ＴＤＤ、ＦＤＤまたはＦＤＤ技術方式を区別する必要がないため、サポートされる機能特徴をＦＧＩビットで指示する複雑度の増加が避けられる。
【図面の簡単な説明】
【００５１】
【図１】図１は、本開示の一部実施例の端末能力指示方法のフローチャートである。
【図２】図２は、本開示の一部実施例の端末能力指示方法のフローチャートである。
【図３】図３は、本開示の一部実施例の端末能力指示方法のフローチャートである。
【図４】図４は、本開示の一部実施例の端末能力指示方法のフローチャートである。
【図５】図５は、本開示の一部実施例の端末能力指示装置が端末に応用される構造図である。
【図６】図６は、本開示の一部実施例の端末の構造図である。
【図７】図７は、本開示の一部実施例の端末能力指示方法のフローチャートである。
【図８】図８は、本開示の一部実施例の端末能力指示装置が基地局に応用される構造図である。
【図９】図９は、本開示の一部実施例の基地局の構造図である。
【発明を実施するための形態】
【００５２】
本開示の解決しようとする技術課題、技術手段および利点をより明確にするために、以下、図面および具体的な実施例を参照して詳細に記載する。
【００５３】
本開示の実施例において、ユーザ機器（Ｕｓｅｒ  Ｅｑｕｉｐｍｅｎｔ；ＵＥと略称する）は、端末（Ｔｅｒｍｉｎａｌ）、移動局（Ｍｏｂｉｌｅ  Ｓｔａｔｉｏｎ；ＭＳと略称する）、移動端末（Ｍｏｂｉｌｅ  Ｔｅｒｍｉｎａｌ）などと称される。
実施例１
【００５４】
図１に示すように、本開示の実施例の端末能力指示方法は、端末に応用され、以下のステップを含む。
【００５５】
ステップ１０１において、ユーザ機器ＵＥ能力取得要求メッセージを基地局から受信する。
【００５６】
ここで、端末は、ＵＥ能力取得要求メッセージを基地局から受信すると、サポートされる能力情報を基地局にレポートする。
【００５７】
ステップ１０２において、サポートされるＭＦ技術方式能力をＵＥ能力情報メッセージで指示する。ここで、サポートされるＭＦ技術方式能力は、サポートされるＭＦ技術方式周波数帯および／またはサポートされるＭＦ技術方式機能特徴を含む。
【００５８】
ＬＴＥシステムにおいて、ＵＥは、ＵＥの能力情報をＵＥ能力情報メッセージによって基地局にレポートする。例えば、Ｅ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）ネットワークの能力情報は、アクセスレイヤバージョン番号、ＵＥ能力レベル、ＰＤＣＰ（Ｐａｃｋｅｔ  Ｄａｔａ  Ｃｏｎｖｅｒｇｅｎｃｅ  Ｐｒｏｔｏｃｏｌ）パラメータ、物理レイヤパラメータ、ラジオ周波数パラメータ、ＦＧＩ（Ｆｅａｔｕｒｅ  Ｇｒｏｕｐ  Ｉｎｄｉｃａｔｏｒ）およびサポートされるほかのＲＡＴ（Ｒａｄｉｏ  Ａｃｃｅｓｓ  Ｔｅｃｈｎｏｌｏｇｉｅｓ）の周波数帯情報などを含む。
【００５９】
具体的に、ＵＥにサポートされるＥ−ＵＴＲＡ周波数帯能力情報をラジオ周波数パラメータで指示する。ＦＧＩは、長さが例えば３２のビット情報であり、Ｅ−ＵＴＲＡにおいてＵＥにサポートされる機能特徴群をＦＧＩで指示する。例えば、ＵＥのＰＵＳＣＨ（Ｐｈｙｓｉｃａｌ  Ｕｐｌｉｎｋ  Ｓｈａｒｅｄ  Ｃｈａｎｎｅｌ）サブフレーム内のホッピング機能、ＰＵＣＣＨ（Ｐｈｙｓｉｃａｌ  Ｕｐｌｉｎｋ  Ｃｏｎｔｒｏｌ  ＣＨａｎｎｅｌ）におけるＣＱＩ（Ｃｈａｎｎｅｌ  Ｑｕａｌｉｔｙ  Ｉｎｄｉｃａｔｏｒ）とＡＣＫ／ＮＡＣＫの同時送信機能、測定機能（例えば異周波数測定機能）、３Ｇネットワーク測定機能、２Ｇネットワーク測定機能、切換能力（例えば異周波数切換機能）、ＴＤＤとＦＤＤの間の切換機能などが含まれる。ＵＥにサポートされる機能特徴の関連ビットを１に設定するが、さもなければ０に設定する。
【００６０】
端末は、端末の能力情報をＵＥ能力情報メッセージによって基地局にレポートする。ＵＥ能力情報メッセージのＥ−ＵＴＲＡ能力情報には、通常、端末にサポートされるＴＤＤとＦＤＤ技術方式能力を指示する情報が含まれる。現在、ＵＥのＥ−ＵＴＲＡ能力情報は、ＴＤＤまたはＦＤＤ技術方式に関する能力しか指示できず、例えばＵＥにサポートされるＥ−ＵＴＲＡ周波数帯をラジオ周波数パラメータで指示し、Ｅ−ＵＴＲＡの異周波数測定機能、Ｅ−ＵＴＲＡから３Ｇへの切換機能、ＴＤＤまたはＦＤＤ技術方式内の切換機能、ＴＤＤとＦＤＤ技術方式の間の切換機能などの機能特徴に対してＵＥにサポートされるかをＦＧＩで指示する。
【００６１】
本開示の実施例において、端末にサポートされるＭＦ技術方式能力をＵＥ能力情報メッセージのＥ−ＵＴＲＡ能力情報で指示できるため、端末からサポートされるＭＦ技術方式能力を基地局に指示する目的が実現される。
【００６２】
ステップ１０３において、前記ＵＥ能力情報メッセージを前記基地局に送信する。
【００６３】
ここで、端末は、サポートされるＭＦ技術方式能力を指示するＵＥ能力情報メッセージを基地局にレポートすることによって、ＭＦ技術方式に関連する機能が実現される。
【００６４】
本開示の実施例の端末能力指示方法において、端末からサポートされるＭＦ技術方式能力を基地局に指示する目的が実現され、端末のＭＦ技術方式における関連機能が実現される。ＭＦ技術方式に関する能力指示情報がＵＥのＥ−ＵＴＲＡ能力情報にないため、ＵＥのＭＦ技術方式における関連機能が実現できないという従来技術の問題を解決した。
実施例２
【００６５】
図２に示すように、本開示の実施例の端末能力指示方法は、端末に応用され、ステップ２０１、ステップ２０２および／またはステップ２０３、ステップ２０４を含む。
【００６６】
ステップ２０１において、ユーザ機器ＵＥ能力取得要求メッセージを基地局から受信する。
【００６７】
ここで、Ｅ−ＵＴＲＡセルにアクセスする端末は、ＵＥ能力取得要求メッセージを基地局から受信すると、サポートされるＥ−ＵＴＲＡ能力情報を基地局にレポートする。
【００６８】
ステップ２０２において、サポートされるＭＦ技術方式周波数帯を、ＵＥ能力情報メッセージのＥ−ＵＴＲＡ能力情報に含まれるラジオ周波数パラメータで指示する。
【００６９】
ステップ２０３において、サポートされるＭＦ技術方式機能特徴を、ＵＥ能力情報メッセージのＥ−ＵＴＲＡ能力情報に含まれるＦＧＩパラメータで指示する。ＭＦ技術方式機能特徴は、ＭＦ技術方式の測定機能特徴とＭＦ技術方式の切換機能特徴を含む。
【００７０】
本開示の実施例において、異周波数測定機能特徴と異周波数切換機能特徴を例として説明する。なお、本開示は、これについて限定しない。
【００７１】
端末は、端末の能力情報をＵＥ能力情報メッセージによって基地局にレポートする。ＵＥ能力情報メッセージのＥ−ＵＴＲＡ能力情報には、通常、端末にサポートされるＴＤＤとＦＤＤ技術方式能力を指示する情報が含まれる。
【００７２】
ここで、端末は、サポートされるＭＦ技術方式周波数帯を、Ｅ−ＵＴＲＡ能力情報に含まれるラジオ周波数パラメータで指示し、サポートされるＭＦ技術方式機能特徴を、Ｅ−ＵＴＲＡ能力情報に含まれるＦＧＩパラメータで指示することによって、端末からサポートされるＭＦ技術方式能力を基地局に指示する目的が実現される。
【００７３】
ここで、ＭＦ技術方式機能特徴は、ＭＦ技術方式の異周波数測定機能特徴とＭＦ技術方式の異周波数切換機能特徴を含む。通常、異周波数切換機能特徴は、異周波数測定機能特徴に対して端末がサポートする場合に限って、端末にサポートされる。具体的に、異周波数測定機能特徴のビットを例えば１に設定する場合、すなわち異周波数測定機能特徴に対して端末がサポートすることをＦＧＩで指示する場合に限って、異周波数切換機能特徴を例えば１に設定し、すなわ対応する異周波数切換機能特徴に対して端末がサポートすることをＦＧＩで指示する。例えば、ＭＦ、ＴＤＤまたはＦＤＤ技術方式内の異周波数測定機能特徴を指示するビットが１である場合に限って、ＭＦ、ＴＤＤまたはＦＤＤ技術方式内の異周波数切換機能特徴のビットを１に設定する。
【００７４】
ステップ２０４において、ＵＥ能力情報メッセージを基地局に送信する。
【００７５】
ここで、端末は、サポートされるＭＦ技術方式能力を指示するＵＥ能力情報メッセージを基地局にレポートすることによって、ＭＦ技術方式に関連する機能の対応が実現される。
【００７６】
本開示の実施例の端末能力指示方法において、端末は、サポートされるＭＦ技術方式周波数帯を、Ｅ−ＵＴＲＡ能力情報のラジオ周波数パラメータで指示し、サポートされるＭＦ技術方式機能特徴を、Ｅ−ＵＴＲＡ能力情報のＦＧＩパラメータで指示することによって、サポートされるＭＦ技術方式能力を指示する目的が実現され、端末のＭＦ技術方式における関連機能が実現される。ＭＦ技術方式に関する能力指示情報がＵＥのＥ−ＵＴＲＡ能力情報にないため、ＵＥのＭＦ技術方式における関連機能が実現できないという従来技術の問題を解決した。
【００７７】
Ｅ−ＵＴＲＡ能力情報のラジオ周波数パラメータにおいて、周波数帯リストによって、端末にサポートされるＴＤＤまたはＦＤＤ技術方式周波数帯を指示することができる。本開示の実施例において、端末は、Ｅ−ＵＴＲＡ能力情報のラジオ周波数パラメータにおける周波数帯リストによって、サポートされるＭＦ技術方式周波数帯を指示する。ここで、ＭＦ技術方式周波数帯の指示方式が２種類あり、すなわち、上記ステップ２０２は、２種類の方式で実現される。
方式１：
【００７８】
上記ステップ２０２は、ステップ２０２１を含んでもよい。ステップ２０２１において、ＭＦ技術方式とＬＡＡ技術方式で同一の周波数帯番号が使用される場合、ＵＥ能力情報メッセージのＥ−ＵＴＲＡ能力情報に含まれるラジオ周波数パラメータのうち、周波数帯番号と、ネットワークタイプを用いて、サポートされるＭＦ技術方式周波数帯を指示する。ここで、ネットワークタイプは、ＭＦ技術方式および／またはＬＡＡ技術方式を含む。
【００７９】
ＬＡＡ（Ｌｉｃｅｎｓｅｄ  Ａｓｓｉｓｔａｎｔ  Ａｃｃｅｓｓ）技術は、現在の３ＧＰＰ標準に導入されたものであって、アンライセンスバンドで使用される物理レイヤ技術である。ＭＦ技術とは異なり、ＬＡＡ搬送波は、アンライセンスバンドのサービングＵＥに独立に運用できず、キャリアアグリゲーション技術を採用してライセンスバンドの搬送波とＬＡＡ搬送波のアグリゲーションを行わなければならない。ここで、ライセンスバンド搬送波は、サービングＵＥのプライマリセル（ＰＣｅｌｌ）とし、ＬＡＡ搬送波は、サービングＵＥのセカンダリセル（ＳＣｅｌｌ）とする。
【００８０】
ここで、ＭＦ技術方式とＬＡＡ技術方式で同一のアンライセンス周波数帯番号、例えばＢａｎｄ  ４６が使用される場合、Ｅ−ＵＴＲＡ能力情報のラジオ周波数パラメータのうち、周波数帯番号と、ネットワークタイプを用いて、端末にサポートされるＭＦ技術方式周波数帯を指示する。このとき、Ｅ−ＵＴＲＡ能力情報のラジオ周波数パラメータの周波数帯リストでの周波数帯番号によって周波数帯情報を指示するほか、ネットワークタイプを追加して、当該周波数帯でサポートされる技術方式を指示する。ネットワークタイプは、ＭＦ技術方式および／またはＬＡＡ技術方式を含み、当該周波数帯についてＭＦ技術方式とＬＡＡ技術方式の一つまたは同時に両方をサポートすることを指示する。
方式２：
【００８１】
上記ステップ２０２は、ステップ２０２２を含んでもよい。ステップ２０２２において、ＭＦ技術方式とＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いて、サポートされるＭＦ技術方式周波数帯を指示する。
【００８２】
ここで、ＭＦ技術方式とＬＡＡ技術方式で異なる周波数帯番号が使用され、例えばＬＡＡ技術方式とＭＦ技術方式では、同一の周波数範囲（５１５０ＭＨｚ−５９２５ＭＨｚ）を有するＢａｎｄ  ４６、Ｂａｎｄ  ２５５がそれぞれ使用される場合、Ｅ−ＵＴＲＡ能力情報に含まれるラジオ周波数パラメータのうち、周波数帯番号を用いて、端末にサポートされるＭＦ技術方式周波数帯を指示する。このとき、周波数帯番号を使用すればＭＦ技術方式とＬＡＡ技術方式の周波数帯を区別することができるため、Ｅ−ＵＴＲＡ能力情報のラジオ周波数パラメータの周波数帯リストでの周波数帯番号を用いて、端末がサポートされるＭＦ技術方式周波数帯を指示することができる。
【００８３】
このとき、上記２種類の方式によって、端末からサポートされるＭＦ技術方式周波数帯を基地局に指示する目的が実現され、かつＭＦ技術方式の周波数帯とＬＡＡ技術方式の周波数帯を合理的に区別することができる。
【００８４】
本開示の実施例の端末能力指示方法において、端末は、サポートされるＭＦ技術方式周波数帯をＥ−ＵＴＲＡ能力情報のラジオ周波数パラメータで指示し、かつＭＦ技術方式の周波数帯とＬＡＡ技術方式の周波数帯を合理的に区別することができ、サポートされるＭＦ技術方式機能特徴をＥ−ＵＴＲＡ能力情報のＦＧＩパラメータで指示することによって、サポートされるＭＦ技術方式能力を指示する目的が実現され、端末のＭＦ技術方式における関連機能が実現される。ＭＦ技術方式に関する能力指示情報がＵＥのＥ−ＵＴＲＡ能力情報にないため、ＵＥのＭＦ技術方式における関連機能が実現できないという従来技術の問題を解決した。
実施例３
【００８５】
図３に示すように、本開示の実施例の端末能力指示方法は、端末に応用され、ステップ３０１、ステップ３０２および／またはステップ３０３、ステップ３０４を含む。
【００８６】
ステップ３０１において、ユーザ機器ＵＥ能力取得要求メッセージを基地局から受信する。
【００８７】
ここでＥ−ＵＴＲＡセルにアクセスする端末は、ＵＥ能力取得要求メッセージを基地局から受信すると、サポートされるＥ−ＵＴＲＡ能力情報を基地局にレポートする。
【００８８】
ステップ３０２において、サポートされるＭＦ技術方式周波数帯を、ＵＥ能力情報メッセージのＥ−ＵＴＲＡ能力情報に含まれるラジオ周波数パラメータで指示する。
【００８９】
ステップ３０３において、サポートされるＭＦ技術方式の測定機能特徴を、ＵＥ能力情報メッセージのＥ−ＵＴＲＡ能力情報に含まれるＦＧＩパラメータのうち、測定機能特徴を指示するビット情報および／または所定の空き状態のビット情報を用いて指示する。
【００９０】
端末は、端末の能力情報をＵＥ能力情報メッセージによって基地局にレポートする。ＵＥ能力情報メッセージのＥ−ＵＴＲＡ能力情報には、通常、端末にサポートされるＴＤＤとＦＤＤ技術方式能力を指示する情報が含まれる。
【００９１】
ここで、ＭＦ技術方式の導入によって別途に占有する空き状態のＦＧＩビットを節約するために、ＦＧＩの冗長情報量を使用し、ＦＧＩのうち、ＴＤＤとＦＤＤ技術方式の異周波数測定機能特徴を指示するビット情報を用いて、同時にＭＦ技術方式の異周波数測定機能特徴を指示し、または、空き状態のＦＧＩビット情報を用いて、ＭＦ技術方式の異周波数測定機能特徴を指示することによって、占有する空き状態のＦＧＩビットを節約する目的が実現される。
【００９２】
また、端末は、サポートされるＭＦ技術方式周波数帯を、Ｅ−ＵＴＲＡ能力情報に含まれるラジオ周波数パラメータで指示し、サポートされるＭＦ技術方式機能特徴を、Ｅ−ＵＴＲＡ能力情報に含まれるＦＧＩパラメータで指示することによって、サポートされるＭＦ技術方式能力を指示する目的が実現される。
【００９３】
ここで、ＭＦ技術方式機能特徴は、ＭＦ技術方式の異周波数測定機能特徴とＭＦ技術方式の異周波数切換機能特徴を含む。通常、異周波数測定機能特徴に対して端末がサポートする場合に限って、端末が対応する異周波数切換機能特徴に対してサポートする。具体的に、かかる異周波数測定機能特徴のビットを例えば１に設定する場合、すなわち、かかる異周波数測定機能特徴に対して端末がサポートすることをＦＧＩで指示する場合に限って、対応する異周波数切換機能特徴を例えば１に設定し、すなわち異周波数切換機能特徴に対して端末がサポートすることをＦＧＩで指示する。例えば、ＭＦ、ＴＤＤまたはＦＤＤ技術方式内の異周波数測定機能特徴を指示するビットが１である場合に限って、ＭＦ、ＴＤＤまたはＦＤＤ技術方式内の異周波数切換機能特徴のビットを１に設定する。
【００９４】
ここで、前記ＭＦ技術方式の異周波数測定機能特徴は、ＭＦ技術方式内の異周波数測定機能特徴、ＭＦ技術方式とＴＤＤまたはＦＤＤ技術方式の間の異周波数測定機能特徴を含む。
【００９５】
ＭＦ技術方式とＴＤＤまたはＦＤＤ技術方式との間の異周波数測定機能特徴は、ＭＦ技術方式におけるＴＤＤまたはＦＤＤ技術方式に対する異周波数測定機能特徴、ＴＤＤまたはＦＤＤ技術方式におけるＭＦ技術方式に対する異周波数測定機能特徴を含む。
【００９６】
ステップ３０４において、前記ＵＥ能力情報メッセージを前記基地局に送信する。
【００９７】
ここで、端末は、サポートされるＭＦ技術方式能力を指示するＵＥ能力情報メッセージを基地局にレポートすることによって、ＭＦ技術方式に関連する機能が実現される。
【００９８】
本開示の実施例の端末能力指示方法において、端末は、サポートされるＭＦ技術方式周波数帯を、Ｅ−ＵＴＲＡ能力情報のラジオ周波数パラメータで指示し、サポートされるＭＦ技術方式機能特徴を、Ｅ−ＵＴＲＡ能力情報のＦＧＩパラメータで指示することによって、サポートされるＭＦ技術方式能力を指示する目的が実現され、端末のＭＦ技術方式における関連機能が実現される。しかも、ＭＦ方式の導入によって占有するＦＧＩビットが増加することが避けられ、占有する空き状態ＦＧＩビットを節約する目的を達成した。ＭＦ技術方式に関する能力指示情報がＵＥのＥ−ＵＴＲＡ能力情報にないため、ＵＥのＭＦ技術方式における関連機能が実現できないという従来技術の問題を解決した。
【００９９】
選択可能に、Ｅ−ＵＴＲＡ能力情報のＦＧＩのうち例えばＢｉｔ  ２５を用いて、異周波数測定機能特徴を指示する。例えば、Ｂｉｔ  ２５が１である場合、端末にサポートされる異周波数の測定とレポートが可能であることを示し、ここで端末にサポートされる異周波数は、Ｅ−ＵＴＲＡ能力情報のラジオ周波数パラメータの周波数帯リストによって指示される。Ｂｉｔ  ２５を１に設定することによって、端末がＴＤＤ技術方式で対応可のＦＤＤ技術方式の周波数帯に対し測定とレポートを行う機能特徴、および、端末がＦＤＤ技術方式で対応可のＴＤＤ技術方式の周波数帯に対し測定とレポートを行う機能特徴を指示することもできる。
【０１００】
本開示の実施例において、端末は、ＦＧＩのうちのＢｉｔ  ２５またはＦＧＩのうちの空き状態のビットを用いて、端末がＭＦ技術方式で対応可のＭＦ技術方式の異周波数に対し測定とレポートを行う機能特徴、すなわちＭＦ技術方式内の異周波数測定機能特徴、または、端末がＭＦ技術方式で対応可のＴＤＤまたはＦＤＤ技術方式の周波数帯に対し測定とレポートを行う機能特徴、または、端末がＴＤＤまたはＦＤＤ技術方式で対応可のＭＦ技術方式の周波数帯に対し測定とレポートを行う機能特徴を指示する。以下、計７種類ある指示方式をそれぞれ説明する。
方式１：
【０１０１】
上記ステップ３０３は、下記ステップ３０３１を含んでもよい。ステップ３０３１において、端末は、ＵＥ能力情報メッセージのＥ−ＵＴＲＡ能力情報に含まれるＦＧＩパラメータのうち、所定の空き状態の第１ビット情報を用いて、サポートされるＭＦ技術方式内の異周波数測定機能特徴を指示し、所定の空き状態の第２ビット情報を用いて、サポートされるＭＦ技術方式とＴＤＤ技術方式の間の異周波数測定機能特徴を指示し、所定の空き状態の第３ビット情報を用いて、サポートされるＭＦ技術方式とＦＤＤ技術方式の間の異周波数測定機能特徴を指示する。
【０１０２】
この場合、ＦＧＩのうちの別途の３つのビット情報を用いて、ＭＦ技術方式内の異周波数測定機能特徴、ＭＦ技術方式とＴＤＤ技術方式との間の異周波数測定機能特徴、ＭＦ技術方式とＦＤＤ技術方式との間の異周波数測定機能特徴をそれぞれ指示して、他の情報への干渉を回避した。
方式２：
【０１０３】
上記ステップ３０３は、下記ステップ３０３２を含んでもよい。ステップ３０３２において、端末は、ＵＥ能力情報メッセージのＥ−ＵＴＲＡ能力情報に含まれるＦＧＩパラメータのうち、異周波数測定機能特徴を指示するビット情報を用いて、サポートされるＭＦ技術方式内の異周波数測定機能特徴を指示し、所定の空き状態の第２ビット情報を用いて、サポートされるＭＦ技術方式とＴＤＤ技術方式の間の異周波数測定機能特徴を指示し、所定の空き状態の第３ビット情報を用いて、サポートされるＭＦ技術方式とＦＤＤ技術方式の間の異周波数測定機能特徴を指示する。
【０１０４】
端末が同時にＭＦ技術方式、ＴＤＤ技術方式、ＦＤＤ技術方式にならないため、このような冗長情報を用いて、ＭＦ技術方式での機能特徴指示情報を例えばＢｉｔ  ２５のような一部のＦＧＩビットに携帯させる。
【０１０５】
ここで、ＦＧＩのうち、異周波数測定機能特徴を指示するビット情報、すなわちＢｉｔ  ２５を用いて、ＭＦ技術方式内の異周波数測定機能特徴を指示することによって、ＭＦ技術方式の導入によって空き状態のＦＧＩビットを別途に占有することを避け、占有する空き状態のＦＧＩビットを節約する。ＦＧＩのうち空き状態の２ビット情報を用いて、ＭＦ技術方式とＴＤＤ技術方式の間の異周波数測定機能特徴、ＭＦ技術方式とＦＤＤ技術方式の間の異周波数測定機能特徴を指示することによって、他の情報への干渉を避ける。
【０１０６】
ここで、端末がＭＦ技術方式である場合、ＦＧＩのうちのＢｉｔ  ２５は、端末がＭＦ技術方式で対応可のＭＦ技術方式の周波数帯に対し測定とレポートを行う機能特徴を指示する。端末は、ＭＦ技術方式からＴＤＤまたはＦＤＤ技術方式に変更した場合、ＦＧＩのうちのＢｉｔ  ２５は、端末のＴＤＤまたはＦＤＤ技術方式内の異周波数の測定とレポート、ＴＤＤ技術方式で対応可のＦＤＤ技術方式の周波数帯に対する測定とレポート、または、ＦＤＤ技術方式で対応可のＴＤＤ技術方式の周波数帯に対する測定とレポートの機能特徴を指示する。
【０１０７】
上記ＭＦ技術方式とＴＤＤ技術方式の間の異周波数測定機能特徴は、端末がＭＦ技術方式で対応可のＴＤＤ技術方式の周波数帯に対し測定とレポートを行う機能特徴、および、端末がＴＤＤ技術方式で対応可のＭＦ技術方式の周波数帯に対し測定とレポートを行う機能特徴を含む。
【０１０８】
上記ＭＦ技術方式とＦＤＤ技術方式の間の異周波数測定機能特徴は、端末がＭＦ技術方式で対応可のＦＤＤ技術方式の周波数帯に対し測定とレポートを行う機能特徴、および、端末がＦＤＤ技術方式で対応可のＭＦ技術方式の周波数帯に対し測定とレポートを行う機能特徴を含む。
【０１０９】
ＦＧＩ  Ｂｉｔ  ２５およびサポートされるＭＦ技術方式機能特徴を指示するための空き状態のＦＧＩビットは、ＴＤＤ、ＦＤＤまたはＦＤＤ技術方式の区分を必要としないため、すなわち、ＵＥにアクセス技術の変更があってもＦＧＩをあらためてレポートする必要がなく、サポートされる機能特徴をＦＧＩで指示する複雑度の増加が避けられる。
【０１１０】
例えば、下記表１のように、端末は、ＦＧＩのうちのＢｉｔ  ２５を用いて、サポートされるＴＤＤまたはＦＤＤ技術方式内の異周波数測定機能特徴、ＴＤＤとＦＤＤ技術方式の間の異周波数測定機能特徴を指示し、同時にサポートされるＭＦ技術方式内の異周波数測定機能特徴を指示する。ＦＧＩのうちの空き状態の例えばＢｉｔ  １３１を用いて、サポートされるＭＦとＴＤＤ技術方式の間の異周波数測定機能特徴を指示し、ＦＧＩのうちの空き状態の例えばＢｉｔ  １３２を用いて、ＭＦとＦＤＤ技術方式の間の異周波数測定機能特徴を指示する。
【０１１１】
【表１】
2019506063.tif 000003
方式３：
【０１１２】
上記ステップ３０３において、端末は、ＵＥ能力情報メッセージのＥ−ＵＴＲＡ能力情報に含まれるＦＧＩパラメータのうち、異周波数測定機能特徴を指示するビット情報を用いて、サポートされるＭＦ技術方式内の異周波数測定機能特徴およびＭＦ技術方式におけるＴＤＤまたはＦＤＤ技術方式に対する異周波数測定機能特徴を指示し、所定の空き状態の第３ビット情報を用いて、サポートされるＴＤＤまたはＦＤＤ技術方式におけるＭＦ技術方式に対する異周波数測定機能特徴を指示するステップ３０３３を含んでもよい。
【０１１３】
端末がＭＦ技術方式においてＴＤＤまたはＦＤＤ技術方式に対する測定に同一の特徴を有する場合、このような冗長情報を用いて、ＭＦ技術方式での機能特徴指示情報を一部のＦＧＩビットに携帯させる。例えば、Ｂｉｔ  ２５を用いて、同時に端末のＭＦ技術方式における異周波数測定機能特徴および端末のＴＤＤまたはＦＤＤ技術方式における異周波数測定機能特徴を指示する。
【０１１４】
ここで、ＦＧＩのうち、異周波数測定機能特徴を指示するビット情報、すなわちＢｉｔ  ２５を用いて、ＭＦ技術方式内の異周波数測定機能特徴、および、端末のＭＦ技術方式におけるＴＤＤまたはＦＤＤ技術方式に対する異周波数測定機能特徴を指示することによって、ＭＦ技術方式の導入によって空き状態のＦＧＩビットを別途に占有することを避け、占有する空き状態のＦＧＩビットを節約する。ＦＧＩのうち空き状態の１ビット情報を用いて、端末のＴＤＤまたはＦＤＤ技術方式におけるＭＦ技術方式に対する異周波数測定機能特徴を指示し、他の情報への干渉を避ける。
【０１１５】
ここで、端末が異なる方式である場合、ＦＧＩのＢｉｔ  ２５は、異なる機能特徴を指示する。端末がＭＦ技術方式である場合、ＦＧＩ  Ｂｉｔ  ２５は、端末がＭＦ技術方式で対応可のＭＦ技術方式の周波数帯に対し測定とレポートを行う機能特徴、および、端末がＭＦ技術方式で対応可のＴＤＤまたはＦＤＤ技術方式の周波数帯に対し測定とレポートを行う機能特徴を指示する。端末は、ＭＦ技術方式からＴＤＤまたはＦＤＤ技術方式に変更した場合、ＦＧＩ  Ｂｉｔ  ２５は、端末のＴＤＤ技術方式で対応可のＦＤＤ技術方式の周波数帯に対する測定とレポート、または、ＦＤＤ技術方式で対応可のＴＤＤ周波数帯に対する測定とレポートの機能特徴を指示する。
【０１１６】
ＦＧＩ  Ｂｉｔ  ２５およびサポートされるＭＦ技術方式機能特徴を指示するための空き状態のＦＧＩビットは、ＴＤＤ、ＦＤＤまたはＦＤＤ技術方式の区分を必要としないため、すなわち、ＵＥにアクセス技術の変更があってもＦＧＩをあらためてレポートする必要がなく、サポートされる機能特徴をＦＧＩで指示する複雑度の増加が避けられる。
【０１１７】
例えば、下記表２のように、端末は、ＦＧＩのうちのＢｉｔ  ２５を用いて、サポートされるＴＤＤまたはＦＤＤ技術方式内の異周波数測定機能特徴、ＴＤＤとＦＤＤ技術方式の間の異周波数測定機能特徴、サポートされるＭＦ技術方式内の異周波数測定機能特徴および端末がＭＦ技術方式においてＴＤＤまたはＦＤＤ技術方式に対する異周波数測定機能特徴を指示する。ＦＧＩのうちの空き状態のＢｉｔ  １３２を用いて、端末のＴＤＤまたはＦＤＤ技術方式においてＭＦ技術方式に対する異周波数測定機能特徴を指示する。
【０１１８】
【表２】
2019506063.tif 000004
方式４：
【０１１９】
上記ステップ３０３において、端末は、ＵＥ能力情報メッセージのＥ−ＵＴＲＡ能力情報に含まれるＦＧＩパラメータのうち、異周波数測定機能特徴を指示するビット情報を用いて、サポートされるＭＦ技術方式内の異周波数測定機能特徴を指示し、所定の空き状態の第３ビット情報を用いて、サポートされるＭＦ技術方式とＴＤＤまたはＦＤＤ技術方式の間の異周波数測定機能特徴を指示するステップ３０３４を含んでもよい。
【０１２０】
端末がＭＦ技術方式においてＴＤＤまたはＦＤＤ技術方式に対する測定に同一の特徴を有する場合、このような冗長情報を用いて、一部の空き状態のＦＧＩビットを節約することができる。例えば、別途に１つのＦＧＩビットを用いて、同時に端末のＭＦ技術方式とＴＤＤまたはＦＤＤ技術方式の間の異周波数測定機能特徴を指示する。
【０１２１】
ここで、ＦＧＩのうち、異周波数測定機能特徴を指示するビット情報、すなわちＢｉｔ  ２５を用いて、ＭＦ技術方式内の異周波数測定機能特徴を指示し、同一の空き状態のビット情報を用いて、ＭＦ技術方式とＴＤＤまたはＦＤＤ技術方式の間の異周波数測定機能特徴を指示することによって、ＭＦ技術方式の導入によって空き状態のＦＧＩビットを別途に占有することを避け、占有する空き状態のＦＧＩビットを節約する。
【０１２２】
ＦＧＩ  Ｂｉｔ  ２５およびサポートされるＭＦ技術方式機能特徴を指示するための空き状態のＦＧＩビットは、ＴＤＤ、ＦＤＤまたはＦＤＤ技術方式の区分を必要としないため、すなわち、ＵＥにアクセス技術の変更があってもＦＧＩをあらためてレポートする必要がなく、サポートされる機能特徴をＦＧＩで指示する複雑度の増加が避けられる。
【０１２３】
例えば、下記表３のように、端末は、ＦＧＩのうちのＢｉｔ  ２５を用いて、サポートされるＴＤＤまたはＦＤＤ技術方式内の異周波数測定機能特徴、ＴＤＤとＦＤＤ技術方式の間の異周波数測定機能特徴、サポートされるＭＦ技術方式内の異周波数測定機能特徴を指示する。ＦＧＩのうちの空き状態のＢｉｔ  １３２を用いて、サポートされるＭＦとＴＤＤ技術方式との間の異周波数測定機能特徴、ＭＦとＦＤＤ技術方式との間の異周波数測定機能特徴を指示する。
【０１２４】
【表３】
2019506063.tif 000005
方式５：
【０１２５】
上記ステップ３０３において、端末は、ＵＥ能力情報メッセージのＥ−ＵＴＲＡ能力情報に含まれるＦＧＩパラメータのうち、異周波数測定機能特徴を指示するビット情報を用いて、サポートされるＭＦ技術方式内の異周波数測定機能特徴およびＭＦ技術方式とＴＤＤ技術方式の間の異周波数測定機能特徴を指示し、所定の空き状態の第３ビット情報を用いて、サポートされるＭＦ技術方式とＦＤＤ技術方式の間の異周波数測定機能特徴を指示するステップ３０３５を含んでもよい。
【０１２６】
端末がＴＤＤ技術方式においてＭＦとＦＤＤ技術方式に対し同一の測定機能特徴を有する場合、このような冗長情報を用いて、空き状態のＦＧＩビットを節約することができる。例えば、ＦＧＩ  Ｂｉｔ  ２５を用いて、同時に端末のＭＦ技術方式内の異周波数測定機能特徴および端末のＭＦ技術方式とＴＤＤ技術方式の間の異周波数測定機能特徴を指示する。
【０１２７】
ここで、ＦＧＩのうち、異周波数測定機能特徴を指示するビット情報、すなわちＢｉｔ  ２５を用いて、ＭＦ技術方式内の異周波数測定機能特徴、および、ＭＦ技術方式とＴＤＤ技術方式の間の異周波数測定機能特徴を指示することによって、ＭＦ技術方式の導入によって空き状態のＦＧＩビットを別途に占有することを避け、占有する空き状態のＦＧＩビットを節約する。ＦＧＩのうち空き状態の１ビット情報を用いて、ＭＦ技術方式とＦＤＤ技術方式の間の異周波数測定機能特徴を指示し、他の情報への干渉を避ける。
【０１２８】
ここで、端末が異なる方式である場合、ＦＧＩのＢｉｔ  ２５は、異なる機能特徴を指示する。端末がＭＦ技術方式である場合、ＦＧＩ  Ｂｉｔ  ２５は、端末にサポートされるＭＦ技術方式の周波数帯に対し測定とレポートを行う機能特徴、および、サポートされるＴＤＤ技術方式の周波数帯に対し測定とレポートを行う機能特徴を指示する。端末は、ＭＦ技術方式からＴＤＤ技術方式に変更した場合、ＦＧＩ  Ｂｉｔ  ２５は、端末のサポートされるＦＤＤ技術方式の周波数帯またはＭＦ技術方式の周波数帯に対する測定とレポートの機能特徴を指示する。端末がＦＤＤ技術方式である場合、ＦＧＩ  Ｂｉｔ  ２５は、端末にサポートされるＴＤＤ技術方式の周波数帯に対し測定とレポートを行う機能特徴を指示する。
【０１２９】
ＦＧＩ  Ｂｉｔ  ２５およびサポートされるＭＦ技術方式機能特徴を指示するための空き状態のＦＧＩビットは、ＴＤＤ、ＦＤＤまたはＦＤＤ技術方式の区分を必要としないため、すなわち、ＵＥにアクセス技術の変更があってもＦＧＩをあらためてレポートする必要がなく、サポートされる機能特徴をＦＧＩで指示する複雑度の増加が避けられる。
【０１３０】
例えば、下記表４のように、端末は、ＦＧＩのうちのＢｉｔ  ２５を用いて、サポートされるＴＤＤまたはＦＤＤ技術方式内の異周波数測定機能特徴、ＴＤＤとＦＤＤ技術方式の間の異周波数測定機能特徴、ＭＦ技術方式内の異周波数測定機能特徴、ＭＦとＴＤＤ技術方式の間の異周波数測定機能特徴を指示する。ＦＧＩのうちの空き状態のＢｉｔ  １３２を用いて、ＭＦとＦＤＤ技術方式の間の異周波数測定機能特徴を指示する。
【０１３１】
【表４】
2019506063.tif 000006
方式６：
【０１３２】
上記ステップ３０３において、端末は、ＵＥ能力情報メッセージのＥ−ＵＴＲＡ能力情報に含まれるＦＧＩパラメータのうち、異周波数測定機能特徴を指示するビット情報を用いて、サポートされるＭＦ技術方式内の測定機能特徴およびＭＦ技術方式とＦＤＤ技術方式の間の異周波数測定機能特徴を指示し、所定の空き状態の第３ビット情報を用いて、サポートされるＭＦ技術方式とＴＤＤ技術方式の間の異周波数測定機能特徴を指示するステップ３０３６を含んでもよい。
【０１３３】
端末がＦＤＤ技術方式においてＭＦとＴＤＤ技術方式に対し同一の測定機能特徴を有する場合、このような冗長情報を用いて、空き状態のＦＧＩビットを節約することができる。例えば、ＦＧＩ  Ｂｉｔ  ２５を用いて、同時に端末のＭＦ技術方式内の異周波数測定機能特徴および端末のＭＦ技術方式とＦＤＤ技術方式の間の異周波数測定機能特徴を指示する。
【０１３４】
ここで、ＦＧＩのうち、異周波数測定機能特徴を指示するビット情報、すなわちＢｉｔ  ２５を用いて、ＭＦ技術方式内の異周波数測定機能特徴、および、ＭＦ技術方式とＦＤＤ技術方式の間の異周波数測定機能特徴を指示することによって、ＭＦ技術方式の導入によって空き状態のＦＧＩビットを別途に占有することを避け、占有する空き状態のＦＧＩビットを節約する。ＦＧＩのうち空き状態の１ビット情報を用いて、ＭＦ技術方式とＴＤＤ技術方式の間の異周波数測定機能特徴を指示し、他の情報への干渉を避ける。
【０１３５】
ここで、端末が異なる方式である場合、ＦＧＩのＢｉｔ  ２５は、異なる機能特徴を指示する。端末がＭＦ技術方式である場合、ＦＧＩ  Ｂｉｔ  ２５は、端末にサポートされるＭＦ技術方式の周波数帯に対し測定とレポートを行う機能特徴、および、サポートされるＦＤＤ技術方式の周波数帯に対し測定とレポートを行う機能特徴を指示する。端末は、ＭＦ技術方式からＦＤＤ技術方式に変更した場合、ＦＧＩ  Ｂｉｔ  ２５は、端末のサポートされるＴＤＤ技術方式の周波数帯またはＭＦ技術方式の周波数帯に対する測定とレポートの機能特徴を指示する。端末がＴＤＤ技術方式である場合、ＦＧＩ  Ｂｉｔ  ２５は、端末にサポートされるＦＤＤ技術方式の周波数帯に対し測定とレポートを行う機能特徴を指示する。
【０１３６】
ＦＧＩ  Ｂｉｔ  ２５およびサポートされるＭＦ技術方式機能特徴を指示するための空き状態のＦＧＩビットは、ＴＤＤ、ＦＤＤまたはＦＤＤ技術方式の区分を必要としないため、すなわち、ＵＥにアクセス技術の変更があってもＦＧＩをあらためてレポートする必要がなく、サポートされる機能特徴をＦＧＩで指示する複雑度の増加が避けられる。
【０１３７】
例えば、下記表５のように、端末は、ＦＧＩのうちのＢｉｔ  ２５を用いて、サポートされるＴＤＤまたはＦＤＤ技術方式内の異周波数測定機能特徴、ＴＤＤとＦＤＤ技術方式の間の異周波数測定機能特徴、ＭＦ技術方式内の異周波数測定機能特徴、ＭＦとＦＤＤ技術方式の間の異周波数測定機能特徴を指示する。ＦＧＩのうちの空き状態のＢｉｔ  １３２を用いて、ＭＦとＴＤＤ技術方式の間の異周波数測定機能特徴を指示する。
【０１３８】
【表５】
2019506063.tif 000007
方式７：
【０１３９】
上記ステップ３０３において、端末は、ＵＥ能力情報メッセージのＥ−ＵＴＲＡ能力情報に含まれるＦＧＩパラメータのうち、異周波数測定機能特徴を指示するビット情報を用いて、サポートされるＭＦ技術方式内の異周波数測定機能特徴、ＭＦ技術方式とＴＤＤまたはＦＤＤ技術方式の間の異周波数測定機能特徴を指示するステップ３０３７を含む。
【０１４０】
ここで、ＦＧＩパラメータのうち異周波数測定機能特徴を指示するビット情報、すなわちＢｉｔ  ２５を用いて、ＭＦ技術方式内の異周波数測定機能特徴、ＭＦ技術方式とＴＤＤまたはＦＤＤ技術方式の間の異周波数測定機能特徴を指示する。この方式は、空き状態のＦＧＩビットを最も節約する。
【０１４１】
この場合、ＦＧＩ  Ｂｉｔ  ２５は、端末の任意方式（ＴＤＤ／ＦＤＤ／ＭＦ）での異周波数測定機能特徴を指示し、すなわち、端末が任意方式（ＴＤＤ／ＦＤＤ／ＭＦ）においてサポートされる任意方式の周波数帯に対し測定とレポートを行う機能特徴を指示する。ＦＧＩ  Ｂｉｔ  ２５を１に設定することは、端末が、サポートされる任意の周波数帯に対し測定とレポートを行うことができることを示す。
【０１４２】
例えば、下記表６のように、端末は、ＦＧＩのうちのＢｉｔ  ２５を用いて、サポートされるＴＤＤまたはＦＤＤ技術方式内の異周波数測定機能特徴、ＴＤＤとＦＤＤ技術方式の間の異周波数測定機能特徴、ＭＦ技術方式内の異周波数測定機能特徴、ＭＦとＴＤＤ技術方式の間の異周波数測定機能特徴、ＭＦとＦＤＤ技術方式の間の異周波数測定機能特徴を指示する。
【０１４３】
【表６】
2019506063.tif 000008
【０１４４】
以上の記載をまとめると、本開示の実施例の端末能力指示方法において、端末がＥ−ＵＴＲＡ能力情報のラジオ周波数パラメータでサポートされるＭＦ技術方式周波数帯を指示し、Ｅ−ＵＴＲＡ能力情報のＦＧＩパラメータでサポートされるＭＦ技術方式機能特徴を指示することによって、サポートされるＭＦ技術方式能力を指示する目的が実現され、端末のＭＦ技術方式における関連機能が実現される。しかも、ＭＦ方式の導入によって占有するＦＧＩビットが増加することが避けられ、占有する空き状態ＦＧＩビットを節約する目的が達成された。ＭＦ技術方式に関する能力指示情報がＵＥのＥ−ＵＴＲＡ能力情報にないため、ＵＥのＭＦ技術方式における関連機能が実現できないという従来技術の問題を解決した。
実施例４
【０１４５】
図４に示すように、本開示の実施例の端末能力指示方法は、端末に応用され、ステップ４０１、ステップ４０２および／またはステップ４０３、ステップ４０４を含む。
【０１４６】
ステップ４０１において、ユーザ機器ＵＥ能力取得要求メッセージを基地局から受信する。
【０１４７】
ここで、Ｅ−ＵＴＲＡセルにアクセスする端末は、ＵＥ能力取得要求メッセージを基地局から受信すると、サポートされるＥ−ＵＴＲＡ能力情報を基地局にレポートする必要がある。
【０１４８】
ステップ４０２において、サポートされるＭＦ技術方式周波数帯を、ＵＥ能力情報メッセージのＥ−ＵＴＲＡ能力情報に含まれるラジオ周波数パラメータで指示する。
【０１４９】
ステップ４０３において、サポートされるＭＦ技術方式の切換機能特徴を、ＵＥ能力情報メッセージのＥ−ＵＴＲＡ能力情報に含まれるＦＧＩパラメータのうち、切換機能特徴を指示するビット情報および／または所定の空き状態のビット情報を用いて指示する。
【０１５０】
端末は、端末の能力情報をＵＥ能力情報メッセージによって基地局にレポートする。ＵＥ能力情報メッセージのＥ−ＵＴＲＡ能力情報には、通常、端末にサポートされるＴＤＤとＦＤＤ技術方式能力を指示する情報が含まれる。
【０１５１】
ここで、ＭＦ技術方式の導入によって別途に占有する空き状態のＦＧＩビットを節約するために、ＦＧＩの冗長情報量を使用し、ＦＧＩのうち、ＴＤＤとＦＤＤ技術方式の異周波数切換機能特徴を指示するビット情報を用いて、同時にＭＦ技術方式の異周波数切換機能特徴を指示し、または、空き状態のＦＧＩビット情報を用いて、ＭＦ技術方式の異周波数切換機能特徴を指示することによって、占有する空き状態のＦＧＩビットを節約する目的を実現する。
【０１５２】
また、端末は、サポートされるＭＦ技術方式周波数帯を、Ｅ−ＵＴＲＡ能力情報に含まれるラジオ周波数パラメータで指示し、サポートされるＭＦ技術方式機能特徴を、Ｅ−ＵＴＲＡ能力情報に含まれるＦＧＩパラメータで指示することによって、サポートされるＭＦ技術方式能力を指示する目的を実現する。
【０１５３】
ここで、ＭＦ技術方式機能特徴は、ＭＦ技術方式の異周波数測定機能特徴とＭＦ技術方式の異周波数切換機能特徴を含む。通常、端末は、切換機能特徴は、かかる測定機能特徴に対して端末がサポートする場合に限って、端末がサポートすることになる。具体的に、かかる測定機能特徴のビットを例えば１に設定する場合、すなわち、かかる測定機能特徴に対して端末がサポートすることをＦＧＩで指示する場合に限って、対応する切換機能特徴のビットを１に設定し、すなわち、対応する切換機能特徴に対して端末がサポートすることをＦＧＩで指示する。例えば、ＭＦ、ＴＤＤまたはＦＤＤ技術方式内の異周波数測定機能特徴を指示するビットが１である場合に限って、対応するＭＦ、ＴＤＤまたはＦＤＤ技術方式内の異周波数切換機能特徴のビットを１に設定する。
【０１５４】
ここで、前記異周波数切換機能特徴を指示するビット情報は、方式内の異周波数切換機能特徴を指示するビット情報と方式間の異周波数切換機能特徴を指示するビット情報を含む。前記ＭＦ技術方式の異周波数切換機能特徴は、ＭＦ技術方式内の異周波数切換機能特徴、ＭＦ技術方式とＴＤＤまたはＦＤＤ技術方式の間の異周波数切換機能特徴を含む。
【０１５５】
ＭＦネットワーク方式とＴＤＤまたはＦＤＤ技術方式との間の異周波数切換機能特徴は、ＭＦネットワーク方式からＴＤＤまたはＦＤＤ技術方式に切り替える異周波数切換機能特徴、ＴＤＤまたはＦＤＤ技術方式からＭＦネットワーク方式に切り替える異周波数切換機能特徴を含む。
【０１５６】
ステップ４０４において、前記ＵＥ能力情報メッセージを前記基地局に送信する。
【０１５７】
ここで、端末は、サポートされるＭＦ技術方式能力を指示するＵＥ能力情報メッセージを基地局にレポートすることによって、ＭＦ技術方式に関連する機能が実現される。
【０１５８】
本開示の実施例の端末能力指示方法において、端末は、サポートされるＭＦ技術方式周波数帯を、Ｅ−ＵＴＲＡ能力情報のラジオ周波数パラメータで指示し、サポートされるＭＦ技術方式機能特徴を、Ｅ−ＵＴＲＡ能力情報のＦＧＩパラメータで指示することによって、サポートされるＭＦ技術方式能力を指示する目的が実現され、端末のＭＦ技術方式における関連機能が実現される。しかも、ＭＦ方式の導入によって占有するＦＧＩビットが増加することが避けられ、占有する空き状態ＦＧＩビットを節約する目的が達成された。ＭＦ技術方式に関する能力指示情報がＵＥのＥ−ＵＴＲＡ能力情報にないため、ＵＥのＭＦ技術方式における関連機能が実現できないという従来技術の問題を解決した。
【０１５９】
通常、Ｅ−ＵＴＲＡ能力情報のＦＧＩのうち、Ｂｉｔ  １３を用いて方式内（ＦＤＤ技術方式またはＴＤＤ技術方式内）の異周波数切換機能特徴を指示し、Ｂｉｔ  ３０を用いて方式間（ＦＤＤ技術方式とＴＤＤ技術方式間）の異周波数切換機能特徴を指示する。
【０１６０】
本開示の実施例において、端末は、ＦＧＩのうちのＢｉｔ  １３または空き状態のビットを用いて、端末のＭＦ技術方式内の異周波数切換機能特徴を指示し、Ｂｉｔ  ３０または空き状態のビットを用いて、ＭＦ技術方式とＦＤＤまたはＴＤＤ技術方式の間の異周波数切換機能特徴を指示する。計７種類ある指示方式を以下それぞれ説明する。
方式１：
【０１６１】
上記ステップ４０３において、端末は、ＵＥ能力情報メッセージのＥ−ＵＴＲＡ能力情報に含まれるＦＧＩパラメータのうち、所定の空き状態の第４ビット情報を用いて、サポートされるＭＦ技術方式内の異周波数切換機能特徴を指示し、所定の空き状態の第５ビット情報を用いて、サポートされるＭＦ技術方式とＴＤＤ技術方式の間の異周波数切換機能特徴を指示し、所定の空き状態の第６ビット情報を用いて、サポートされるＭＦ技術方式とＦＤＤ技術方式の間の異周波数切換機能特徴を指示するステップ４０３１を含む。
【０１６２】
この場合、ＦＧＩのうちの別途の３つのビット情報を用いて、ＭＦ技術方式内の異周波数切換機能特徴、ＭＦ技術方式とＴＤＤ技術方式との間の異周波数切換機能特徴、ＭＦ技術方式とＦＤＤ技術方式との間の異周波数切換機能特徴をそれぞれ指示して、他の情報への干渉を回避する。
方式２：
【０１６３】
上記ステップ４０３において、端末は、ＵＥ能力情報メッセージのＥ−ＵＴＲＡ能力情報に含まれるＦＧＩパラメータのうち、方式内の異周波数切換機能特徴を指示するビット情報を用いて、サポートされるＭＦ技術方式内の異周波数切換機能特徴を指示し、所定の空き状態の第５ビット情報を用いて、サポートされるＭＦ技術方式とＴＤＤ技術方式の間の異周波数切換機能特徴を指示し、所定の空き状態の第６ビット情報を用いて、サポートされるＭＦ技術方式とＦＤＤ技術方式の間の異周波数切換機能特徴を指示するステップ４０３２を含む。
【０１６４】
端末が同時にＭＦ技術方式、ＴＤＤ技術方式、ＦＤＤ技術方式にならないため、このような冗長情報を用いて、ＭＦ技術方式での機能特徴指示情報を一部のＦＧＩビットに携帯させる。
【０１６５】
ここで、ＦＧＩのうち、方式内の異周波数切換機能特徴を指示するビット情報、すなわちＢｉｔ  １３を用いて、ＭＦ技術方式内の異周波数切換機能特徴を指示することによって、ＭＦ技術方式の導入によって空き状態のＦＧＩビットを別途に占有することを避け、占有する空き状態のＦＧＩビットを節約する。ＦＧＩのうち空き状態の２ビット情報を用いて、ＭＦ技術方式とＴＤＤ技術方式の間の異周波数切換機能特徴、ＭＦ技術方式とＦＤＤ技術方式の間の異周波数切換機能特徴を指示し、他の情報への干渉を避ける。
【０１６６】
ここで、端末がＭＦ技術方式である場合、ＦＧＩのうちのＢｉｔ  １３は、端末のＭＦ技術方式内の異周波数切換機能特徴を指示する。端末は、ＭＦ技術方式からＴＤＤまたはＦＤＤ技術方式に変更した場合、ＦＧＩ  Ｂｉｔ  １３は、端末のＴＤＤ技術方式内の異周波数切換機能特徴、またはＦＤＤ技術方式内の異周波数切換機能特徴を指示する。
【０１６７】
上記端末のＭＦ技術方式とＴＤＤ技術方式の間の異周波数切換機能特徴は、端末がＭＦ技術方式からＴＤＤ技術方式に切り替える異周波数切換機能特徴、および、端末がＴＤＤ技術方式からＭＦ技術方式に切り替える異周波数切換機能特徴を含む。
【０１６８】
上記端末のＭＦ技術方式とＦＤＤ技術方式の間の異周波数切換機能特徴は、端末がＭＦ技術方式からＦＤＤ技術方式に切り替える異周波数切換機能特徴、および、端末がＦＤＤ技術方式からＭＦ技術方式に切り替える異周波数切換機能特徴を含む。
【０１６９】
例えば、下記表７のように、端末は、ＦＧＩのうちのＢｉｔ  １３を用いて、ＴＤＤ技術方式内の異周波数切換機能特徴、ＦＤＤ技術方式内の異周波数切換機能特徴、ＭＦ技術方式内の異周波数切換機能特徴を指示する。Ｂｉｔ  ３０を用いて、ＴＤＤとＦＤＤ技術方式の間の異周波数切換機能特徴を指示する。ＦＧＩのうちの空き状態の例えばＢｉｔ  １３１を用いて、ＭＦとＴＤＤ技術方式の間の異周波数切換機能特徴を指示し、ＦＧＩのうちの空き状態の例えばＢｉｔ  １３２を用いて、ＭＦとＦＤＤ技術方式の間の異周波数切換機能特徴を指示する。
【０１７０】
【表７】
2019506063.tif 000009
方式３：
【０１７１】
上記ステップ４０３において、端末は、ＵＥ能力情報メッセージのＥ−ＵＴＲＡ能力情報に含まれるＦＧＩパラメータのうち、方式内の異周波数切換機能特徴を指示するビット情報を用いて、サポートされるＭＦ技術方式内の異周波数切換機能特徴を指示し、方式間の異周波数切換機能特徴を指示するビット情報を用いて、サポートされるＭＦ技術方式からＴＤＤまたはＦＤＤ技術方式に切り替える異周波数切換機能特徴を指示し、所定の空き状態の第６ビット情報を用いて、サポートされるＴＤＤまたはＦＤＤ技術方式からＭＦ技術方式に切り替える異周波数切換機能特徴を指示するステップ４０３３を含む。
【０１７２】
端末がＭＦ技術方式においてＴＤＤまたはＦＤＤ技術方式に対し同一の切換特徴を有する場合、このような冗長情報を用いて、ＭＦ技術方式での機能特徴指示情報を一部のＦＧＩビットに携帯させる。例えば、Ｂｉｔ  ３０を用いて、同時に端末がＭＦ技術方式からＴＤＤまたはＦＤＤ技術方式に切り替える異周波数切換機能特徴を指示する。
【０１７３】
ここで、ＦＧＩのうち、方式内の異周波数切換機能特徴を指示するビット情報、すなわちＢｉｔ  １３を用いて、ＭＦ技術方式内の異周波数切換機能特徴を指示し、方式間の異周波数切換機能特徴を指示するビット情報、すなわちＢｉｔ  ３０を用いて、ＭＦ技術方式からＴＤＤまたはＦＤＤ技術方式に切り替える異周波数切換機能特徴を指示することによって、ＭＦ技術方式の導入によって空き状態のＦＧＩビットを別途に占有することを避け、占有する空き状態のＦＧＩビットを節約する。ＦＧＩのうち空き状態の１ビット情報を用いて、ＴＤＤまたはＦＤＤ技術方式からＭＦ技術方式に切り替える異周波数切換機能特徴を指示し、他の情報への干渉を避ける。
【０１７４】
ここで、端末がＭＦ技術方式である場合、ＦＧＩ  Ｂｉｔ  ３０は、端末がＭＦ技術方式からＴＤＤまたはＦＤＤ技術方式に切り替える異周波数切換機能特徴を指示する。端末は、ＭＦ技術方式からＴＤＤまたはＦＤＤ技術方式に変更した場合、ＦＧＩ  Ｂｉｔ  ３０は、端末がＴＤＤ技術方式からＦＤＤ技術方式に切り替える異周波数切換機能特徴、または、ＦＤＤ技術方式からＴＤＤ技術方式に切り替える異周波数切換機能特徴を指示する。
【０１７５】
例えば、下記表８のように、端末は、ＦＧＩのうちのＢｉｔ  １３を用いて、ＴＤＤ技術方式内の異周波数切換機能特徴、ＦＤＤ技術方式内の異周波数切換機能特徴、ＭＦ技術方式内の異周波数切換機能特徴を指示する。Ｂｉｔ  ３０を用いて、ＴＤＤとＦＤＤ技術方式の間の異周波数切換機能特徴、ＭＦ技術方式からＴＤＤまたはＦＤＤ技術方式に切り替える異周波数切換機能特徴を指示する。ＦＧＩのうちの空き状態のＢｉｔ  １３２を用いて、ＴＤＤまたはＦＤＤ技術方式からＭＦ技術方式に切り替える異周波数切換機能特徴を指示する。
【０１７６】
【表８】
2019506063.tif 000010
方式４：
【０１７７】
上記ステップ４０３において、端末は、ＵＥ能力情報メッセージのＥ−ＵＴＲＡ能力情報に含まれるＦＧＩパラメータのうち、方式内の異周波数切換機能特徴を指示するビット情報を用いて、サポートされるＭＦ技術方式内の異周波数切換機能特徴を指示し、所定の空き状態の第６ビット情報を用いて、サポートされるＭＦ技術方式とＴＤＤまたはＦＤＤ技術方式の間の異周波数切換機能特徴を指示するステップ４０３４を含んでもよい。
【０１７８】
端末がＭＦ技術方式においてＴＤＤまたはＦＤＤ技術方式に対し同一の切換特徴を有する場合、このような冗長情報を用いて、一部の空き状態のＦＧＩビットを節約することができる。例えば、別途に１つのＦＧＩビットを用いて、同時に端末のＭＦ技術方式とＴＤＤまたはＦＤＤ技術方式の間の異周波数切換機能特徴を指示する。
【０１７９】
ここで、ＦＧＩのうち、方式内の異周波数切換機能特徴を指示するビット情報、すなわちＢｉｔ  １３を用いて、ＭＦ技術方式内の異周波数切換機能特徴を指示し、同一の空き状態のビット情報を用いて、ＭＦ技術方式とＴＤＤまたはＦＤＤ技術方式の間の異周波数切換機能特徴を指示することによって、ＭＦ技術方式の導入によって空き状態のＦＧＩビットを別途に占有することを避け、占有する空き状態のＦＧＩビットを節約する。
【０１８０】
例えば、下記表９のように、端末は、ＦＧＩのうちのＢｉｔ  １３を用いて、ＴＤＤ技術方式内の異周波数切換機能特徴、ＦＤＤ技術方式内の異周波数切換機能特徴、ＭＦ技術方式内の切換機能特徴を指示する。Ｂｉｔ  ３０を用いて、ＴＤＤとＦＤＤ技術方式の間の異周波数切換機能特徴を指示する。ＦＧＩのうちの空き状態のＢｉｔ  １３２を用いて、ＭＦ技術方式からＴＤＤまたはＦＤＤ技術方式に切り替える異周波数切換機能特徴、ＴＤＤまたはＦＤＤ技術方式からＭＦ技術方式に切り替える異周波数切換機能特徴を指示する。
【０１８１】
【表９】
2019506063.tif 000011
方式５：
【０１８２】
上記ステップ４０３において、端末は、ＵＥ能力情報メッセージのＥ−ＵＴＲＡ能力情報に含まれるＦＧＩパラメータのうち、方式内の異周波数切換機能特徴を指示するビット情報を用いて、サポートされるＭＦ技術方式内の異周波数切換機能特徴を指示し、方式間の異周波数切換機能特徴を指示するビット情報を用いて、サポートされるＭＦ技術方式とＴＤＤ技術方式の間の異周波数切換機能特徴を指示し、所定の空き状態の第６ビット情報を用いて、サポートされるＭＦ技術方式とＦＤＤ技術方式の間の異周波数切換機能特徴を指示するステップ４０３５を含んでもよい。
【０１８３】
端末がＴＤＤ技術方式においてＭＦとＦＤＤ技術方式に対し同一の切換機能特徴を有する場合、このような冗長情報を用いて、空き状態のＦＧＩビットを節約することができる。例えば、ＦＧＩ  Ｂｉｔ  ３０を用いて、同時に端末のＭＦ技術方式とＴＤＤ技術方式の間の異周波数切換機能特徴を指示する。
【０１８４】
ここで、ＦＧＩのうち、方式内の異周波数切換機能特徴を指示するビット情報、すなわちＢｉｔ  １３を用いて、ＭＦ技術方式内の異周波数切換機能特徴を指示し、方式間の異周波数切換機能特徴を指示するビット情報、すなわちＢｉｔ  ３０を用いて、ＭＦ技術方式とＴＤＤ技術方式の間の異周波数切換機能特徴を指示することによって、ＭＦ技術方式の導入によって空き状態のＦＧＩビットを別途に占有することを避け、占有する空き状態のＦＧＩビットを節約する。ＦＧＩのうち空き状態の１ビット情報を用いて、ＭＦ技術方式とＦＤＤ技術方式の間の異周波数切換機能特徴を指示し、他の情報への干渉を避ける。
【０１８５】
ここで、端末が異なる方式である場合、ＦＧＩのＢｉｔ  ３０は、異なる機能特徴を指示する。端末がＭＦ技術方式である場合、ＦＧＩ  Ｂｉｔ  ３０は、端末がＭＦ技術方式からＴＤＤ技術方式の周波数帯に切り替える機能特徴を指示する。端末は、ＭＦ技術方式からＴＤＤ技術方式に変更した場合、ＦＧＩ  Ｂｉｔ  ３０は、端末がＴＤＤ技術方式からＦＤＤ技術方式またはＭＦ技術方式の周波数帯に切り替える機能特徴を指示する。端末がＦＤＤ技術方式である場合、ＦＧＩ  Ｂｉｔ  ３０は、端末がＦＤＤ技術方式からＴＤＤ技術方式の周波数帯に切り替える機能特徴を指示する。
【０１８６】
例えば、下記表１０のように、端末は、ＦＧＩのうちのＢｉｔ  １３を用いて、ＴＤＤ技術方式内の異周波数切換機能特徴、ＦＤＤ技術方式内の異周波数切換機能特徴、ＭＦ技術方式内の異周波数切換機能特徴を指示する。Ｂｉｔ  ３０を用いて、ＴＤＤとＦＤＤ技術方式の間の異周波数切換機能特徴、ＭＦとＴＤＤ技術方式の間の異周波数切換機能特徴を指示する。ＦＧＩのうちの空き状態のＢｉｔ  １３２を用いて、ＭＦとＦＤＤ技術方式の間の異周波数切換機能特徴を指示する。
【０１８７】
【表１０】
2019506063.tif 000012
方式６：
【０１８８】
上記ステップ４０３１において、端末は、ＵＥ能力情報メッセージのＥ−ＵＴＲＡ能力情報に含まれるＦＧＩパラメータのうち、方式内の異周波数切換機能特徴を指示するビット情報を用いて、サポートされるＭＦ技術方式内の異周波数切換機能特徴を指示し、方式間の異周波数切換機能特徴を指示するビット情報を用いて、サポートされるＭＦ技術方式とＦＤＤ技術方式の間の異周波数切換機能特徴を指示し、所定の空き状態の第６ビット情報を用いて、サポートされるＭＦ技術方式とＴＤＤ技術方式の間の異周波数切換機能特徴を指示するステップ４０３６を含んでもよい。
【０１８９】
端末がＦＤＤ技術方式においてＭＦとＴＤＤ技術方式に対し同一の切換機能特徴を有する場合、このような冗長情報を用いて、空き状態のＦＧＩビットを節約することができる。例えば、ＦＧＩ  Ｂｉｔ  ３０を用いて、同時に端末のＭＦ技術方式とＦＤＤ技術方式の間の異周波数切換機能特徴を指示する。
【０１９０】
ここで、ＦＧＩのうち、方式内の異周波数切換機能特徴を指示するビット情報、すなわちＢｉｔ  １３を用いて、ＭＦ技術方式内の異周波数切換機能特徴を指示し、方式間の異周波数切換機能特徴を指示するビット情報、すなわちＢｉｔ  ３０を用いて、ＭＦ技術方式とＦＤＤ技術方式の間の異周波数切換機能特徴を指示することによって、ＭＦ技術方式の導入によって空き状態のＦＧＩビットを別途に占有することを避け、占有する空き状態のＦＧＩビットを節約する。ＦＧＩのうち空き状態の１ビット情報を用いて、ＭＦ技術方式とＴＤＤ技術方式の間の異周波数切換機能特徴を指示し、他の情報への干渉を避ける。
【０１９１】
ここで、端末が異なる方式である場合、ＦＧＩのＢｉｔ  ３０は、異なる機能特徴を指示する。端末がＭＦ技術方式である場合、ＦＧＩ  Ｂｉｔ  ３０は、端末がＭＦ技術方式からＦＤＤ技術方式の周波数帯に切り替える機能特徴を指示する。端末は、ＭＦ技術方式からＦＤＤ技術方式に変更した場合、ＦＧＩ  Ｂｉｔ  ３０は、端末がＦＤＤ技術方式からＴＤＤ技術方式の周波数帯またはＭＦ技術方式の周波数帯に切り替える機能特徴を指示する。端末がＴＤＤ技術方式である場合、ＦＧＩ  Ｂｉｔ  ３０は、端末がＴＤＤ技術方式からＦＤＤ技術手段の周波数帯に切り替える機能特徴を指示する。
【０１９２】
例えば、下記表１１のように、端末は、ＦＧＩのうちのＢｉｔ  １３を用いて、ＴＤＤ技術方式内の異周波数切換機能特徴、ＦＤＤ技術方式内の異周波数切換機能特徴、ＭＦ技術方式内の異周波数切換機能特徴を指示し、Ｂｉｔ  ３０を用いて、ＴＤＤとＦＤＤ技術方式の間の異周波数切換機能特徴、ＭＦとＦＤＤ技術方式の間の異周波数切換機能特徴を指示する。ＦＧＩのうちの空き状態のＢｉｔ  １３２を用いて、ＭＦとＴＤＤ技術方式の間の異周波数切換機能特徴を指示する。
【０１９３】
【表１１】
2019506063.tif 000013
方式７：
【０１９４】
上記ステップ４０３において、端末は、ＵＥ能力情報メッセージのＥ−ＵＴＲＡ能力情報に含まれるＦＧＩパラメータのうち、方式内の異周波数切換機能特徴を指示するビット情報を用いて、サポートされるＭＦ技術方式内の異周波数切換機能特徴を指示し、方式間の異周波数切換機能特徴を指示するビット情報を用いて、サポートされるＭＦ技術方式とＴＤＤまたはＦＤＤ技術方式の間の異周波数切換機能特徴を指示するステップ４０３７を含む。
【０１９５】
ここで、ＦＧＩパラメータのうち方式内の異周波数切換機能特徴を指示するビット情報、すなわちＢｉｔ  １３を用いて、ＭＦ技術方式内の異周波数切換機能特徴を指示し、方式間の異周波数切換機能特徴を指示するビット情報、すなわちＢｉｔ  ３０を用いて、ＭＦ技術方式とＴＤＤまたはＦＤＤ技術方式の間の異周波数切換機能特徴を指示する。この方式は、空き状態のＦＧＩビットを最も節約する。
【０１９６】
この場合、ＦＧＩ  Ｂｉｔ  ３０は、端末が任意方式（ＴＤＤ／ＦＤＤ／ＭＦ）から他の任意方式に切り替える異周波数切換機能特徴を指示する。ＦＧＩ  Ｂｉｔ  ３０を１に設定することは、端末が、現在の方式から他の任意方式に切り替えられることを示す。
【０１９７】
例えば、下記表１２のように、端末は、ＦＧＩのうちのＢｉｔ  １３を用いて、ＴＤＤ技術方式内の異周波数切換機能特徴、ＦＤＤ技術方式の間の異周波数切換機能特徴、ＭＦ技術方式内の異周波数切換機能特徴を指示し、Ｂｉｔ  ３０を用いて、ＴＤＤとＴＤＤ技術方式の間の異周波数切換機能特徴、ＭＦとＦＤＤ技術方式の間の異周波数切換機能特徴、ＭＦとＴＤＤ技術方式の間の異周波数切換機能特徴を指示する。
【０１９８】
【表１２】
2019506063.tif 000014
【０１９９】
以上の記載をまとめると、本開示の実施例の端末能力指示方法は、端末がＥ−ＵＴＲＡ能力情報のラジオ周波数パラメータでサポートされるＭＦ技術方式周波数帯を指示し、Ｅ−ＵＴＲＡ能力情報のＦＧＩパラメータでサポートされるＭＦ技術方式機能特徴を指示することによって、サポートされるＭＦ技術方式能力を指示する目的が実現され、端末のＭＦ技術方式における関連機能が実現される。しかも、ＭＦ方式の導入によって占有するＦＧＩビットが増加することが避けられ、占有する空き状態ＦＧＩビットを節約する目的が達成された。ＭＦ技術方式に関する能力指示情報がＵＥのＥ−ＵＴＲＡ能力情報にないため、ＵＥのＭＦ技術方式における関連機能が実現できないという従来技術の問題を解決した。
実施例５
【０２００】
図５に示すように、本開示の実施例は、端末に応用される端末能力指示装置をさらに提供する。前記装置において、ユーザ機器ＵＥ能力取得要求メッセージを基地局から受信するための受信モジュール５０１と、サポートされるＭＦ技術方式周波数帯および／またはサポートされるＭＦ技術方式機能特徴を含む、サポートされるＭＦ技術方式能力をＵＥ能力情報メッセージで指示するための指示モジュール５０２と、前記ＵＥ能力情報メッセージを前記基地局に送信するための送信モジュール５０３とを含む。
【０２０１】
本開示の実施例の端末能力指示装置は、端末からサポートされるＭＦ技術方式能力を基地局に指示する目的が実現され、端末のＭＦ技術方式における関連機能が実現される。ＭＦ技術方式に関する能力指示情報がＵＥのＥ−ＵＴＲＡ能力情報にないため、ＵＥのＭＦ技術方式における関連機能が実現できないという従来技術の問題を解決した。
【０２０２】
前記指示モジュール５０２は、サポートされるＭＦ技術方式周波数帯を、前記ＵＥ能力情報メッセージのＥ−ＵＴＲＡ能力情報に含まれるラジオ周波数パラメータで指示するための第１指示サブモジュール、および／または、ＭＦ技術方式の測定機能特徴とＭＦ技術方式の切換機能特徴を含むサポートされるＭＦ技術方式機能特徴を、前記ＵＥ能力情報メッセージのＥ−ＵＴＲＡ能力情報に含まれるＦＧＩパラメータで指示するための第２指示サブモジュールとを含むことが好ましい。
【０２０３】
前記第１指示サブモジュールは、ＭＦ技術方式とＬＡＡ技術方式で同一の周波数帯番号が使用される場合、前記ＵＥ能力情報メッセージのＥ−ＵＴＲＡ能力情報に含まれるラジオ周波数パラメータのうち、周波数帯番号と、ＭＦ技術方式および／またはＬＡＡ技術方式を含むネットワークタイプを用いて、サポートされるＭＦ技術方式周波数帯を指示するための第１指示ユニットと、ＭＦ技術方式とＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いて、サポートされるＭＦ技術方式周波数帯を指示するための第２指示ユニットとを含むことが好ましい。
【０２０４】
前記第２指示サブモジュールは、前記ＵＥ能力情報メッセージのＥ−ＵＴＲＡ能力情報に含まれるＦＧＩパラメータのうち、異周波数測定機能特徴を指示するビット情報および／または所定の空き状態のビット情報を用いて、サポートされるＭＦ技術方式の異周波数測定機能特徴を指示するための第３指示ユニットを含み、ここで、前記ＭＦ技術方式の異周波数測定機能特徴は、ＭＦ技術方式内の異周波数測定機能特徴、ＭＦ技術方式とＴＤＤまたはＦＤＤ技術方式の間の異周波数測定機能特徴を含むことが好ましい。
【０２０５】
前記第３指示ユニットは、具体的に、前記ＵＥ能力情報メッセージのＥ−ＵＴＲＡ能力情報に含まれるＦＧＩパラメータのうち、所定の空き状態の第１ビット情報を用いて、サポートされるＭＦ技術方式内の異周波数測定機能特徴を指示し、所定の空き状態の第２ビット情報を用いて、サポートされるＭＦ技術方式とＴＤＤ技術方式の間の異周波数測定機能特徴を指示し、所定の空き状態の第３ビット情報を用いて、サポートされるＭＦ技術方式とＦＤＤ技術方式の間の異周波数測定機能特徴を指示することに用いられることが好ましい。
【０２０６】
前記第３指示ユニットは、具体的に、前記ＵＥ能力情報メッセージのＥ−ＵＴＲＡ能力情報に含まれるＦＧＩパラメータのうち、前記異周波数測定機能特徴を指示するビット情報を用いて、サポートされるＭＦ技術方式内の異周波数測定機能特徴を指示し、所定の空き状態の第２ビット情報を用いて、サポートされるＭＦ技術方式とＴＤＤ技術方式の間の異周波数測定機能特徴を指示し、所定の空き状態の第３ビット情報を用いて、サポートされるＭＦ技術方式とＦＤＤ技術方式の間の異周波数測定機能特徴を指示することに用いられることが好ましい。
【０２０７】
前記第３指示ユニットは、具体的に、前記ＵＥ能力情報メッセージのＥ−ＵＴＲＡ能力情報に含まれるＦＧＩパラメータのうち、前記異周波数測定機能特徴を指示するビット情報を用いて、サポートされるＭＦ技術方式内の異周波数測定機能特徴およびＭＦ技術方式におけるＴＤＤまたはＦＤＤ技術方式に対する異周波数測定機能特徴を指示し、所定の空き状態の第３ビット情報を用いて、ＴＤＤまたはＦＤＤ技術方式におけるＭＦ技術方式に対する異周波数測定機能特徴を指示することに用いられることが好ましい。
【０２０８】
前記第３指示ユニットは、具体的に、前記ＵＥ能力情報メッセージのＥ−ＵＴＲＡ能力情報に含まれるＦＧＩパラメータのうち、前記異周波数測定機能特徴を指示するビット情報を用いて、サポートされるＭＦ技術方式内の異周波数測定機能特徴を指示し、所定の空き状態の第３ビット情報を用いて、サポートされるＭＦ技術方式とＴＤＤまたはＦＤＤ技術方式の間の異周波数測定機能特徴を指示することに用いられることが好ましい。
【０２０９】
前記第３指示ユニットは、具体的に、前記ＵＥ能力情報メッセージのＥ−ＵＴＲＡ能力情報に含まれるＦＧＩパラメータのうち、前記異周波数測定機能特徴を指示するビット情報を用いて、サポートされるＭＦ技術方式内の異周波数測定機能特徴およびＭＦ技術方式とＴＤＤ技術方式の間の異周波数測定機能特徴を指示し、所定の空き状態の第３ビット情報を用いて、サポートされるＭＦ技術方式とＦＤＤ技術方式の間の異周波数測定機能特徴を指示することに用いられることが好ましい。
【０２１０】
前記第３指示ユニットは、具体的に、前記ＵＥ能力情報メッセージのＥ−ＵＴＲＡ能力情報に含まれるＦＧＩパラメータのうち、前記異周波数測定機能特徴を指示するビット情報を用いて、サポートされるＭＦ技術方式内の異周波数測定機能特徴およびＭＦ技術方式とＦＤＤ技術方式の間の異周波数測定機能特徴を指示し、所定の空き状態の第３ビット情報を用いて、サポートされるＭＦ技術方式とＴＤＤ技術方式の間の異周波数測定機能特徴を指示することに用いられることが好ましい。
【０２１１】
前記第３指示ユニットは、具体的に、前記ＵＥ能力情報メッセージのＥ−ＵＴＲＡ能力情報に含まれるＦＧＩパラメータのうち、前記異周波数測定機能特徴を指示するビット情報を用いて、サポートされるＭＦ技術方式内の異周波数測定機能特徴、ＭＦ技術方式とＴＤＤまたはＦＤＤ技術方式の間の異周波数測定機能特徴を指示することに用いられることが好ましい。
【０２１２】
前記第２指示サブモジュールは、前記ＵＥ能力情報メッセージのＥ−ＵＴＲＡ能力情報に含まれるＦＧＩパラメータのうち、異周波数切換機能特徴を指示するビット情報および／または所定の空き状態のビット情報を用いて、サポートされるＭＦ技術方式の異周波数切換機能特徴を指示するための第４指示ユニットを含み、ここで、前記異周波数切換機能特徴を指示するビット情報は、方式内の異周波数切換機能特徴を指示するビット情報と方式間の異周波数切換機能特徴を指示するビット情報を含み、前記ＭＦ技術方式の異周波数切換機能特徴は、ＭＦ技術方式内の異周波数切換機能特徴、ＭＦ技術方式とＴＤＤまたはＦＤＤ技術方式の間の異周波数切換機能特徴を含むことが好ましい。
【０２１３】
前記第４指示ユニットは、具体的に、前記ＵＥ能力情報メッセージのＥ−ＵＴＲＡ能力情報に含まれるＦＧＩパラメータのうち、所定の空き状態の第４ビット情報を用いて、サポートされるＭＦ技術方式内の異周波数切換機能特徴を指示し、所定の空き状態の第５ビット情報を用いて、サポートされるＭＦ技術方式とＴＤＤ技術方式の間の異周波数切換機能特徴を指示し、所定の空き状態の第６ビット情報を用いて、サポートされるＭＦ技術方式とＦＤＤ技術方式の間の異周波数切換機能特徴を指示するに用いられることことが好ましい。
【０２１４】
前記第４指示ユニットは、具体的に、前記ＵＥ能力情報メッセージのＥ−ＵＴＲＡ能力情報に含まれるＦＧＩパラメータのうち、前記方式内の異周波数切換機能特徴を指示するビット情報を用いて、サポートされるＭＦ技術方式内の異周波数切換機能特徴を指示し、所定の空き状態の第５ビット情報を用いて、サポートされるＭＦ技術方式とＴＤＤ技術方式の間の異周波数切換機能特徴を指示し、所定の空き状態の第６ビット情報を用いて、サポートされるＭＦ技術方式とＦＤＤ技術方式の間の異周波数切換機能特徴を指示することに用いられることが好ましい。
【０２１５】
前記第４指示ユニットは、具体的に、前記ＵＥ能力情報メッセージのＥ−ＵＴＲＡ能力情報に含まれるＦＧＩパラメータのうち、前記方式内の異周波数切換機能特徴を指示するビット情報を用いて、サポートされるＭＦ技術方式内の異周波数切換機能特徴を指示し、前記方式間の異周波数切換機能特徴を指示するビット情報を用いて、サポートされるＭＦ技術方式からＴＤＤまたはＦＤＤ技術方式に切り替える異周波数切換機能特徴を指示し、所定の空き状態の第６ビット情報を用いて、サポートされるＴＤＤまたはＦＤＤ技術方式からＭＦ技術方式に切り替える異周波数切換機能特徴を指示することに用いられることが好ましい。
【０２１６】
前記第４指示ユニットは、具体的に、前記ＵＥ能力情報メッセージのＥ−ＵＴＲＡ能力情報に含まれるＦＧＩパラメータのうち、前記方式内の異周波数切換機能特徴を指示するビット情報を用いて、サポートされるＭＦ技術方式内の異周波数切換機能特徴を指示し、所定の空き状態の第６ビット情報を用いて、サポートされるＭＦ技術方式とＴＤＤまたはＦＤＤ技術方式の間の異周波数切換機能特徴を指示することに用いられることが好ましい。
【０２１７】
前記第４指示ユニットは、具体的に、前記ＵＥ能力情報メッセージのＥ−ＵＴＲＡ能力情報に含まれるＦＧＩパラメータのうち、前記方式内の異周波数切換機能特徴を指示するビット情報を用いて、サポートされるＭＦ技術方式内の異周波数切換機能特徴を指示し、前記方式間の異周波数切換機能特徴を指示するビット情報を用いて、サポートされるＭＦ技術方式とＴＤＤ技術方式の間の異周波数切換機能特徴を指示し、所定の空き状態の第６ビット情報を用いて、サポートされるＭＦ技術方式とＦＤＤ技術方式の間の異周波数切換機能特徴を指示することに用いられることが好ましい。
【０２１８】
前記第４指示ユニットは、具体的に、前記ＵＥ能力情報メッセージのＥ−ＵＴＲＡ能力情報に含まれるＦＧＩパラメータのうち、前記方式内の異周波数切換機能特徴を指示するビット情報を用いて、サポートされるＭＦ技術方式内の切換機能特徴を指示し、前記方式間の異周波数切換機能特徴を指示するビット情報を用いて、サポートされるＭＦ技術方式とＦＤＤ技術方式の間の異周波数切換機能特徴を指示し、所定の空き状態の第６ビット情報を用いて、サポートされるＭＦ技術方式とＴＤＤ技術方式の間の異周波数切換機能特徴を指示することに用いられることが好ましい。
【０２１９】
前記第４指示ユニットは、具体的に、前記ＵＥ能力情報メッセージのＥ−ＵＴＲＡ能力情報に含まれるＦＧＩパラメータのうち、前記方式内の異周波数切換機能特徴を指示するビット情報を用いて、サポートされるＭＦ技術方式内の異周波数切換機能特徴を指示し、前記方式間の異周波数切換機能特徴を指示するビット情報を用いて、サポートされるＭＦ技術方式とＴＤＤまたはＦＤＤ技術方式の間の異周波数切換機能特徴を指示することに用いられることが好ましい。
【０２２０】
以上の記載をまとめると、本開示の実施例の端末能力指示装置は、端末がＥ−ＵＴＲＡ能力情報のラジオ周波数パラメータでサポートされるＭＦ技術方式周波数帯を指示し、Ｅ−ＵＴＲＡ能力情報のＦＧＩパラメータでサポートされるＭＦ技術方式機能特徴を指示することによって、サポートされるＭＦ技術方式能力を指示する目的が実現され、端末のＭＦ技術方式における関連機能が実現される。しかも、ＭＦ方式の導入によって占有するＦＧＩビットが増加することが避けられ、占有する空き状態ＦＧＩビットを節約する目的が達成された。ＭＦ技術方式に関する能力指示情報がＵＥのＥ−ＵＴＲＡ能力情報にないため、ＵＥのＭＦ技術方式における関連機能が実現できないという従来技術の問題を解決した。
【０２２１】
なお、当該端末能力指示装置は、上記端末能力指示方法に対応する装置であり、上記方法の実施例におけるすべての実現方式が当該装置の実施例に適用し、同様の技術効果を達成することもできる。
実施例６
【０２２２】
図６に示すように、本開示の実施例の端末は、ユーザ機器ＵＥ能力取得要求メッセージを基地局から受信するための受信機６０１と、サポートされるＭＦ技術方式周波数帯および／またはサポートされるＭＦ技術方式機能特徴を含む、サポートされるＭＦ技術方式能力をＵＥ能力情報メッセージで指示するためのプロセッサ６０２と、前記ＵＥ能力情報メッセージを前記基地局に送信するための送信機６０３とを含む。
【０２２３】
前記プロセッサ６０２は、上記端末能力指示装置の実施例におけるすべてのモジュールによる機能を実現するように配置されてもよく、上記端末能力指示装置の実施例と同一の技術効果を達成することもできる。
【０２２４】
一部の実施例において、プロセッサ６０２、受信機６０１、送信機６０３は、バスシステムを介して接続される。ここで、バスシステムは、データバスを含むほか、電源バス、制御バス、状態信号バスなども含む。プロセッサ６０２は、一体化回路チップであってもよく、信号処理能力を有する。実現プロセスにおいて、プロセッサ６０２は、ＣＰＵ（Ｃｅｎｔｒａｌ  Ｐｒｏｃｅｓｓｉｎｇ  Ｕｎｉｔ）、ＮＰ（Ｎｅｔｗｏｒｋ  Ｐｒｏｃｅｓｓｏｒ）などを含む汎用プロセッサであってもよく、ＤＳＰ（Ｄｉｇｉｔａｌ  Ｓｉｇｎａｌ  Ｐｒｏｃｅｓｓｉｎｇ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）または他のプログラム可能な論理デバイス、個別ゲートまたはトランジスタ論理デバイス、個別ハードウェアコンポーネントであってもよい。本開示の実施例に開示されている各方法、ステップおよび論理ブロック図を実現または実行することができる。汎用プロセッサは、マイクロプロセッサであってもよく、または、当該プロセッサは、任意の通常のプロセッサなどであってもよい。本開示の実施例の端末は、移動電話機（または携帯電話）、またはそれ以外の無線信号の送受信が可能な機器であり、ユーザ機器（端末）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をｗｉｆｉ信号に変換可能なＣＰＥまたはＭｉｆｉ、スマート家電、またはそれ以外の人の操作によらずに自発的に移動通信ネットワークと通信可能な機器などが含まれる。
実施例７
【０２２５】
図７に示すように、本開示の実施例の端末能力指示方法は、基地局に応用される。前記方法は、ユーザ機器ＵＥ能力取得要求メッセージを端末に送信するステップ７０１と、サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信するステップ７０２と、前記ＵＥ能力情報メッセージから前記端末にサポートされるＭＦ技術方式能力の情報を取得するステップ７０３とを含む。
【０２２６】
ここで、基地局は、端末にサポートされるＭＦ技術方式能力を指示するＵＥ能力情報メッセージを受信することによって、ＭＦ技術方式に関連する機能の対応が実現される。
【０２２７】
選択可能に、ステップ７０３において、前記ＵＥ能力情報メッセージのＥ−ＵＴＲＡ能力情報に含まれるラジオ周波数パラメータから前記端末にサポートされるＭＦ技術方式周波数帯を取得する。または、前記ＵＥ能力情報メッセージのＥ−ＵＴＲＡ能力情報に含まれるＦＧＩパラメータから前記端末にサポートされるＭＦ技術方式機能特徴を取得する。ここで、前記ＭＦ技術方式機能特徴は、ＭＦ技術方式の異周波数測定機能特徴とＭＦ技術方式の異周波数切換機能特徴を含む。対応的に、図１〜図６の実施例を参照されたく、繰り返して記載しない。
【０２２８】
本開示の実施例の端末能力指示方法において、端末からサポートされるＭＦ技術方式能力を指示する目的が実現され、端末のＭＦ技術方式における関連機能が実現される。ＭＦ技術方式に関する能力指示情報がＵＥのＥ−ＵＴＲＡ能力情報にないため、ＵＥのＭＦ技術方式における関連機能が実現できないという従来技術の問題を解決した。
実施例８
【０２２９】
図８に示すように、本開示の実施例の端末能力指示装置は、基地局に応用される。前記装置は、ユーザ機器ＵＥ能力取得要求メッセージを端末に送信するための送信モジュール８０１と、サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信するための受信モジュール８０２と、前記ＵＥ能力情報メッセージから前記端末にサポートされるＭＦ技術方式能力の情報を取得するための処理モジュール８０３とを含む。
【０２３０】
選択可能に、前記処理モジュール８０３は、具体的に、前記ＵＥ能力情報メッセージのＥ−ＵＴＲＡ能力情報に含まれるラジオ周波数パラメータから前記端末にサポートされるＭＦ技術方式周波数帯を取得すること、および／または、前記端末にサポートされるＭＦ技術方式機能特徴を、前記ＵＥ能力情報メッセージのＥ−ＵＴＲＡ能力情報に含まれるＦＧＩパラメータから取得するに用いられる。ここで前記ＭＦ技術方式機能特徴は、ＭＦ技術方式の異周波数測定機能特徴とＭＦ技術方式の異周波数切換機能特徴を含む。
【０２３１】
本開示の実施例の端末能力指示方法において、端末からサポートされるＭＦ技術方式能力を指示する目的が実現され、端末のＭＦ技術方式における関連機能が実現される。ＭＦ技術方式に関する能力指示情報がＵＥのＥ−ＵＴＲＡ能力情報にないため、ＵＥのＭＦ技術方式における関連機能が実現できないという従来技術の問題を解決した。
なお、当該端末能力指示装置は、上記端末能力指示方法に対応する装置であり、上記方法の実施例におけるすべての実現方式が当該装置の実施例に適用し、同様の技術効果を達成することもできる。
実施例９
【０２３２】
図９に示すように、本開示の実施例の基地局は、ユーザ機器ＵＥ能力取得要求メッセージを端末に送信するための送信機９０１と、サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信するための受信機９０２と、前記ＵＥ能力情報メッセージから前記端末にサポートされるＭＦ技術方式能力の情報を取得するためのプロセッサ９０３とを含む。
【０２３３】
前記プロセッサ９０３は、上記端末能力指示装置の実施例におけるすべてのモジュールによる機能を実現するように配置されてもよく、上記端末能力指示装置の実施例と同一の技術効果を達成することもできる。
【０２３４】
本開示の各実施例において、上記各プロセスの番号の大きさは、実行順の前後を表すというわけではなく、各プロセスの実行順は、その機能と内在的な論理によって決められ、本開示の実施例の実施プロセスについていっさい限定しない。
【０２３５】
以上の記載は、本開示の好適な実施形態である。なお、当業者にとって、本開示に記載される原理から逸脱することなく、若干の改良や修飾を行うことができる。これらの改良や修飾も、本開示の保護範囲とみなされるべきである。
【０２３６】
Ａ１）端末に応用される端末能力指示方法において、ユーザ機器ＵＥ能力取得要求メッセージを基地局から受信することと、サポートされるＭＦ技術方式周波数帯および／またはサポートされるＭＦ技術方式機能特徴を含む、サポートされるＭＦ技術方式能力をＵＥ能力情報メッセージで指示することと、前記ＵＥ能力情報メッセージを前記基地局に送信することとを含む。
【０２３７】
Ａ２）Ａ１）において、サポートされるＭＦ技術方式能力をＵＥ能力情報メッセージで指示することは、前記サポートされるＭＦ技術方式周波数帯を、前記ＵＥ能力情報メッセージのＥ−ＵＴＲＡ能力情報に含まれるラジオ周波数パラメータで指示すること、および／または、ＭＦ技術方式の測定機能特徴とＭＦ技術方式の切換機能特徴を含む前記サポートされるＭＦ技術方式機能特徴を、前記ＵＥ能力情報メッセージのＥ−ＵＴＲＡ能力情報に含まれるＦＧＩパラメータで指示することとを含む。
【０２３８】
Ａ３）Ａ２）において、サポートされるＭＦ技術方式周波数帯を、前記ＵＥ能力情報メッセージのＥ−ＵＴＲＡ能力情報に含まれるラジオ周波数パラメータで指示することは、  前記ＭＦ技術方式とＬＡＡ技術方式で同一の周波数帯番号が使用される場合、前記ＵＥ能力情報メッセージのＥ−ＵＴＲＡ能力情報に含まれるラジオ周波数パラメータのうち、周波数帯番号と、ＭＦ技術方式および／またはＬＡＡ技術方式を含むネットワークタイプを用いて前記サポートされるＭＦ技術方式周波数帯を指示することと、  前記ＭＦ技術方式と前記ＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いてサポートされるＭＦ技術方式周波数帯を指示することとを含む。
【０２３９】
Ａ４）Ａ２）において、前記サポートされるＭＦ技術方式機能特徴を、前記ＵＥ能力情報メッセージのＥ−ＵＴＲＡ能力情報に含まれるＦＧＩパラメータで指示することは、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することを含み、ここで、前記ＭＦ技術方式の測定機能特徴は、前記ＭＦ技術方式内の測定機能特徴、前記ＭＦ技術方式とＴＤＤ技術方式の間の測定機能特徴、または前記ＭＦ技術方式とＦＤＤ技術方式の間の測定機能特徴を含む。
【０２４０】
Ａ５）Ａ４）において、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、所定の空き状態の第１ビット情報を用いて、サポートされるＭＦ技術方式内の測定機能特徴を指示し、所定の空き状態の第２ビット情報を用いて、サポートされるＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することを含む。
【０２４１】
Ａ６）Ａ４）において、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第２ビット情報を用いて、サポートされるＭＦ技術方式とＴＤＤ技術方式の間の測定機能特徴を指示し、所定の空き状態の第３ビット情報を用いて、ＭＦ技術方式とＦＤＤ技術方式の間の測定機能特徴を指示することを含む。
【０２４２】
Ａ７）Ａ４）において、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴および前記ＭＦ技術方式におけるＴＤＤまたはＦＤＤ技術方式に対する測定機能特徴を指示し、所定の空き状態の第３ビット情報を用いて、サポートされるＴＤＤまたはＦＤＤ技術方式におけるＭＦ技術方式に対する測定機能特徴を指示することを含む。
【０２４３】
Ａ８）Ａ４）において、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第３ビット情報を用いて、サポートされる前記ＭＦ技術方式とＴＤＤまたはＦＤＤ技術方式の間の測定機能特徴を指示することを含む。
【０２４４】
Ａ９）Ａ４）において、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴およびＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することを含む。
【０２４５】
Ａ１０）Ａ４）において、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴およびＭＦ技術方式とＦＤＤ技術方式の間の測定機能特徴を指示し、所定の空き状態の第３ビット情報を用いて、サポートされるＭＦ技術方式とＴＤＤ技術方式の間の測定機能特徴を指示することを含む。
【０２４６】
Ａ１１）Ａ４）において、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴、ＭＦ技術方式とＴＤＤまたはＦＤＤ技術方式の間の測定機能特徴を指示することを含む。
【０２４７】
Ａ１２）Ａ２）〜Ａ１１）において、前記サポートされるＭＦ技術方式機能特徴を、前記ＵＥ能力情報メッセージのＥ−ＵＴＲＡ能力情報に含まれるＦＧＩパラメータで指示することは、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することを含み、ここで、前記切換機能特徴を指示するビット情報は、方式内の切換機能特徴を指示するビット情報と方式間の切換機能特徴を指示するビット情報を含み、前記ＭＦ技術方式の切換機能特徴は、ＭＦ技術方式内の切換機能特徴、ＭＦ技術方式とＴＤＤまたはＦＤＤ技術方式の間の切換機能特徴を含む。
【０２４８】
Ａ１３）Ａ１２）において、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、所定の空き状態の第４ビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む。
【０２４９】
Ａ１４）Ａ１２）において、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む。
【０２５０】
Ａ１５）Ａ１２）において、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式からＴＤＤまたはＦＤＤ技術方式に切り替える切換機能特徴を指示し、所定の空き状態の第６ビット情報を用いて、サポートされるＴＤＤまたはＦＤＤ技術方式からＭＦ技術方式に切り替える切換機能特徴を指示することを含む。
【０２５１】
Ａ１６）Ａ１２）において、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第６ビット情報を用いて、サポートされるＭＦ技術方式とＴＤＤまたはＦＤＤ技術方式の間の切換機能特徴を指示することを含む。
【０２５２】
Ａ１７）Ａ１２）において、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む。
【０２５３】
Ａ１８）Ａ１２）において、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＦＤＤ技術方式の間の切換機能特徴を指示し、所定の空き状態の第６ビット情報を用いて、サポートされるＭＦ技術方式とＴＤＤ技術方式の間の切換機能特徴を指示することを含む。
【０２５４】
Ａ１９）Ａ１２）において、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤまたはＦＤＤ技術方式の間の切換機能特徴を指示することを含む。
【０２５５】
Ｂ２０）端末に応用される端末能力指示装置において、ユーザ機器ＵＥ能力取得要求メッセージを基地局から受信するための受信モジュールと、サポートされるＭＦ技術方式周波数帯および／またはサポートされるＭＦ技術方式機能特徴を含む、サポートされるＭＦ技術方式能力をＵＥ能力情報メッセージで指示するための指示モジュールと、前記ＵＥ能力情報メッセージを前記基地局に送信するための送信モジュールとを含む。
【０２５６】
Ｂ２１）Ｂ２０）において、前記指示モジュールは、前記サポートされるＭＦ技術方式周波数帯を、前記ＵＥ能力情報メッセージのＥ−ＵＴＲＡ能力情報に含まれるラジオ周波数パラメータで指示するための第１指示サブモジュール、および／または、ＭＦ技術方式の測定機能特徴とＭＦ技術方式の切換機能特徴を含むサポートされるＭＦ技術方式機能特徴を、前記ＵＥ能力情報メッセージのＥ−ＵＴＲＡ能力情報に含まれるＦＧＩパラメータで指示するための第２指示サブモジュールとを含む。
【０２５７】
Ｂ２２）Ｂ２１）において、前記第１指示サブモジュールは、ＭＦ技術方式とＬＡＡ技術方式で同一の周波数帯番号が使用される場合、前記ＵＥ能力情報メッセージのＥ−ＵＴＲＡ能力情報に含まれるラジオ周波数パラメータのうち、周波数帯番号と、ＭＦ技術方式および／またはＬＡＡ技術方式を含むネットワークタイプを用いてサポートされるＭＦ技術方式周波数帯を指示するための第１指示ユニットと、前記ＭＦ技術方式とＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いて、サポートされるＭＦ技術方式周波数帯を指示するための第２指示ユニットとを含む。
【０２５８】
Ｂ２３）Ｂ２１）において、前記第２指示サブモジュールは、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示するための第３指示ユニットを含み、ここで、前記ＭＦ技術方式の測定機能特徴は、ＭＦ技術方式内の測定機能特徴、前記ＭＦ技術方式とＴＤＤ技術方式の間の測定機能特徴、または前記ＭＦ技術方式とＦＤＤ技術方式の間の測定機能特徴を含む。
【０２５９】
Ｂ２４）Ｂ２３）において、前記第３指示ユニットは、具体的に、前記ＵＥ能力情報メッセージのＥ−ＵＴＲＡ能力情報に含まれるＦＧＩパラメータのうち、所定の空き状態の第１ビット情報を用いて、サポートされるＭＦ技術方式内の測定機能特徴を指示し、所定の空き状態の第２ビット情報を用いて、サポートされるＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することに用いられる。
【０２６０】
Ｂ２５）Ｂ２３）において、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第２ビット情報を用いて、サポートされるＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することに用いられる。
【０２６１】
Ｂ２６）Ｂ２３）において、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴および前記ＭＦ技術方式におけるＴＤＤまたはＦＤＤ技術方式に対する測定機能特徴を指示し、所定の空き状態の第３ビット情報を用いて、サポートされるＴＤＤまたはＦＤＤ技術方式におけるＭＦ技術方式に対する測定機能特徴を指示することに用いられる。
【０２６２】
Ｂ２７）Ｂ２３）において、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第３ビット情報を用いて、サポートされる前記ＭＦ技術方式とＴＤＤまたはＦＤＤ技術方式の間の測定機能特徴を指示することに用いられる。
【０２６３】
Ｂ２８）Ｂ２３）において、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴およびＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することに用いられる。
【０２６４】
Ｂ２９）Ｂ２３）において、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴および前記ＭＦ技術方式とＦＤＤ技術方式の間の測定機能特徴を指示し、所定の空き状態の第３ビット情報を用いて、サポートされるＭＦ技術方式とＴＤＤ技術方式の間の測定機能特徴を指示することに用いられる。
【０２６５】
Ｂ３０）Ｂ２３）において、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴、ＭＦ技術方式とＴＤＤまたはＦＤＤ技術方式の間の測定機能特徴を指示することに用いられる。
【０２６６】
Ｂ３１）Ｂ２１〜Ｂ３０）において、前記第２指示サブモジュールは、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示するための第４指示ユニットを含み、ここで、前記切換機能特徴を指示するビット情報は、方式内の切換機能特徴を指示するビット情報と方式間の切換機能特徴を指示するビット情報を含み、前記ＭＦ技術方式の切換機能特徴は、ＭＦ技術方式内の切換機能特徴、ＭＦ技術方式とＴＤＤまたはＦＤＤ技術方式の間の切換機能特徴を含む。
【０２６７】
Ｂ３２）Ｂ３１）において、前記第４指示ユニットは、具体的に、前記ＵＥ能力情報メッセージのＥ−ＵＴＲＡ能力情報に含まれるＦＧＩパラメータのうち、所定の空き状態の第４ビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示する。
【０２６８】
Ｂ３３）Ｂ３１）において、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示する。
【０２６９】
Ｂ３４）Ｂ３１）において、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式からＴＤＤまたはＦＤＤ技術方式に切り替える切換機能特徴を指示し、所定の空き状態の第６ビット情報を用いて、サポートされるＴＤＤまたはＦＤＤ技術方式からＭＦ技術方式に切り替える切換機能特徴を指示する。
【０２７０】
Ｂ３５）Ｂ３１）において、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第６ビット情報を用いて、サポートされるＭＦ技術方式とＴＤＤまたはＦＤＤ技術方式の間の切換機能特徴を指示する。
【０２７１】
Ｂ３６）Ｂ３１）において、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示する。
【０２７２】
Ｂ３７）Ｂ３１）において、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＦＤＤ技術方式の間の切換機能特徴を指示し、所定の空き状態の第６ビット情報を用いて、サポートされるＭＦ技術方式とＴＤＤ技術方式の間の切換機能特徴を指示する。
【０２７３】
Ｂ３８）Ｂ３１）において、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤまたはＦＤＤ技術方式の間の切換機能特徴を指示する。
【０２７４】
Ｃ３９）ユーザ機器ＵＥ能力取得要求メッセージを基地局から受信するための受信機と、サポートされるＭＦ技術方式周波数帯および／またはサポートされるＭＦ技術方式機能特徴を含む、サポートされるＭＦ技術方式能力をＵＥ能力情報メッセージで指示するためのプロセッサと、前記ＵＥ能力情報メッセージを前記基地局に送信するための送信機とを含む端末。
【０２７５】
Ｄ４０）基地局に応用される端末能力指示方法において、ユーザ機器ＵＥ能力取得要求メッセージを端末に送信することと、サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信することと、前記ＵＥ能力情報メッセージから前記端末にサポートされるＭＦ技術方式能力の情報を取得することとを含む。
【０２７６】
Ｄ４１）Ｄ４０）において、前記ＵＥ能力情報メッセージから前記端末にサポートされるＭＦ技術方式能力の情報を取得することは、前記ＵＥ能力情報メッセージのＥ−ＵＴＲＡ能力情報に含まれるラジオ周波数パラメータから前記端末にサポートされるＭＦ技術方式周波数帯を取得すること、および／または、ＭＦ技術方式の測定機能特徴とＭＦ技術方式の切換機能特徴を含む前記端末にサポートされるＭＦ技術方式機能特徴を、前記ＵＥ能力情報メッセージのＥ−ＵＴＲＡ能力情報に含まれるＦＧＩパラメータから取得することを含む。
【０２７７】
Ｅ４２）基地局に応用される端末能力指示装置において、ユーザ機器ＵＥ能力取得要求メッセージを端末に送信するための送信モジュールと、サポートされるＭＦ技術方式周波数帯とサポートされるＭＦ技術方式機能特徴を含む、前記端末がサポートされるＭＦ技術方式能力を指示する情報が含まれるＵＥ能力情報メッセージを前記端末から受信するための受信モジュールと、前記ＵＥ能力情報メッセージから前記端末にサポートされるＭＦ技術方式能力の情報を取得するための処理モジュールとを含む端末能力指示装置。
【０２７８】
Ｅ４３）Ｅ４２）において、前記処理モジュールは、具体的に、前記ＵＥ能力情報メッセージのＥ−ＵＴＲＡ能力情報に含まれるラジオ周波数パラメータから前記端末にサポートされるＭＦ技術方式周波数帯を取得し、および／または、ＭＦ技術方式の測定機能特徴とＭＦ技術方式の切換機能特徴を含む前記端末にサポートされるＭＦ技術方式機能特徴を、前記ＵＥ能力情報メッセージのＥ−ＵＴＲＡ能力情報に含まれるＦＧＩパラメータから取得することに用いられる。
【０２７９】
Ｆ４４）ユーザ機器ＵＥ能力取得要求メッセージを端末に送信するための送信機と、サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信するための受信機と、前記ＵＥ能力情報メッセージから前記端末にサポートされるＭＦ技術方式能力の情報を取得するためのプロセッサとを含む基地局。
【図１】
2019506063.tif 000015
【図２】
2019506063.tif 000016
【図３】
2019506063.tif 000017
【図４】
2019506063.tif 000018
【図５】
2019506063.tif 000019
【図６】
2019506063.tif 000020
【図７】
2019506063.tif 000021
【図８】
2019506063.tif 000022
【図９】
2019506063.tif 000023
【手続補正書】
【提出日】平成30年7月17日(2018.7.17)
【手続補正１】
【補正対象書類名】明細書
【補正対象項目名】全文
【補正方法】変更
【補正の内容】
【発明の詳細な説明】
【技術分野】
【０００１】
本開示は、通信分野に係り、特に端末能力指示方法、装置、端末および基地局に係る。
【背景技術】
【０００２】
ＭＦ（Ｍｕｌｔｅ  Ｆｉｒｅ）は、ＬＴＥ（Ｌｏｎｇ  Ｔｅｒｍ  Ｅｖｏｌｕｔｉｏｎ）技術をアンライセンスバンドに拡張させる無線アクセス技術である。当該技術は、ライセンスバンドの搬送波を介さずにアンランセンススペクトルで独立に運用することができる。アンライセンスバンドのチャネルをアンライセンスバンドにある他の機器（例えばＷｉＦｉ機器）と公平に占有すると共に、アンライセンスバンドの機器同士による相互干渉の回避を図るために、ＭＦ物理レイヤでは、ＷｉＦｉの搬送波モニタリング技術に類似するＬＢＴ（Ｌｉｓｔｅｎ  Ｂｅｆｏｒｅ  Ｔａｌｋ）メカニズムが導入されている。ＭＦは、ＬＴＥのＴＤＤ（Ｔｉｍｅ  Ｄｉｖｉｓｉｏｎ  Ｄｕｐｌｅｘ）とＦＤＤ（Ｆｒｅｑｕｅｎｃｙ  Ｄｉｖｉｓｉｏｎ  Ｄｕｐｌｅｘ）とは異なり、固定したアップリンク／ダウンリンクサブフレーム設定がない。基地局は、ＬＢＴに基づいて、ダウンリンクデータを送信するかの判断が正しいかを決定する。ＵＥ（Ｕｓｅｒ  Ｅｑｕｉｐｍｅｎｔ）は、基地局のアップリンクスケジューリングライセンスとＬＢＴに基づいて、アップリンクデータを送信するかの判断が正しいかを判断する。
【０００３】
ＭＦは、ＰＬＭＮ（Ｐｕｂｌｉｃ  Ｌａｎｄ  Ｍｏｂｉｌｅ  Ｎｅｔｗｏｒｋ）アクセス方式とＮＨＮ（Ｎｅｕｔｒａｌ  Ｈｏｓｔ  Ｎｅｔｗｏｒｋ）アクセス方式の２種類の基本的アクセス方式のネットワークアークテクチャーを提供する。ここで、ＮＨＮアクセス方式は、ＭＦに新規に導入されたものであって、統一的に計画されて自己組織化したニューラルネットワークであり、ＭＦ  ＲＡＮ（Ｒａｄｉｏ  Ａｃｃｅｓｓ  Ｎｅｔｗｏｒｋ）がＮＨＮのＣＮ（Ｃｏｒｅ  Ｎｅｔｗｏｒｋ）に接続する。ＰＬＭＮアクセス方式は、ＭＦ  ＲＡＮが移動事業者の３ＧＰＰ  ＣＮに接続するネットワーク方式であり、ＵＥがＰＬＭＮアクセス方式のＭＦ  ＲＡＮと３ＧＰＰ  ＲＡＮの間でＳ１またはＸ２切り替えを行うことができる。また、ＭＦ  ＲＡＮがＮＨＮ  ＣＮと３ＧＰＰ  ＣＮに同時に接続するハイブリッドアクセス方式も存在する。
【０００４】
３ＧＰＰの元々のＥ−ＵＴＲＡ無線アクセス技術は、ＴＤＤとＦＤＤの２種類の技術方式のみを含む。３ＧＰＰにＭＦ技術方式が導入されると、Ｅ−ＵＴＲＡは、ＴＤＤ技術方式、ＦＤＤ技術方式およびＭＦ技術方式の３種類の技術方式を含むことになる。Ｅ−ＵＴＲＡにＭＦ技術方式が導入されると、ＭＦ測定能力を持つＵＥは、ＭＦセルの測定を行うことができ、ＭＦとＬＴＥとの間の切換能力を持つＵＥは、ＰＬＭＮアクセス方式のＭＦセルと３ＧＰＰセルの間で切り替えを行うことができる。しかし、現在のＥ−ＵＴＲＡ能力情報には、ＭＦ技術方式に関する能力指示情報がないため、ＵＥのＭＦセルと３ＧＰＰセルとの間の切換機能および他のＭＦ技術方式に関する機能が実現できない。
【発明の概要】
【０００５】
解決しようとする課題
本開示が解決しようとする技術課題は、ＭＦ技術方式に関する能力指示情報がＵＥのＥ−ＵＴＲＡ能力情報にないため、ＵＥのＭＦ技術方式における関連機能が実現できないという従来技術の問題を解決するための端末能力指示方法、装置、端末および基地局を提供することである。
課題を解決するための手段
【０００６】
上述の技術課題を解決するために、本開示の実施例は、端末に応用される端末能力指示方法を提供する。前記方法は、ユーザ機器ＵＥ能力取得要求メッセージを基地局から受信することと、サポートされるＭＦ技術方式周波数帯および／またはサポートされるＭＦ技術方式機能特徴を含む、サポートされるＭＦ技術方式能力をＵＥ能力情報メッセージで指示することと、前記ＵＥ能力情報メッセージを前記基地局に送信することとを含む。
【０００７】
選択可能に、サポートされるＭＦ技術方式能力をＵＥ能力情報メッセージで指示することは、前記サポートされるＭＦ技術方式周波数帯を、前記ＵＥ能力情報メッセージのＥ−ＵＴＲＡ能力情報に含まれるラジオ周波数パラメータで指示すること、および／または、ＭＦ技術方式の測定機能特徴とＭＦ技術方式の切換機能特徴を含む前記サポートされるＭＦ技術方式機能特徴を、前記ＵＥ能力情報メッセージのＥ−ＵＴＲＡ能力情報に含まれるＦＧＩパラメータで指示することとを含む。
【０００８】
さらに、サポートされるＭＦ技術方式周波数帯を、前記ＵＥ能力情報メッセージのＥ−ＵＴＲＡ能力情報に含まれるラジオ周波数パラメータで指示することは、前記ＭＦ技術方式とＬＡＡ技術方式で同一の周波数帯番号が使用される場合、前記ＵＥ能力情報メッセージのＥ−ＵＴＲＡ能力情報に含まれるラジオ周波数パラメータのうち、周波数帯番号と、ＭＦ技術方式および／またはＬＡＡ技術方式を含むネットワークタイプを用いて前記サポートされるＭＦ技術方式周波数帯を指示することと、前記ＭＦ技術方式と前記ＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いて前記サポートされるＭＦ技術方式周波数帯を指示することとを含む。
【０００９】
さらに、前記サポートされるＭＦ技術方式機能特徴を、前記ＵＥ能力情報メッセージのＥ−ＵＴＲＡ能力情報に含まれるＦＧＩパラメータで指示することは、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することを含み、ここで、前記ＭＦ技術方式の測定機能特徴は、ＭＦ技術方式内の測定機能特徴、前記ＭＦ技術方式とＴＤＤ技術方式の間の測定機能特徴、または前記ＭＦ技術方式とＦＤＤ技術方式の間の測定機能特徴を含む。
【００１０】
さらに、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、所定の空き状態の第１ビット情報を用いて、前記サポートされるＭＦ技術方式内の測定機能特徴を指示し、所定の空き状態の第２ビット情報を用いて、前記サポートされるＭＦ技術方式とＴＤＤ技術方式の間の測定機能特徴を指示し、所定の空き状態の第３ビット情報を用いて、前記サポートされるＭＦ技術方式とＦＤＤ技術方式の間の測定機能特徴を指示することを含む。
【００１１】
さらに、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第２ビット情報を用いて、サポートされるＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することを含む。
【００１２】
さらに、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、前記サポートされるＭＦ技術方式内の測定機能特徴および前記ＭＦ技術方式におけるＴＤＤまたはＦＤＤ技術方式に対する測定機能特徴を指示し、所定の空き状態の第３ビット情報を用いて、ＴＤＤまたはＦＤＤ技術方式における前記ＭＦ技術方式に対する測定機能特徴を指示することを含む。
【００１３】
さらに、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第３ビット情報を用いて、サポートされる前記ＭＦ技術方式とＴＤＤまたはＦＤＤ技術方式の間の測定機能特徴を指示することを含む。
【００１４】
さらに、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴およびＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することを含む。
【００１５】
さらに、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴および前記ＭＦ技術方式とＦＤＤ技術方式の間の測定機能特徴を指示し、所定の空き状態の第３ビット情報を用いて、サポートされるＭＦ技術方式とＴＤＤ技術方式の間の測定機能特徴を指示することを含む。
【００１６】
さらに、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴、ＭＦ技術方式とＴＤＤまたはＦＤＤ技術方式の間の測定機能特徴を指示することを含む。
【００１７】
選択可能に、前記サポートされるＭＦ技術方式機能特徴を、前記ＵＥ能力情報メッセージのＥ−ＵＴＲＡ能力情報に含まれるＦＧＩパラメータで指示することは、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することを含み、ここで、前記切換機能特徴を指示するビット情報は、方式内の切換機能特徴を指示するビット情報と方式間の切換機能特徴を指示するビット情報を含み、前記ＭＦ技術方式の切換機能特徴は、ＭＦ技術方式内の切換機能特徴、ＭＦ技術方式とＴＤＤまたはＦＤＤ技術方式の間の切換機能特徴を含む。
【００１８】
さらに、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、所定の空き状態の第４ビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む。
【００１９】
さらに、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む。
【００２０】
さらに、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式からＴＤＤまたはＦＤＤ技術方式に切り替える切換機能特徴を指示し、所定の空き状態の第６ビット情報を用いて、サポートされるＴＤＤまたはＦＤＤ技術方式からＭＦ技術方式に切り替える切換機能特徴を指示することを含む。
【００２１】
さらに、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第６ビット情報を用いて、サポートされるＭＦ技術方式とＴＤＤまたはＦＤＤ技術方式の間の切換機能特徴を指示することを含む。
【００２２】
さらに、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む。
【００２３】
さらに、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＦＤＤ技術方式の間の切換機能特徴を指示し、所定の空き状態の第６ビット情報を用いて、サポートされるＭＦ技術方式とＴＤＤ技術方式の間の切換機能特徴を指示することを含む。
【００２４】
さらに、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤまたはＦＤＤ技術方式の間の切換機能特徴を指示することを含む。
【００２５】
上述した技術課題を解決するために、本開示の実施例は、端末に応用される端末能力指示装置をさらに提供する。前記装置において、ユーザ機器ＵＥ能力取得要求メッセージを基地局から受信するための受信モジュールと、サポートされるＭＦ技術方式周波数帯および／またはサポートされるＭＦ技術方式機能特徴を含む、サポートされるＭＦ技術方式能力をＵＥ能力情報メッセージで指示するための指示モジュールと、前記ＵＥ能力情報メッセージを前記基地局に送信するための送信モジュールとを含む。
【００２６】
選択可能に、前記指示モジュールは、前記サポートされるＭＦ技術方式周波数帯を、前記ＵＥ能力情報メッセージのＥ−ＵＴＲＡ能力情報に含まれるラジオ周波数パラメータで指示するための第１指示サブモジュール、および／または、ＭＦ技術方式の測定機能特徴とＭＦ技術方式の切換機能特徴を含む前記サポートされるＭＦ技術方式機能特徴を、前記ＵＥ能力情報メッセージのＥ−ＵＴＲＡ能力情報に含まれるＦＧＩパラメータで指示するための第２指示サブモジュールとを含む。
【００２７】
さらに、前記第１指示サブモジュールは、前記ＭＦ技術方式とＬＡＡ技術方式で同一の周波数帯番号が使用される場合、前記ＵＥ能力情報メッセージのＥ−ＵＴＲＡ能力情報に含まれるラジオ周波数パラメータのうち、周波数帯番号と、ＭＦ技術方式および／またはＬＡＡ技術方式を含むネットワークタイプを用いてサポートされるＭＦ技術方式周波数帯を指示するための第１指示ユニットと、前記ＭＦ技術方式とＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いて、サポートされるＭＦ技術方式周波数帯を指示するための第２指示ユニットとを含む。
【００２８】
さらに、前記第２指示サブモジュールは、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示するための第３指示ユニットを含み、ここで、前記ＭＦ技術方式の測定機能特徴は、ＭＦ技術方式内の測定機能特徴、前記ＭＦ技術方式とＴＤＤ技術方式の間の測定機能特徴、または前記ＭＦ技術方式とＦＤＤ技術方式の間の測定機能特徴を含む。
【００２９】
さらに、前記第３指示ユニットは、具体的に、前記ＵＥ能力情報メッセージのＥ−ＵＴＲＡ能力情報に含まれるＦＧＩパラメータのうち、所定の空き状態の第１ビット情報を用いて、サポートされるＭＦ技術方式内の測定機能特徴を指示し、所定の空き状態の第２ビット情報を用いて、サポートされるＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することに用いられる。
【００３０】
さらに、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第２ビット情報を用いて、サポートされるＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することに用いられる。
【００３１】
さらに、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴およびＭＦ技術方式におけるＴＤＤまたはＦＤＤ技術方式に対する測定機能特徴を指示し、所定の空き状態の第３ビット情報を用いて、サポートされる、ＴＤＤまたはＦＤＤ技術方式における前記ＭＦ技術方式に対する測定機能特徴を指示することに用いられる。
【００３２】
さらに、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第３ビット情報を用いて、サポートされるＭＦ技術方式とＴＤＤまたはＦＤＤ技術方式の間の測定機能特徴を指示することに用いられる。
【００３３】
さらに、前記第３指示ユニットは、具体的に前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴およびＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することに用いられる。
【００３４】
さらに、前記第３指示ユニットは、具体的に前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴および前記ＭＦ技術方式とＦＤＤ技術方式の間の測定機能特徴を指示し、所定の空き状態の第３ビット情報を用いて、サポートされるＭＦ技術方式とＴＤＤ技術方式の間の測定機能特徴を指示することに用いられる。
【００３５】
さらに、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴、ＭＦ技術方式とＴＤＤまたはＦＤＤ技術方式の間の測定機能特徴を指示することに用いられる。
【００３６】
選択可能に、前記第２指示サブモジュールは、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示するための第４指示ユニットを含み、ここで、前記切換機能特徴を指示するビット情報は、方式内の切換機能特徴を指示するビット情報と方式間の切換機能特徴を指示するビット情報を含み、前記ＭＦ技術方式の切換機能特徴は、ＭＦ技術方式内の切換機能特徴、ＭＦ技術方式とＴＤＤまたはＦＤＤ技術方式の間の切換機能特徴を含む。
【００３７】
さらに、前記第４指示ユニットは、具体的に、前記ＵＥ能力情報メッセージのＥ−ＵＴＲＡ能力情報に含まれるＦＧＩパラメータのうち、所定の空き状態の第４ビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することに用いられる。
【００３８】
さらに、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することに用いられる。
【００３９】
さらに、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式からＴＤＤまたはＦＤＤ技術方式に切り替える切換機能特徴を指示し、所定の空き状態の第６ビット情報を用いて、サポートされるＴＤＤまたはＦＤＤ技術方式からＭＦ技術方式に切り替える切換機能特徴を指示することに用いられる。
【００４０】
さらに、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第６ビット情報を用いて、サポートされるＭＦ技術方式とＴＤＤまたはＦＤＤ技術方式の間の切換機能特徴を指示することに用いられる。
【００４１】
さらに、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することに用いられる。
【００４２】
さらに、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＦＤＤ技術方式の間の切換機能特徴を指示し、所定の空き状態の第６ビット情報を用いて、サポートされるＭＦ技術方式とＴＤＤ技術方式の間の切換機能特徴を指示することに用いられる。
【００４３】
さらに、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤまたはＦＤＤ技術方式の間の切換機能特徴を指示することに用いられる。
【００４４】
上述した技術課題を解決するために、本開示の実施例は、ユーザ機器ＵＥ能力取得要求メッセージを基地局から受信するための受信機と、サポートされるＭＦ技術方式周波数帯および／またはサポートされるＭＦ技術方式機能特徴を含む、サポートされるＭＦ技術方式能力をＵＥ能力情報メッセージで指示するためのプロセッサと、前記ＵＥ能力情報メッセージを前記基地局に送信するための送信機とを含む端末をさらに提供する。
【００４５】
上述した技術課題を解決するために、本開示の実施例は、基地局に応用される端末能力指示方法をさらに提供する。前記方法は、ユーザ機器ＵＥ能力取得要求メッセージを端末に送信することと、サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信することと、前記ＵＥ能力情報メッセージから前記端末にサポートされるＭＦ技術方式能力の情報を取得することとを含む。
【００４６】
選択可能に、前記ＵＥ能力情報メッセージから前記端末にサポートされるＭＦ技術方式能力の情報を取得することは、前記ＵＥ能力情報メッセージのＥ−ＵＴＲＡ能力情報に含まれるラジオ周波数パラメータから前記端末にサポートされるＭＦ技術方式周波数帯を取得すること、および／または、ＭＦ技術方式の測定機能特徴とＭＦ技術方式の切換機能特徴を含む前記端末にサポートされるＭＦ技術方式機能特徴を、前記ＵＥ能力情報メッセージのＥ−ＵＴＲＡ能力情報に含まれるＦＧＩパラメータから取得することを含む。
【００４７】
上述した技術課題を解決するために、本開示の実施例は、基地局に応用される端末能力指示装置をさらに提供する。前記装置は、ユーザ機器ＵＥ能力取得要求メッセージを端末に送信するための送信モジュールと、サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信するための受信モジュールと、前記ＵＥ能力情報メッセージから前記端末がサポートされるＭＦ技術方式能力の情報を取得するための処理モジュールとを含む。
【００４８】
選択可能に、前記処理モジュールは、具体的に、前記ＵＥ能力情報メッセージのＥ−ＵＴＲＡ能力情報に含まれるラジオ周波数パラメータから前記端末にサポートされるＭＦ技術方式周波数帯を取得すること、および／または、ＭＦ技術方式の測定機能特徴とＭＦ技術方式の切換機能特徴を含む前記端末にサポートされるＭＦ技術方式機能特徴を、前記ＵＥ能力情報メッセージのＥ−ＵＴＲＡ能力情報に含まれるＦＧＩパラメータから取得することにもちいられる。
【００４９】
上述した技術課題を解決するために、本開示の実施例は、ユーザ機器ＵＥ能力取得要求メッセージを端末に送信するための送信機と、サポートされるＭＦ技術方式周波数帯とサポートされるＭＦ技術方式機能特徴を含む、前記端末がサポートされるＭＦ技術方式能力を指示する情報が含まれるＵＥ能力情報メッセージを前記端末から受信するための受信機と、前記ＵＥ能力情報メッセージから前記端末がサポートされるＭＦ技術方式能力の情報を取得するためのプロセッサとを含む基地局をさらに提供する。
発明の効果
【００５０】
本開示の実施例の端末能力指示方法において、端末は、ＵＥ能力取得要求メッセージを基地局から受信すると、サポートされるＭＦ技術方式能力をＵＥ能力情報メッセージで指示し、それからＵＥ能力情報メッセージを基地局に送信する。よって、端末からサポートされるＭＦ技術方式能力を基地局に指示する目的が実現され、端末のＭＦ技術方式における関連機能が実現される。ＭＦ技術方式に関する能力指示情報がＵＥのＥ−ＵＴＲＡ能力情報にないため、ＵＥのＭＦ技術方式における関連機能が実現できないという従来技術の問題を解決した。さらに、本方法は、ＦＧＩパラメータのうちサポートされるＴＤＤまたはＦＤＤ技術方式の機能特徴を指示するビット情報を用いて、サポートされるＭＦ技術方式の機能特徴を同時に指示することによって、占有する空き状態のＦＧＩビットを節約する目的が実現される。さらに、本方法によれば、ＭＦ技術方式の機能特徴を同時に指示するための、サポートされるＴＤＤまたはＦＤＤ技術方式の機能特徴を指示するＦＧＩビット、および、サポートされるＭＦ技術方式の機能特徴を指示するための空き状態のＦＧＩビットは、ＴＤＤ、ＦＤＤまたはＦＤＤ技術方式を区別する必要がないため、サポートされる機能特徴をＦＧＩビットで指示する複雑度の増加が避けられる。
【図面の簡単な説明】
【００５１】
【図１】図１は、本開示の一部実施例の端末能力指示方法のフローチャートである。
【図２】図２は、本開示の一部実施例の端末能力指示方法のフローチャートである。
【図３】図３は、本開示の一部実施例の端末能力指示方法のフローチャートである。
【図４】図４は、本開示の一部実施例の端末能力指示方法のフローチャートである。
【図５】図５は、本開示の一部実施例の端末能力指示装置が端末に応用される構造図である。
【図６】図６は、本開示の一部実施例の端末の構造図である。
【図７】図７は、本開示の一部実施例の端末能力指示方法のフローチャートである。
【図８】図８は、本開示の一部実施例の端末能力指示装置が基地局に応用される構造図である。
【図９】図９は、本開示の一部実施例の基地局の構造図である。
【発明を実施するための形態】
【００５２】
本開示の解決しようとする技術課題、技術手段および利点をより明確にするために、以下、図面および具体的な実施例を参照して詳細に記載する。
【００５３】
本開示の実施例において、ユーザ機器（Ｕｓｅｒ  Ｅｑｕｉｐｍｅｎｔ；ＵＥと略称する）は、端末（Ｔｅｒｍｉｎａｌ）、移動局（Ｍｏｂｉｌｅ  Ｓｔａｔｉｏｎ；ＭＳと略称する）、移動端末（Ｍｏｂｉｌｅ  Ｔｅｒｍｉｎａｌ）などと称される。
実施例１
【００５４】
図１に示すように、本開示の実施例の端末能力指示方法は、端末に応用され、以下のステップを含む。
【００５５】
ステップ１０１において、ユーザ機器ＵＥ能力取得要求メッセージを基地局から受信する。
【００５６】
ここで、端末は、ＵＥ能力取得要求メッセージを基地局から受信すると、サポートされる能力情報を基地局にレポートする。
【００５７】
ステップ１０２において、サポートされるＭＦ技術方式能力をＵＥ能力情報メッセージで指示する。ここで、サポートされるＭＦ技術方式能力は、サポートされるＭＦ技術方式周波数帯および／またはサポートされるＭＦ技術方式機能特徴を含む。
【００５８】
ＬＴＥシステムにおいて、ＵＥは、ＵＥの能力情報をＵＥ能力情報メッセージによって基地局にレポートする。例えば、Ｅ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）ネットワークの能力情報は、アクセスレイヤバージョン番号、ＵＥ能力レベル、ＰＤＣＰ（Ｐａｃｋｅｔ  Ｄａｔａ  Ｃｏｎｖｅｒｇｅｎｃｅ  Ｐｒｏｔｏｃｏｌ）パラメータ、物理レイヤパラメータ、ラジオ周波数パラメータ、ＦＧＩ（Ｆｅａｔｕｒｅ  Ｇｒｏｕｐ  Ｉｎｄｉｃａｔｏｒ）およびサポートされるほかのＲＡＴ（Ｒａｄｉｏ  Ａｃｃｅｓｓ  Ｔｅｃｈｎｏｌｏｇｉｅｓ）の周波数帯情報などを含む。
【００５９】
具体的に、ＵＥにサポートされるＥ−ＵＴＲＡ周波数帯能力情報をラジオ周波数パラメータで指示する。ＦＧＩは、長さが例えば３２のビット情報であり、Ｅ−ＵＴＲＡにおいてＵＥにサポートされる機能特徴群をＦＧＩで指示する。例えば、ＵＥのＰＵＳＣＨ（Ｐｈｙｓｉｃａｌ  Ｕｐｌｉｎｋ  Ｓｈａｒｅｄ  Ｃｈａｎｎｅｌ）サブフレーム内のホッピング機能、ＰＵＣＣＨ（Ｐｈｙｓｉｃａｌ  Ｕｐｌｉｎｋ  Ｃｏｎｔｒｏｌ  ＣＨａｎｎｅｌ）におけるＣＱＩ（Ｃｈａｎｎｅｌ  Ｑｕａｌｉｔｙ  Ｉｎｄｉｃａｔｏｒ）とＡＣＫ／ＮＡＣＫの同時送信機能、測定機能（例えば異周波数測定機能）、３Ｇネットワーク測定機能、２Ｇネットワーク測定機能、切換能力（例えば異周波数切換機能）、ＴＤＤとＦＤＤの間の切換機能などが含まれる。ＵＥにサポートされる機能特徴の関連ビットを１に設定するが、さもなければ０に設定する。
【００６０】
端末は、端末の能力情報をＵＥ能力情報メッセージによって基地局にレポートする。ＵＥ能力情報メッセージのＥ−ＵＴＲＡ能力情報には、通常、端末にサポートされるＴＤＤとＦＤＤ技術方式能力を指示する情報が含まれる。現在、ＵＥのＥ−ＵＴＲＡ能力情報は、ＴＤＤまたはＦＤＤ技術方式に関する能力しか指示できず、例えばＵＥにサポートされるＥ−ＵＴＲＡ周波数帯をラジオ周波数パラメータで指示し、Ｅ−ＵＴＲＡの異周波数測定機能、Ｅ−ＵＴＲＡから３Ｇへの切換機能、ＴＤＤまたはＦＤＤ技術方式内の切換機能、ＴＤＤとＦＤＤ技術方式の間の切換機能などの機能特徴に対してＵＥにサポートされるかをＦＧＩで指示する。
【００６１】
本開示の実施例において、端末にサポートされるＭＦ技術方式能力をＵＥ能力情報メッセージのＥ−ＵＴＲＡ能力情報で指示できるため、端末からサポートされるＭＦ技術方式能力を基地局に指示する目的が実現される。
【００６２】
ステップ１０３において、前記ＵＥ能力情報メッセージを前記基地局に送信する。
【００６３】
ここで、端末は、サポートされるＭＦ技術方式能力を指示するＵＥ能力情報メッセージを基地局にレポートすることによって、ＭＦ技術方式に関連する機能が実現される。
【００６４】
本開示の実施例の端末能力指示方法において、端末からサポートされるＭＦ技術方式能力を基地局に指示する目的が実現され、端末のＭＦ技術方式における関連機能が実現される。ＭＦ技術方式に関する能力指示情報がＵＥのＥ−ＵＴＲＡ能力情報にないため、ＵＥのＭＦ技術方式における関連機能が実現できないという従来技術の問題を解決した。
実施例２
【００６５】
図２に示すように、本開示の実施例の端末能力指示方法は、端末に応用され、ステップ２０１、ステップ２０２および／またはステップ２０３、ステップ２０４を含む。
【００６６】
ステップ２０１において、ユーザ機器ＵＥ能力取得要求メッセージを基地局から受信する。
【００６７】
ここで、Ｅ−ＵＴＲＡセルにアクセスする端末は、ＵＥ能力取得要求メッセージを基地局から受信すると、サポートされるＥ−ＵＴＲＡ能力情報を基地局にレポートする。
【００６８】
ステップ２０２において、サポートされるＭＦ技術方式周波数帯を、ＵＥ能力情報メッセージのＥ−ＵＴＲＡ能力情報に含まれるラジオ周波数パラメータで指示する。
【００６９】
ステップ２０３において、サポートされるＭＦ技術方式機能特徴を、ＵＥ能力情報メッセージのＥ−ＵＴＲＡ能力情報に含まれるＦＧＩパラメータで指示する。ＭＦ技術方式機能特徴は、ＭＦ技術方式の測定機能特徴とＭＦ技術方式の切換機能特徴を含む。
【００７０】
本開示の実施例において、異周波数測定機能特徴と異周波数切換機能特徴を例として説明する。なお、本開示は、これについて限定しない。
【００７１】
端末は、端末の能力情報をＵＥ能力情報メッセージによって基地局にレポートする。ＵＥ能力情報メッセージのＥ−ＵＴＲＡ能力情報には、通常、端末にサポートされるＴＤＤとＦＤＤ技術方式能力を指示する情報が含まれる。
【００７２】
ここで、端末は、サポートされるＭＦ技術方式周波数帯を、Ｅ−ＵＴＲＡ能力情報に含まれるラジオ周波数パラメータで指示し、サポートされるＭＦ技術方式機能特徴を、Ｅ−ＵＴＲＡ能力情報に含まれるＦＧＩパラメータで指示することによって、端末からサポートされるＭＦ技術方式能力を基地局に指示する目的が実現される。
【００７３】
ここで、ＭＦ技術方式機能特徴は、ＭＦ技術方式の異周波数測定機能特徴とＭＦ技術方式の異周波数切換機能特徴を含む。通常、異周波数切換機能特徴は、異周波数測定機能特徴に対して端末がサポートする場合に限って、端末にサポートされる。具体的に、異周波数測定機能特徴のビットを例えば１に設定する場合、すなわち異周波数測定機能特徴に対して端末がサポートすることをＦＧＩで指示する場合に限って、異周波数切換機能特徴を例えば１に設定し、すなわち対応する異周波数切換機能特徴に対して端末がサポートすることをＦＧＩで指示する。例えば、ＭＦ、ＴＤＤまたはＦＤＤ技術方式内の異周波数測定機能特徴を指示するビットが１である場合に限って、ＭＦ、ＴＤＤまたはＦＤＤ技術方式内の異周波数切換機能特徴のビットを１に設定する。
【００７４】
ステップ２０４において、ＵＥ能力情報メッセージを基地局に送信する。
【００７５】
ここで、端末は、サポートされるＭＦ技術方式能力を指示するＵＥ能力情報メッセージを基地局にレポートすることによって、ＭＦ技術方式に関連する機能の対応が実現される。
【００７６】
本開示の実施例の端末能力指示方法において、端末は、サポートされるＭＦ技術方式周波数帯を、Ｅ−ＵＴＲＡ能力情報のラジオ周波数パラメータで指示し、サポートされるＭＦ技術方式機能特徴を、Ｅ−ＵＴＲＡ能力情報のＦＧＩパラメータで指示することによって、サポートされるＭＦ技術方式能力を指示する目的が実現され、端末のＭＦ技術方式における関連機能が実現される。ＭＦ技術方式に関する能力指示情報がＵＥのＥ−ＵＴＲＡ能力情報にないため、ＵＥのＭＦ技術方式における関連機能が実現できないという従来技術の問題を解決した。
【００７７】
Ｅ−ＵＴＲＡ能力情報のラジオ周波数パラメータにおいて、周波数帯リストによって、端末にサポートされるＴＤＤまたはＦＤＤ技術方式周波数帯を指示することができる。本開示の実施例において、端末は、Ｅ−ＵＴＲＡ能力情報のラジオ周波数パラメータにおける周波数帯リストによって、サポートされるＭＦ技術方式周波数帯を指示する。ここで、ＭＦ技術方式周波数帯の指示方式が２種類あり、すなわち、上記ステップ２０２は、２種類の方式で実現される。
方式１：
【００７８】
上記ステップ２０２は、ステップ２０２１を含んでもよい。ステップ２０２１において、ＭＦ技術方式とＬＡＡ技術方式で同一の周波数帯番号が使用される場合、ＵＥ能力情報メッセージのＥ−ＵＴＲＡ能力情報に含まれるラジオ周波数パラメータのうち、周波数帯番号と、ネットワークタイプを用いて、サポートされるＭＦ技術方式周波数帯を指示する。ここで、ネットワークタイプは、ＭＦ技術方式および／またはＬＡＡ技術方式を含む。
【００７９】
ＬＡＡ（Ｌｉｃｅｎｓｅｄ  Ａｓｓｉｓｔａｎｔ  Ａｃｃｅｓｓ）技術は、現在の３ＧＰＰ標準に導入されたものであって、アンライセンスバンドで使用される物理レイヤ技術である。ＭＦ技術とは異なり、ＬＡＡ搬送波は、アンライセンスバンドのサービングＵＥに独立に運用できず、キャリアアグリゲーション技術を採用してライセンスバンドの搬送波とＬＡＡ搬送波のアグリゲーションを行わなければならない。ここで、ライセンスバンド搬送波は、サービングＵＥのプライマリセル（ＰＣｅｌｌ）とし、ＬＡＡ搬送波は、サービングＵＥのセカンダリセル（ＳＣｅｌｌ）とする。
【００８０】
ここで、ＭＦ技術方式とＬＡＡ技術方式で同一のアンライセンス周波数帯番号、例えばＢａｎｄ  ４６が使用される場合、Ｅ−ＵＴＲＡ能力情報のラジオ周波数パラメータのうち、周波数帯番号と、ネットワークタイプを用いて、端末にサポートされるＭＦ技術方式周波数帯を指示する。このとき、Ｅ−ＵＴＲＡ能力情報のラジオ周波数パラメータの周波数帯リストでの周波数帯番号によって周波数帯情報を指示するほか、ネットワークタイプを追加して、当該周波数帯でサポートされる技術方式を指示する。ネットワークタイプは、ＭＦ技術方式および／またはＬＡＡ技術方式を含み、当該周波数帯についてＭＦ技術方式とＬＡＡ技術方式の一つまたは同時に両方をサポートすることを指示する。
方式２：
【００８１】
上記ステップ２０２は、ステップ２０２２を含んでもよい。ステップ２０２２において、ＭＦ技術方式とＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いて、サポートされるＭＦ技術方式周波数帯を指示する。
【００８２】
ここで、ＭＦ技術方式とＬＡＡ技術方式で異なる周波数帯番号が使用され、例えばＬＡＡ技術方式とＭＦ技術方式では、同一の周波数範囲（５１５０ＭＨｚ−５９２５ＭＨｚ）を有するＢａｎｄ  ４６、Ｂａｎｄ  ２５５がそれぞれ使用される場合、Ｅ−ＵＴＲＡ能力情報に含まれるラジオ周波数パラメータのうち、周波数帯番号を用いて、端末にサポートされるＭＦ技術方式周波数帯を指示する。このとき、周波数帯番号を使用すればＭＦ技術方式とＬＡＡ技術方式の周波数帯を区別することができるため、Ｅ−ＵＴＲＡ能力情報のラジオ周波数パラメータの周波数帯リストでの周波数帯番号を用いて、端末がサポートされるＭＦ技術方式周波数帯を指示することができる。
【００８３】
このとき、上記２種類の方式によって、端末からサポートされるＭＦ技術方式周波数帯を基地局に指示する目的が実現され、かつＭＦ技術方式の周波数帯とＬＡＡ技術方式の周波数帯を合理的に区別することができる。
【００８４】
本開示の実施例の端末能力指示方法において、端末は、サポートされるＭＦ技術方式周波数帯をＥ−ＵＴＲＡ能力情報のラジオ周波数パラメータで指示し、かつＭＦ技術方式の周波数帯とＬＡＡ技術方式の周波数帯を合理的に区別することができ、サポートされるＭＦ技術方式機能特徴をＥ−ＵＴＲＡ能力情報のＦＧＩパラメータで指示することによって、サポートされるＭＦ技術方式能力を指示する目的が実現され、端末のＭＦ技術方式における関連機能が実現される。ＭＦ技術方式に関する能力指示情報がＵＥのＥ−ＵＴＲＡ能力情報にないため、ＵＥのＭＦ技術方式における関連機能が実現できないという従来技術の問題を解決した。
実施例３
【００８５】
図３に示すように、本開示の実施例の端末能力指示方法は、端末に応用され、ステップ３０１、ステップ３０２および／またはステップ３０３、ステップ３０４を含む。
【００８６】
ステップ３０１において、ユーザ機器ＵＥ能力取得要求メッセージを基地局から受信する。
【００８７】
ここでＥ−ＵＴＲＡセルにアクセスする端末は、ＵＥ能力取得要求メッセージを基地局から受信すると、サポートされるＥ−ＵＴＲＡ能力情報を基地局にレポートする。
【００８８】
ステップ３０２において、サポートされるＭＦ技術方式周波数帯を、ＵＥ能力情報メッセージのＥ−ＵＴＲＡ能力情報に含まれるラジオ周波数パラメータで指示する。
【００８９】
ステップ３０３において、サポートされるＭＦ技術方式の測定機能特徴を、ＵＥ能力情報メッセージのＥ−ＵＴＲＡ能力情報に含まれるＦＧＩパラメータのうち、測定機能特徴を指示するビット情報および／または所定の空き状態のビット情報を用いて指示する。
【００９０】
端末は、端末の能力情報をＵＥ能力情報メッセージによって基地局にレポートする。ＵＥ能力情報メッセージのＥ−ＵＴＲＡ能力情報には、通常、端末にサポートされるＴＤＤとＦＤＤ技術方式能力を指示する情報が含まれる。
【００９１】
ここで、ＭＦ技術方式の導入によって別途に占有する空き状態のＦＧＩビットを節約するために、ＦＧＩの冗長情報量を使用し、ＦＧＩのうち、ＴＤＤとＦＤＤ技術方式の異周波数測定機能特徴を指示するビット情報を用いて、同時にＭＦ技術方式の異周波数測定機能特徴を指示し、または、空き状態のＦＧＩビット情報を用いて、ＭＦ技術方式の異周波数測定機能特徴を指示することによって、占有する空き状態のＦＧＩビットを節約する目的が実現される。
【００９２】
また、端末は、サポートされるＭＦ技術方式周波数帯を、Ｅ−ＵＴＲＡ能力情報に含まれるラジオ周波数パラメータで指示し、サポートされるＭＦ技術方式機能特徴を、Ｅ−ＵＴＲＡ能力情報に含まれるＦＧＩパラメータで指示することによって、サポートされるＭＦ技術方式能力を指示する目的が実現される。
【００９３】
ここで、ＭＦ技術方式機能特徴は、ＭＦ技術方式の異周波数測定機能特徴とＭＦ技術方式の異周波数切換機能特徴を含む。通常、異周波数測定機能特徴に対して端末がサポートする場合に限って、端末が対応する異周波数切換機能特徴に対してサポートする。具体的に、かかる異周波数測定機能特徴のビットを例えば１に設定する場合、すなわち、かかる異周波数測定機能特徴に対して端末がサポートすることをＦＧＩで指示する場合に限って、対応する異周波数切換機能特徴を例えば１に設定し、すなわち異周波数切換機能特徴に対して端末がサポートすることをＦＧＩで指示する。例えば、ＭＦ、ＴＤＤまたはＦＤＤ技術方式内の異周波数測定機能特徴を指示するビットが１である場合に限って、ＭＦ、ＴＤＤまたはＦＤＤ技術方式内の異周波数切換機能特徴のビットを１に設定する。
【００９４】
ここで、前記ＭＦ技術方式の異周波数測定機能特徴は、ＭＦ技術方式内の異周波数測定機能特徴、ＭＦ技術方式とＴＤＤまたはＦＤＤ技術方式の間の異周波数測定機能特徴を含む。
【００９５】
ＭＦ技術方式とＴＤＤまたはＦＤＤ技術方式との間の異周波数測定機能特徴は、ＭＦ技術方式におけるＴＤＤまたはＦＤＤ技術方式に対する異周波数測定機能特徴、ＴＤＤまたはＦＤＤ技術方式におけるＭＦ技術方式に対する異周波数測定機能特徴を含む。
【００９６】
ステップ３０４において、前記ＵＥ能力情報メッセージを前記基地局に送信する。
【００９７】
ここで、端末は、サポートされるＭＦ技術方式能力を指示するＵＥ能力情報メッセージを基地局にレポートすることによって、ＭＦ技術方式に関連する機能が実現される。
【００９８】
本開示の実施例の端末能力指示方法において、端末は、サポートされるＭＦ技術方式周波数帯を、Ｅ−ＵＴＲＡ能力情報のラジオ周波数パラメータで指示し、サポートされるＭＦ技術方式機能特徴を、Ｅ−ＵＴＲＡ能力情報のＦＧＩパラメータで指示することによって、サポートされるＭＦ技術方式能力を指示する目的が実現され、端末のＭＦ技術方式における関連機能が実現される。しかも、ＭＦ方式の導入によって占有するＦＧＩビットが増加することが避けられ、占有する空き状態ＦＧＩビットを節約する目的を達成した。ＭＦ技術方式に関する能力指示情報がＵＥのＥ−ＵＴＲＡ能力情報にないため、ＵＥのＭＦ技術方式における関連機能が実現できないという従来技術の問題を解決した。
【００９９】
選択可能に、Ｅ−ＵＴＲＡ能力情報のＦＧＩのうち例えばＢｉｔ  ２５を用いて、異周波数測定機能特徴を指示する。例えば、Ｂｉｔ  ２５が１である場合、端末にサポートされる異周波数の測定とレポートが可能であることを示し、ここで端末にサポートされる異周波数は、Ｅ−ＵＴＲＡ能力情報のラジオ周波数パラメータの周波数帯リストによって指示される。Ｂｉｔ  ２５を１に設定することによって、端末がＴＤＤ技術方式で対応可のＦＤＤ技術方式の周波数帯に対し測定とレポートを行う機能特徴、および、端末がＦＤＤ技術方式で対応可のＴＤＤ技術方式の周波数帯に対し測定とレポートを行う機能特徴を指示することもできる。
【０１００】
本開示の実施例において、端末は、ＦＧＩのうちのＢｉｔ  ２５またはＦＧＩのうちの空き状態のビットを用いて、端末がＭＦ技術方式で対応可のＭＦ技術方式の異周波数に対し測定とレポートを行う機能特徴、すなわちＭＦ技術方式内の異周波数測定機能特徴、または、端末がＭＦ技術方式で対応可のＴＤＤまたはＦＤＤ技術方式の周波数帯に対し測定とレポートを行う機能特徴、または、端末がＴＤＤまたはＦＤＤ技術方式で対応可のＭＦ技術方式の周波数帯に対し測定とレポートを行う機能特徴を指示する。以下、計７種類ある指示方式をそれぞれ説明する。
方式１：
【０１０１】
上記ステップ３０３は、下記ステップ３０３１を含んでもよい。ステップ３０３１において、端末は、ＵＥ能力情報メッセージのＥ−ＵＴＲＡ能力情報に含まれるＦＧＩパラメータのうち、所定の空き状態の第１ビット情報を用いて、サポートされるＭＦ技術方式内の異周波数測定機能特徴を指示し、所定の空き状態の第２ビット情報を用いて、サポートされるＭＦ技術方式とＴＤＤ技術方式の間の異周波数測定機能特徴を指示し、所定の空き状態の第３ビット情報を用いて、サポートされるＭＦ技術方式とＦＤＤ技術方式の間の異周波数測定機能特徴を指示する。
【０１０２】
この場合、ＦＧＩのうちの別途の３つのビット情報を用いて、ＭＦ技術方式内の異周波数測定機能特徴、ＭＦ技術方式とＴＤＤ技術方式との間の異周波数測定機能特徴、ＭＦ技術方式とＦＤＤ技術方式との間の異周波数測定機能特徴をそれぞれ指示して、他の情報への干渉を回避した。
方式２：
【０１０３】
上記ステップ３０３は、下記ステップ３０３２を含んでもよい。ステップ３０３２において、端末は、ＵＥ能力情報メッセージのＥ−ＵＴＲＡ能力情報に含まれるＦＧＩパラメータのうち、異周波数測定機能特徴を指示するビット情報を用いて、サポートされるＭＦ技術方式内の異周波数測定機能特徴を指示し、所定の空き状態の第２ビット情報を用いて、サポートされるＭＦ技術方式とＴＤＤ技術方式の間の異周波数測定機能特徴を指示し、所定の空き状態の第３ビット情報を用いて、サポートされるＭＦ技術方式とＦＤＤ技術方式の間の異周波数測定機能特徴を指示する。
【０１０４】
端末が同時にＭＦ技術方式、ＴＤＤ技術方式、ＦＤＤ技術方式にならないため、このような冗長情報を用いて、ＭＦ技術方式での機能特徴指示情報を例えばＢｉｔ  ２５のような一部のＦＧＩビットに携帯させる。
【０１０５】
ここで、ＦＧＩのうち、異周波数測定機能特徴を指示するビット情報、すなわちＢｉｔ  ２５を用いて、ＭＦ技術方式内の異周波数測定機能特徴を指示することによって、ＭＦ技術方式の導入によって空き状態のＦＧＩビットを別途に占有することを避け、占有する空き状態のＦＧＩビットを節約する。ＦＧＩのうち空き状態の２ビット情報を用いて、ＭＦ技術方式とＴＤＤ技術方式の間の異周波数測定機能特徴、ＭＦ技術方式とＦＤＤ技術方式の間の異周波数測定機能特徴を指示することによって、他の情報への干渉を避ける。
【０１０６】
ここで、端末がＭＦ技術方式である場合、ＦＧＩのうちのＢｉｔ  ２５は、端末がＭＦ技術方式で対応可のＭＦ技術方式の周波数帯に対し測定とレポートを行う機能特徴を指示する。端末は、ＭＦ技術方式からＴＤＤまたはＦＤＤ技術方式に変更した場合、ＦＧＩのうちのＢｉｔ  ２５は、端末のＴＤＤまたはＦＤＤ技術方式内の異周波数の測定とレポート、ＴＤＤ技術方式で対応可のＦＤＤ技術方式の周波数帯に対する測定とレポート、または、ＦＤＤ技術方式で対応可のＴＤＤ技術方式の周波数帯に対する測定とレポートの機能特徴を指示する。
【０１０７】
上記ＭＦ技術方式とＴＤＤ技術方式の間の異周波数測定機能特徴は、端末がＭＦ技術方式で対応可のＴＤＤ技術方式の周波数帯に対し測定とレポートを行う機能特徴、および、端末がＴＤＤ技術方式で対応可のＭＦ技術方式の周波数帯に対し測定とレポートを行う機能特徴を含む。
【０１０８】
上記ＭＦ技術方式とＦＤＤ技術方式の間の異周波数測定機能特徴は、端末がＭＦ技術方式で対応可のＦＤＤ技術方式の周波数帯に対し測定とレポートを行う機能特徴、および、端末がＦＤＤ技術方式で対応可のＭＦ技術方式の周波数帯に対し測定とレポートを行う機能特徴を含む。
【０１０９】
ＦＧＩ  Ｂｉｔ  ２５およびサポートされるＭＦ技術方式機能特徴を指示するための空き状態のＦＧＩビットは、ＴＤＤ、ＦＤＤまたはＦＤＤ技術方式の区分を必要としないため、すなわち、ＵＥにアクセス技術の変更があってもＦＧＩをあらためてレポートする必要がなく、サポートされる機能特徴をＦＧＩで指示する複雑度の増加が避けられる。
【０１１０】
例えば、下記表１のように、端末は、ＦＧＩのうちのＢｉｔ  ２５を用いて、サポートされるＴＤＤまたはＦＤＤ技術方式内の異周波数測定機能特徴、ＴＤＤとＦＤＤ技術方式の間の異周波数測定機能特徴を指示し、同時にサポートされるＭＦ技術方式内の異周波数測定機能特徴を指示する。ＦＧＩのうちの空き状態の例えばＢｉｔ  １３１を用いて、サポートされるＭＦとＴＤＤ技術方式の間の異周波数測定機能特徴を指示し、ＦＧＩのうちの空き状態の例えばＢｉｔ  １３２を用いて、ＭＦとＦＤＤ技術方式の間の異周波数測定機能特徴を指示する。
【０１１１】
【表１】
2019506063.tif 000024
方式３：
【０１１２】
上記ステップ３０３において、端末は、ＵＥ能力情報メッセージのＥ−ＵＴＲＡ能力情報に含まれるＦＧＩパラメータのうち、異周波数測定機能特徴を指示するビット情報を用いて、サポートされるＭＦ技術方式内の異周波数測定機能特徴およびＭＦ技術方式におけるＴＤＤまたはＦＤＤ技術方式に対する異周波数測定機能特徴を指示し、所定の空き状態の第３ビット情報を用いて、サポートされるＴＤＤまたはＦＤＤ技術方式におけるＭＦ技術方式に対する異周波数測定機能特徴を指示するステップ３０３３を含んでもよい。
【０１１３】
端末がＭＦ技術方式においてＴＤＤまたはＦＤＤ技術方式に対する測定に同一の特徴を有する場合、このような冗長情報を用いて、ＭＦ技術方式での機能特徴指示情報を一部のＦＧＩビットに携帯させる。例えば、Ｂｉｔ  ２５を用いて、同時に端末のＭＦ技術方式における異周波数測定機能特徴および端末のＴＤＤまたはＦＤＤ技術方式における異周波数測定機能特徴を指示する。
【０１１４】
ここで、ＦＧＩのうち、異周波数測定機能特徴を指示するビット情報、すなわちＢｉｔ  ２５を用いて、ＭＦ技術方式内の異周波数測定機能特徴、および、端末のＭＦ技術方式におけるＴＤＤまたはＦＤＤ技術方式に対する異周波数測定機能特徴を指示することによって、ＭＦ技術方式の導入によって空き状態のＦＧＩビットを別途に占有することを避け、占有する空き状態のＦＧＩビットを節約する。ＦＧＩのうち空き状態の１ビット情報を用いて、端末のＴＤＤまたはＦＤＤ技術方式におけるＭＦ技術方式に対する異周波数測定機能特徴を指示し、他の情報への干渉を避ける。
【０１１５】
ここで、端末が異なる方式である場合、ＦＧＩのＢｉｔ  ２５は、異なる機能特徴を指示する。端末がＭＦ技術方式である場合、ＦＧＩ  Ｂｉｔ  ２５は、端末がＭＦ技術方式で対応可のＭＦ技術方式の周波数帯に対し測定とレポートを行う機能特徴、および、端末がＭＦ技術方式で対応可のＴＤＤまたはＦＤＤ技術方式の周波数帯に対し測定とレポートを行う機能特徴を指示する。端末は、ＭＦ技術方式からＴＤＤまたはＦＤＤ技術方式に変更した場合、ＦＧＩ  Ｂｉｔ  ２５は、端末のＴＤＤ技術方式で対応可のＦＤＤ技術方式の周波数帯に対する測定とレポート、または、ＦＤＤ技術方式で対応可のＴＤＤ周波数帯に対する測定とレポートの機能特徴を指示する。
【０１１６】
ＦＧＩ  Ｂｉｔ  ２５およびサポートされるＭＦ技術方式機能特徴を指示するための空き状態のＦＧＩビットは、ＴＤＤ、ＦＤＤまたはＦＤＤ技術方式の区分を必要としないため、すなわち、ＵＥにアクセス技術の変更があってもＦＧＩをあらためてレポートする必要がなく、サポートされる機能特徴をＦＧＩで指示する複雑度の増加が避けられる。
【０１１７】
例えば、下記表２のように、端末は、ＦＧＩのうちのＢｉｔ  ２５を用いて、サポートされるＴＤＤまたはＦＤＤ技術方式内の異周波数測定機能特徴、ＴＤＤとＦＤＤ技術方式の間の異周波数測定機能特徴、サポートされるＭＦ技術方式内の異周波数測定機能特徴および端末がＭＦ技術方式においてＴＤＤまたはＦＤＤ技術方式に対する異周波数測定機能特徴を指示する。ＦＧＩのうちの空き状態のＢｉｔ  １３２を用いて、端末のＴＤＤまたはＦＤＤ技術方式においてＭＦ技術方式に対する異周波数測定機能特徴を指示する。
【０１１８】
【表２】
2019506063.tif 000025
方式４：
【０１１９】
上記ステップ３０３において、端末は、ＵＥ能力情報メッセージのＥ−ＵＴＲＡ能力情報に含まれるＦＧＩパラメータのうち、異周波数測定機能特徴を指示するビット情報を用いて、サポートされるＭＦ技術方式内の異周波数測定機能特徴を指示し、所定の空き状態の第３ビット情報を用いて、サポートされるＭＦ技術方式とＴＤＤまたはＦＤＤ技術方式の間の異周波数測定機能特徴を指示するステップ３０３４を含んでもよい。
【０１２０】
端末がＭＦ技術方式においてＴＤＤまたはＦＤＤ技術方式に対する測定に同一の特徴を有する場合、このような冗長情報を用いて、一部の空き状態のＦＧＩビットを節約することができる。例えば、別途に１つのＦＧＩビットを用いて、同時に端末のＭＦ技術方式とＴＤＤまたはＦＤＤ技術方式の間の異周波数測定機能特徴を指示する。
【０１２１】
ここで、ＦＧＩのうち、異周波数測定機能特徴を指示するビット情報、すなわちＢｉｔ  ２５を用いて、ＭＦ技術方式内の異周波数測定機能特徴を指示し、同一の空き状態のビット情報を用いて、ＭＦ技術方式とＴＤＤまたはＦＤＤ技術方式の間の異周波数測定機能特徴を指示することによって、ＭＦ技術方式の導入によって空き状態のＦＧＩビットを別途に占有することを避け、占有する空き状態のＦＧＩビットを節約する。
【０１２２】
ＦＧＩ  Ｂｉｔ  ２５およびサポートされるＭＦ技術方式機能特徴を指示するための空き状態のＦＧＩビットは、ＴＤＤ、ＦＤＤまたはＦＤＤ技術方式の区分を必要としないため、すなわち、ＵＥにアクセス技術の変更があってもＦＧＩをあらためてレポートする必要がなく、サポートされる機能特徴をＦＧＩで指示する複雑度の増加が避けられる。
【０１２３】
例えば、下記表３のように、端末は、ＦＧＩのうちのＢｉｔ  ２５を用いて、サポートされるＴＤＤまたはＦＤＤ技術方式内の異周波数測定機能特徴、ＴＤＤとＦＤＤ技術方式の間の異周波数測定機能特徴、サポートされるＭＦ技術方式内の異周波数測定機能特徴を指示する。ＦＧＩのうちの空き状態のＢｉｔ  １３２を用いて、サポートされるＭＦとＴＤＤ技術方式との間の異周波数測定機能特徴、ＭＦとＦＤＤ技術方式との間の異周波数測定機能特徴を指示する。
【０１２４】
【表３】
2019506063.tif 000026
方式５：
【０１２５】
上記ステップ３０３において、端末は、ＵＥ能力情報メッセージのＥ−ＵＴＲＡ能力情報に含まれるＦＧＩパラメータのうち、異周波数測定機能特徴を指示するビット情報を用いて、サポートされるＭＦ技術方式内の異周波数測定機能特徴およびＭＦ技術方式とＴＤＤ技術方式の間の異周波数測定機能特徴を指示し、所定の空き状態の第３ビット情報を用いて、サポートされるＭＦ技術方式とＦＤＤ技術方式の間の異周波数測定機能特徴を指示するステップ３０３５を含んでもよい。
【０１２６】
端末がＴＤＤ技術方式においてＭＦとＦＤＤ技術方式に対し同一の測定機能特徴を有する場合、このような冗長情報を用いて、空き状態のＦＧＩビットを節約することができる。例えば、ＦＧＩ  Ｂｉｔ  ２５を用いて、同時に端末のＭＦ技術方式内の異周波数測定機能特徴および端末のＭＦ技術方式とＴＤＤ技術方式の間の異周波数測定機能特徴を指示する。
【０１２７】
ここで、ＦＧＩのうち、異周波数測定機能特徴を指示するビット情報、すなわちＢｉｔ  ２５を用いて、ＭＦ技術方式内の異周波数測定機能特徴、および、ＭＦ技術方式とＴＤＤ技術方式の間の異周波数測定機能特徴を指示することによって、ＭＦ技術方式の導入によって空き状態のＦＧＩビットを別途に占有することを避け、占有する空き状態のＦＧＩビットを節約する。ＦＧＩのうち空き状態の１ビット情報を用いて、ＭＦ技術方式とＦＤＤ技術方式の間の異周波数測定機能特徴を指示し、他の情報への干渉を避ける。
【０１２８】
ここで、端末が異なる方式である場合、ＦＧＩのＢｉｔ  ２５は、異なる機能特徴を指示する。端末がＭＦ技術方式である場合、ＦＧＩ  Ｂｉｔ  ２５は、端末にサポートされるＭＦ技術方式の周波数帯に対し測定とレポートを行う機能特徴、および、サポートされるＴＤＤ技術方式の周波数帯に対し測定とレポートを行う機能特徴を指示する。端末は、ＭＦ技術方式からＴＤＤ技術方式に変更した場合、ＦＧＩ  Ｂｉｔ  ２５は、端末のサポートされるＦＤＤ技術方式の周波数帯またはＭＦ技術方式の周波数帯に対する測定とレポートの機能特徴を指示する。端末がＦＤＤ技術方式である場合、ＦＧＩ  Ｂｉｔ  ２５は、端末にサポートされるＴＤＤ技術方式の周波数帯に対し測定とレポートを行う機能特徴を指示する。
【０１２９】
ＦＧＩ  Ｂｉｔ  ２５およびサポートされるＭＦ技術方式機能特徴を指示するための空き状態のＦＧＩビットは、ＴＤＤ、ＦＤＤまたはＦＤＤ技術方式の区分を必要としないため、すなわち、ＵＥにアクセス技術の変更があってもＦＧＩをあらためてレポートする必要がなく、サポートされる機能特徴をＦＧＩで指示する複雑度の増加が避けられる。
【０１３０】
例えば、下記表４のように、端末は、ＦＧＩのうちのＢｉｔ  ２５を用いて、サポートされるＴＤＤまたはＦＤＤ技術方式内の異周波数測定機能特徴、ＴＤＤとＦＤＤ技術方式の間の異周波数測定機能特徴、ＭＦ技術方式内の異周波数測定機能特徴、ＭＦとＴＤＤ技術方式の間の異周波数測定機能特徴を指示する。ＦＧＩのうちの空き状態のＢｉｔ  １３２を用いて、ＭＦとＦＤＤ技術方式の間の異周波数測定機能特徴を指示する。
【０１３１】
【表４】
2019506063.tif 000027
方式６：
【０１３２】
上記ステップ３０３において、端末は、ＵＥ能力情報メッセージのＥ−ＵＴＲＡ能力情報に含まれるＦＧＩパラメータのうち、異周波数測定機能特徴を指示するビット情報を用いて、サポートされるＭＦ技術方式内の測定機能特徴およびＭＦ技術方式とＦＤＤ技術方式の間の異周波数測定機能特徴を指示し、所定の空き状態の第３ビット情報を用いて、サポートされるＭＦ技術方式とＴＤＤ技術方式の間の異周波数測定機能特徴を指示するステップ３０３６を含んでもよい。
【０１３３】
端末がＦＤＤ技術方式においてＭＦとＴＤＤ技術方式に対し同一の測定機能特徴を有する場合、このような冗長情報を用いて、空き状態のＦＧＩビットを節約することができる。例えば、ＦＧＩ  Ｂｉｔ  ２５を用いて、同時に端末のＭＦ技術方式内の異周波数測定機能特徴および端末のＭＦ技術方式とＦＤＤ技術方式の間の異周波数測定機能特徴を指示する。
【０１３４】
ここで、ＦＧＩのうち、異周波数測定機能特徴を指示するビット情報、すなわちＢｉｔ  ２５を用いて、ＭＦ技術方式内の異周波数測定機能特徴、および、ＭＦ技術方式とＦＤＤ技術方式の間の異周波数測定機能特徴を指示することによって、ＭＦ技術方式の導入によって空き状態のＦＧＩビットを別途に占有することを避け、占有する空き状態のＦＧＩビットを節約する。ＦＧＩのうち空き状態の１ビット情報を用いて、ＭＦ技術方式とＴＤＤ技術方式の間の異周波数測定機能特徴を指示し、他の情報への干渉を避ける。
【０１３５】
ここで、端末が異なる方式である場合、ＦＧＩのＢｉｔ  ２５は、異なる機能特徴を指示する。端末がＭＦ技術方式である場合、ＦＧＩ  Ｂｉｔ  ２５は、端末にサポートされるＭＦ技術方式の周波数帯に対し測定とレポートを行う機能特徴、および、サポートされるＦＤＤ技術方式の周波数帯に対し測定とレポートを行う機能特徴を指示する。端末は、ＭＦ技術方式からＦＤＤ技術方式に変更した場合、ＦＧＩ  Ｂｉｔ  ２５は、端末のサポートされるＴＤＤ技術方式の周波数帯またはＭＦ技術方式の周波数帯に対する測定とレポートの機能特徴を指示する。端末がＴＤＤ技術方式である場合、ＦＧＩ  Ｂｉｔ  ２５は、端末にサポートされるＦＤＤ技術方式の周波数帯に対し測定とレポートを行う機能特徴を指示する。
【０１３６】
ＦＧＩ  Ｂｉｔ  ２５およびサポートされるＭＦ技術方式機能特徴を指示するための空き状態のＦＧＩビットは、ＴＤＤ、ＦＤＤまたはＦＤＤ技術方式の区分を必要としないため、すなわち、ＵＥにアクセス技術の変更があってもＦＧＩをあらためてレポートする必要がなく、サポートされる機能特徴をＦＧＩで指示する複雑度の増加が避けられる。
【０１３７】
例えば、下記表５のように、端末は、ＦＧＩのうちのＢｉｔ  ２５を用いて、サポートされるＴＤＤまたはＦＤＤ技術方式内の異周波数測定機能特徴、ＴＤＤとＦＤＤ技術方式の間の異周波数測定機能特徴、ＭＦ技術方式内の異周波数測定機能特徴、ＭＦとＦＤＤ技術方式の間の異周波数測定機能特徴を指示する。ＦＧＩのうちの空き状態のＢｉｔ  １３２を用いて、ＭＦとＴＤＤ技術方式の間の異周波数測定機能特徴を指示する。
【０１３８】
【表５】
2019506063.tif 000028
方式７：
【０１３９】
上記ステップ３０３において、端末は、ＵＥ能力情報メッセージのＥ−ＵＴＲＡ能力情報に含まれるＦＧＩパラメータのうち、異周波数測定機能特徴を指示するビット情報を用いて、サポートされるＭＦ技術方式内の異周波数測定機能特徴、ＭＦ技術方式とＴＤＤまたはＦＤＤ技術方式の間の異周波数測定機能特徴を指示するステップ３０３７を含む。
【０１４０】
ここで、ＦＧＩパラメータのうち異周波数測定機能特徴を指示するビット情報、すなわちＢｉｔ  ２５を用いて、ＭＦ技術方式内の異周波数測定機能特徴、ＭＦ技術方式とＴＤＤまたはＦＤＤ技術方式の間の異周波数測定機能特徴を指示する。この方式は、空き状態のＦＧＩビットを最も節約する。
【０１４１】
この場合、ＦＧＩ  Ｂｉｔ  ２５は、端末の任意方式（ＴＤＤ／ＦＤＤ／ＭＦ）での異周波数測定機能特徴を指示し、すなわち、端末が任意方式（ＴＤＤ／ＦＤＤ／ＭＦ）においてサポートされる任意方式の周波数帯に対し測定とレポートを行う機能特徴を指示する。ＦＧＩ  Ｂｉｔ  ２５を１に設定することは、端末が、サポートされる任意の周波数帯に対し測定とレポートを行うことができることを示す。
【０１４２】
例えば、下記表６のように、端末は、ＦＧＩのうちのＢｉｔ  ２５を用いて、サポートされるＴＤＤまたはＦＤＤ技術方式内の異周波数測定機能特徴、ＴＤＤとＦＤＤ技術方式の間の異周波数測定機能特徴、ＭＦ技術方式内の異周波数測定機能特徴、ＭＦとＴＤＤ技術方式の間の異周波数測定機能特徴、ＭＦとＦＤＤ技術方式の間の異周波数測定機能特徴を指示する。
【０１４３】
【表６】
2019506063.tif 000029
【０１４４】
以上の記載をまとめると、本開示の実施例の端末能力指示方法において、端末がＥ−ＵＴＲＡ能力情報のラジオ周波数パラメータでサポートされるＭＦ技術方式周波数帯を指示し、Ｅ−ＵＴＲＡ能力情報のＦＧＩパラメータでサポートされるＭＦ技術方式機能特徴を指示することによって、サポートされるＭＦ技術方式能力を指示する目的が実現され、端末のＭＦ技術方式における関連機能が実現される。しかも、ＭＦ方式の導入によって占有するＦＧＩビットが増加することが避けられ、占有する空き状態ＦＧＩビットを節約する目的が達成された。ＭＦ技術方式に関する能力指示情報がＵＥのＥ−ＵＴＲＡ能力情報にないため、ＵＥのＭＦ技術方式における関連機能が実現できないという従来技術の問題を解決した。
実施例４
【０１４５】
図４に示すように、本開示の実施例の端末能力指示方法は、端末に応用され、ステップ４０１、ステップ４０２および／またはステップ４０３、ステップ４０４を含む。
【０１４６】
ステップ４０１において、ユーザ機器ＵＥ能力取得要求メッセージを基地局から受信する。
【０１４７】
ここで、Ｅ−ＵＴＲＡセルにアクセスする端末は、ＵＥ能力取得要求メッセージを基地局から受信すると、サポートされるＥ−ＵＴＲＡ能力情報を基地局にレポートする必要がある。
【０１４８】
ステップ４０２において、サポートされるＭＦ技術方式周波数帯を、ＵＥ能力情報メッセージのＥ−ＵＴＲＡ能力情報に含まれるラジオ周波数パラメータで指示する。
【０１４９】
ステップ４０３において、サポートされるＭＦ技術方式の切換機能特徴を、ＵＥ能力情報メッセージのＥ−ＵＴＲＡ能力情報に含まれるＦＧＩパラメータのうち、切換機能特徴を指示するビット情報および／または所定の空き状態のビット情報を用いて指示する。
【０１５０】
端末は、端末の能力情報をＵＥ能力情報メッセージによって基地局にレポートする。ＵＥ能力情報メッセージのＥ−ＵＴＲＡ能力情報には、通常、端末にサポートされるＴＤＤとＦＤＤ技術方式能力を指示する情報が含まれる。
【０１５１】
ここで、ＭＦ技術方式の導入によって別途に占有する空き状態のＦＧＩビットを節約するために、ＦＧＩの冗長情報量を使用し、ＦＧＩのうち、ＴＤＤとＦＤＤ技術方式の異周波数切換機能特徴を指示するビット情報を用いて、同時にＭＦ技術方式の異周波数切換機能特徴を指示し、または、空き状態のＦＧＩビット情報を用いて、ＭＦ技術方式の異周波数切換機能特徴を指示することによって、占有する空き状態のＦＧＩビットを節約する目的を実現する。
【０１５２】
また、端末は、サポートされるＭＦ技術方式周波数帯を、Ｅ−ＵＴＲＡ能力情報に含まれるラジオ周波数パラメータで指示し、サポートされるＭＦ技術方式機能特徴を、Ｅ−ＵＴＲＡ能力情報に含まれるＦＧＩパラメータで指示することによって、サポートされるＭＦ技術方式能力を指示する目的を実現する。
【０１５３】
ここで、ＭＦ技術方式機能特徴は、ＭＦ技術方式の異周波数測定機能特徴とＭＦ技術方式の異周波数切換機能特徴を含む。通常、端末は、切換機能特徴は、かかる測定機能特徴に対して端末がサポートする場合に限って、端末がサポートすることになる。具体的に、かかる測定機能特徴のビットを例えば１に設定する場合、すなわち、かかる測定機能特徴に対して端末がサポートすることをＦＧＩで指示する場合に限って、対応する切換機能特徴のビットを１に設定し、すなわち、対応する切換機能特徴に対して端末がサポートすることをＦＧＩで指示する。例えば、ＭＦ、ＴＤＤまたはＦＤＤ技術方式内の異周波数測定機能特徴を指示するビットが１である場合に限って、対応するＭＦ、ＴＤＤまたはＦＤＤ技術方式内の異周波数切換機能特徴のビットを１に設定する。
【０１５４】
ここで、前記異周波数切換機能特徴を指示するビット情報は、方式内の異周波数切換機能特徴を指示するビット情報と方式間の異周波数切換機能特徴を指示するビット情報を含む。前記ＭＦ技術方式の異周波数切換機能特徴は、ＭＦ技術方式内の異周波数切換機能特徴、ＭＦ技術方式とＴＤＤまたはＦＤＤ技術方式の間の異周波数切換機能特徴を含む。
【０１５５】
ＭＦネットワーク方式とＴＤＤまたはＦＤＤ技術方式との間の異周波数切換機能特徴は、ＭＦネットワーク方式からＴＤＤまたはＦＤＤ技術方式に切り替える異周波数切換機能特徴、ＴＤＤまたはＦＤＤ技術方式からＭＦネットワーク方式に切り替える異周波数切換機能特徴を含む。
【０１５６】
ステップ４０４において、前記ＵＥ能力情報メッセージを前記基地局に送信する。
【０１５７】
ここで、端末は、サポートされるＭＦ技術方式能力を指示するＵＥ能力情報メッセージを基地局にレポートすることによって、ＭＦ技術方式に関連する機能が実現される。
【０１５８】
本開示の実施例の端末能力指示方法において、端末は、サポートされるＭＦ技術方式周波数帯を、Ｅ−ＵＴＲＡ能力情報のラジオ周波数パラメータで指示し、サポートされるＭＦ技術方式機能特徴を、Ｅ−ＵＴＲＡ能力情報のＦＧＩパラメータで指示することによって、サポートされるＭＦ技術方式能力を指示する目的が実現され、端末のＭＦ技術方式における関連機能が実現される。しかも、ＭＦ方式の導入によって占有するＦＧＩビットが増加することが避けられ、占有する空き状態ＦＧＩビットを節約する目的が達成された。ＭＦ技術方式に関する能力指示情報がＵＥのＥ−ＵＴＲＡ能力情報にないため、ＵＥのＭＦ技術方式における関連機能が実現できないという従来技術の問題を解決した。
【０１５９】
通常、Ｅ−ＵＴＲＡ能力情報のＦＧＩのうち、Ｂｉｔ  １３を用いて方式内（ＦＤＤ技術方式またはＴＤＤ技術方式内）の異周波数切換機能特徴を指示し、Ｂｉｔ  ３０を用いて方式間（ＦＤＤ技術方式とＴＤＤ技術方式間）の異周波数切換機能特徴を指示する。
【０１６０】
本開示の実施例において、端末は、ＦＧＩのうちのＢｉｔ  １３または空き状態のビットを用いて、端末のＭＦ技術方式内の異周波数切換機能特徴を指示し、Ｂｉｔ  ３０または空き状態のビットを用いて、ＭＦ技術方式とＦＤＤまたはＴＤＤ技術方式の間の異周波数切換機能特徴を指示する。計７種類ある指示方式を以下それぞれ説明する。
方式１：
【０１６１】
上記ステップ４０３において、端末は、ＵＥ能力情報メッセージのＥ−ＵＴＲＡ能力情報に含まれるＦＧＩパラメータのうち、所定の空き状態の第４ビット情報を用いて、サポートされるＭＦ技術方式内の異周波数切換機能特徴を指示し、所定の空き状態の第５ビット情報を用いて、サポートされるＭＦ技術方式とＴＤＤ技術方式の間の異周波数切換機能特徴を指示し、所定の空き状態の第６ビット情報を用いて、サポートされるＭＦ技術方式とＦＤＤ技術方式の間の異周波数切換機能特徴を指示するステップ４０３１を含む。
【０１６２】
この場合、ＦＧＩのうちの別途の３つのビット情報を用いて、ＭＦ技術方式内の異周波数切換機能特徴、ＭＦ技術方式とＴＤＤ技術方式との間の異周波数切換機能特徴、ＭＦ技術方式とＦＤＤ技術方式との間の異周波数切換機能特徴をそれぞれ指示して、他の情報への干渉を回避する。
方式２：
【０１６３】
上記ステップ４０３において、端末は、ＵＥ能力情報メッセージのＥ−ＵＴＲＡ能力情報に含まれるＦＧＩパラメータのうち、方式内の異周波数切換機能特徴を指示するビット情報を用いて、サポートされるＭＦ技術方式内の異周波数切換機能特徴を指示し、所定の空き状態の第５ビット情報を用いて、サポートされるＭＦ技術方式とＴＤＤ技術方式の間の異周波数切換機能特徴を指示し、所定の空き状態の第６ビット情報を用いて、サポートされるＭＦ技術方式とＦＤＤ技術方式の間の異周波数切換機能特徴を指示するステップ４０３２を含む。
【０１６４】
端末が同時にＭＦ技術方式、ＴＤＤ技術方式、ＦＤＤ技術方式にならないため、このような冗長情報を用いて、ＭＦ技術方式での機能特徴指示情報を一部のＦＧＩビットに携帯させる。
【０１６５】
ここで、ＦＧＩのうち、方式内の異周波数切換機能特徴を指示するビット情報、すなわちＢｉｔ  １３を用いて、ＭＦ技術方式内の異周波数切換機能特徴を指示することによって、ＭＦ技術方式の導入によって空き状態のＦＧＩビットを別途に占有することを避け、占有する空き状態のＦＧＩビットを節約する。ＦＧＩのうち空き状態の２ビット情報を用いて、ＭＦ技術方式とＴＤＤ技術方式の間の異周波数切換機能特徴、ＭＦ技術方式とＦＤＤ技術方式の間の異周波数切換機能特徴を指示し、他の情報への干渉を避ける。
【０１６６】
ここで、端末がＭＦ技術方式である場合、ＦＧＩのうちのＢｉｔ  １３は、端末のＭＦ技術方式内の異周波数切換機能特徴を指示する。端末は、ＭＦ技術方式からＴＤＤまたはＦＤＤ技術方式に変更した場合、ＦＧＩ  Ｂｉｔ  １３は、端末のＴＤＤ技術方式内の異周波数切換機能特徴、またはＦＤＤ技術方式内の異周波数切換機能特徴を指示する。
【０１６７】
上記端末のＭＦ技術方式とＴＤＤ技術方式の間の異周波数切換機能特徴は、端末がＭＦ技術方式からＴＤＤ技術方式に切り替える異周波数切換機能特徴、および、端末がＴＤＤ技術方式からＭＦ技術方式に切り替える異周波数切換機能特徴を含む。
【０１６８】
上記端末のＭＦ技術方式とＦＤＤ技術方式の間の異周波数切換機能特徴は、端末がＭＦ技術方式からＦＤＤ技術方式に切り替える異周波数切換機能特徴、および、端末がＦＤＤ技術方式からＭＦ技術方式に切り替える異周波数切換機能特徴を含む。
【０１６９】
例えば、下記表７のように、端末は、ＦＧＩのうちのＢｉｔ  １３を用いて、ＴＤＤ技術方式内の異周波数切換機能特徴、ＦＤＤ技術方式内の異周波数切換機能特徴、ＭＦ技術方式内の異周波数切換機能特徴を指示する。Ｂｉｔ  ３０を用いて、ＴＤＤとＦＤＤ技術方式の間の異周波数切換機能特徴を指示する。ＦＧＩのうちの空き状態の例えばＢｉｔ  １３１を用いて、ＭＦとＴＤＤ技術方式の間の異周波数切換機能特徴を指示し、ＦＧＩのうちの空き状態の例えばＢｉｔ  １３２を用いて、ＭＦとＦＤＤ技術方式の間の異周波数切換機能特徴を指示する。
【０１７０】
【表７】
2019506063.tif 000030
方式３：
【０１７１】
上記ステップ４０３において、端末は、ＵＥ能力情報メッセージのＥ−ＵＴＲＡ能力情報に含まれるＦＧＩパラメータのうち、方式内の異周波数切換機能特徴を指示するビット情報を用いて、サポートされるＭＦ技術方式内の異周波数切換機能特徴を指示し、方式間の異周波数切換機能特徴を指示するビット情報を用いて、サポートされるＭＦ技術方式からＴＤＤまたはＦＤＤ技術方式に切り替える異周波数切換機能特徴を指示し、所定の空き状態の第６ビット情報を用いて、サポートされるＴＤＤまたはＦＤＤ技術方式からＭＦ技術方式に切り替える異周波数切換機能特徴を指示するステップ４０３３を含む。
【０１７２】
端末がＭＦ技術方式においてＴＤＤまたはＦＤＤ技術方式に対し同一の切換特徴を有する場合、このような冗長情報を用いて、ＭＦ技術方式での機能特徴指示情報を一部のＦＧＩビットに携帯させる。例えば、Ｂｉｔ  ３０を用いて、同時に端末がＭＦ技術方式からＴＤＤまたはＦＤＤ技術方式に切り替える異周波数切換機能特徴を指示する。
【０１７３】
ここで、ＦＧＩのうち、方式内の異周波数切換機能特徴を指示するビット情報、すなわちＢｉｔ  １３を用いて、ＭＦ技術方式内の異周波数切換機能特徴を指示し、方式間の異周波数切換機能特徴を指示するビット情報、すなわちＢｉｔ  ３０を用いて、ＭＦ技術方式からＴＤＤまたはＦＤＤ技術方式に切り替える異周波数切換機能特徴を指示することによって、ＭＦ技術方式の導入によって空き状態のＦＧＩビットを別途に占有することを避け、占有する空き状態のＦＧＩビットを節約する。ＦＧＩのうち空き状態の１ビット情報を用いて、ＴＤＤまたはＦＤＤ技術方式からＭＦ技術方式に切り替える異周波数切換機能特徴を指示し、他の情報への干渉を避ける。
【０１７４】
ここで、端末がＭＦ技術方式である場合、ＦＧＩ  Ｂｉｔ  ３０は、端末がＭＦ技術方式からＴＤＤまたはＦＤＤ技術方式に切り替える異周波数切換機能特徴を指示する。端末は、ＭＦ技術方式からＴＤＤまたはＦＤＤ技術方式に変更した場合、ＦＧＩ  Ｂｉｔ  ３０は、端末がＴＤＤ技術方式からＦＤＤ技術方式に切り替える異周波数切換機能特徴、または、ＦＤＤ技術方式からＴＤＤ技術方式に切り替える異周波数切換機能特徴を指示する。
【０１７５】
例えば、下記表８のように、端末は、ＦＧＩのうちのＢｉｔ  １３を用いて、ＴＤＤ技術方式内の異周波数切換機能特徴、ＦＤＤ技術方式内の異周波数切換機能特徴、ＭＦ技術方式内の異周波数切換機能特徴を指示する。Ｂｉｔ  ３０を用いて、ＴＤＤとＦＤＤ技術方式の間の異周波数切換機能特徴、ＭＦ技術方式からＴＤＤまたはＦＤＤ技術方式に切り替える異周波数切換機能特徴を指示する。ＦＧＩのうちの空き状態のＢｉｔ  １３２を用いて、ＴＤＤまたはＦＤＤ技術方式からＭＦ技術方式に切り替える異周波数切換機能特徴を指示する。
【０１７６】
【表８】
2019506063.tif 000031
方式４：
【０１７７】
上記ステップ４０３において、端末は、ＵＥ能力情報メッセージのＥ−ＵＴＲＡ能力情報に含まれるＦＧＩパラメータのうち、方式内の異周波数切換機能特徴を指示するビット情報を用いて、サポートされるＭＦ技術方式内の異周波数切換機能特徴を指示し、所定の空き状態の第６ビット情報を用いて、サポートされるＭＦ技術方式とＴＤＤまたはＦＤＤ技術方式の間の異周波数切換機能特徴を指示するステップ４０３４を含んでもよい。
【０１７８】
端末がＭＦ技術方式においてＴＤＤまたはＦＤＤ技術方式に対し同一の切換特徴を有する場合、このような冗長情報を用いて、一部の空き状態のＦＧＩビットを節約することができる。例えば、別途に１つのＦＧＩビットを用いて、同時に端末のＭＦ技術方式とＴＤＤまたはＦＤＤ技術方式の間の異周波数切換機能特徴を指示する。
【０１７９】
ここで、ＦＧＩのうち、方式内の異周波数切換機能特徴を指示するビット情報、すなわちＢｉｔ  １３を用いて、ＭＦ技術方式内の異周波数切換機能特徴を指示し、同一の空き状態のビット情報を用いて、ＭＦ技術方式とＴＤＤまたはＦＤＤ技術方式の間の異周波数切換機能特徴を指示することによって、ＭＦ技術方式の導入によって空き状態のＦＧＩビットを別途に占有することを避け、占有する空き状態のＦＧＩビットを節約する。
【０１８０】
例えば、下記表９のように、端末は、ＦＧＩのうちのＢｉｔ  １３を用いて、ＴＤＤ技術方式内の異周波数切換機能特徴、ＦＤＤ技術方式内の異周波数切換機能特徴、ＭＦ技術方式内の切換機能特徴を指示する。Ｂｉｔ  ３０を用いて、ＴＤＤとＦＤＤ技術方式の間の異周波数切換機能特徴を指示する。ＦＧＩのうちの空き状態のＢｉｔ  １３２を用いて、ＭＦ技術方式からＴＤＤまたはＦＤＤ技術方式に切り替える異周波数切換機能特徴、ＴＤＤまたはＦＤＤ技術方式からＭＦ技術方式に切り替える異周波数切換機能特徴を指示する。
【０１８１】
【表９】
2019506063.tif 000032
方式５：
【０１８２】
上記ステップ４０３において、端末は、ＵＥ能力情報メッセージのＥ−ＵＴＲＡ能力情報に含まれるＦＧＩパラメータのうち、方式内の異周波数切換機能特徴を指示するビット情報を用いて、サポートされるＭＦ技術方式内の異周波数切換機能特徴を指示し、方式間の異周波数切換機能特徴を指示するビット情報を用いて、サポートされるＭＦ技術方式とＴＤＤ技術方式の間の異周波数切換機能特徴を指示し、所定の空き状態の第６ビット情報を用いて、サポートされるＭＦ技術方式とＦＤＤ技術方式の間の異周波数切換機能特徴を指示するステップ４０３５を含んでもよい。
【０１８３】
端末がＴＤＤ技術方式においてＭＦとＦＤＤ技術方式に対し同一の切換機能特徴を有する場合、このような冗長情報を用いて、空き状態のＦＧＩビットを節約することができる。例えば、ＦＧＩ  Ｂｉｔ  ３０を用いて、同時に端末のＭＦ技術方式とＴＤＤ技術方式の間の異周波数切換機能特徴を指示する。
【０１８４】
ここで、ＦＧＩのうち、方式内の異周波数切換機能特徴を指示するビット情報、すなわちＢｉｔ  １３を用いて、ＭＦ技術方式内の異周波数切換機能特徴を指示し、方式間の異周波数切換機能特徴を指示するビット情報、すなわちＢｉｔ  ３０を用いて、ＭＦ技術方式とＴＤＤ技術方式の間の異周波数切換機能特徴を指示することによって、ＭＦ技術方式の導入によって空き状態のＦＧＩビットを別途に占有することを避け、占有する空き状態のＦＧＩビットを節約する。ＦＧＩのうち空き状態の１ビット情報を用いて、ＭＦ技術方式とＦＤＤ技術方式の間の異周波数切換機能特徴を指示し、他の情報への干渉を避ける。
【０１８５】
ここで、端末が異なる方式である場合、ＦＧＩのＢｉｔ  ３０は、異なる機能特徴を指示する。端末がＭＦ技術方式である場合、ＦＧＩ  Ｂｉｔ  ３０は、端末がＭＦ技術方式からＴＤＤ技術方式の周波数帯に切り替える機能特徴を指示する。端末は、ＭＦ技術方式からＴＤＤ技術方式に変更した場合、ＦＧＩ  Ｂｉｔ  ３０は、端末がＴＤＤ技術方式からＦＤＤ技術方式またはＭＦ技術方式の周波数帯に切り替える機能特徴を指示する。端末がＦＤＤ技術方式である場合、ＦＧＩ  Ｂｉｔ  ３０は、端末がＦＤＤ技術方式からＴＤＤ技術方式の周波数帯に切り替える機能特徴を指示する。
【０１８６】
例えば、下記表１０のように、端末は、ＦＧＩのうちのＢｉｔ  １３を用いて、ＴＤＤ技術方式内の異周波数切換機能特徴、ＦＤＤ技術方式内の異周波数切換機能特徴、ＭＦ技術方式内の異周波数切換機能特徴を指示する。Ｂｉｔ  ３０を用いて、ＴＤＤとＦＤＤ技術方式の間の異周波数切換機能特徴、ＭＦとＴＤＤ技術方式の間の異周波数切換機能特徴を指示する。ＦＧＩのうちの空き状態のＢｉｔ  １３２を用いて、ＭＦとＦＤＤ技術方式の間の異周波数切換機能特徴を指示する。
【０１８７】
【表１０】
2019506063.tif 000033
方式６：
【０１８８】
上記ステップ４０３１において、端末は、ＵＥ能力情報メッセージのＥ−ＵＴＲＡ能力情報に含まれるＦＧＩパラメータのうち、方式内の異周波数切換機能特徴を指示するビット情報を用いて、サポートされるＭＦ技術方式内の異周波数切換機能特徴を指示し、方式間の異周波数切換機能特徴を指示するビット情報を用いて、サポートされるＭＦ技術方式とＦＤＤ技術方式の間の異周波数切換機能特徴を指示し、所定の空き状態の第６ビット情報を用いて、サポートされるＭＦ技術方式とＴＤＤ技術方式の間の異周波数切換機能特徴を指示するステップ４０３６を含んでもよい。
【０１８９】
端末がＦＤＤ技術方式においてＭＦとＴＤＤ技術方式に対し同一の切換機能特徴を有する場合、このような冗長情報を用いて、空き状態のＦＧＩビットを節約することができる。例えば、ＦＧＩ  Ｂｉｔ  ３０を用いて、同時に端末のＭＦ技術方式とＦＤＤ技術方式の間の異周波数切換機能特徴を指示する。
【０１９０】
ここで、ＦＧＩのうち、方式内の異周波数切換機能特徴を指示するビット情報、すなわちＢｉｔ  １３を用いて、ＭＦ技術方式内の異周波数切換機能特徴を指示し、方式間の異周波数切換機能特徴を指示するビット情報、すなわちＢｉｔ  ３０を用いて、ＭＦ技術方式とＦＤＤ技術方式の間の異周波数切換機能特徴を指示することによって、ＭＦ技術方式の導入によって空き状態のＦＧＩビットを別途に占有することを避け、占有する空き状態のＦＧＩビットを節約する。ＦＧＩのうち空き状態の１ビット情報を用いて、ＭＦ技術方式とＴＤＤ技術方式の間の異周波数切換機能特徴を指示し、他の情報への干渉を避ける。
【０１９１】
ここで、端末が異なる方式である場合、ＦＧＩのＢｉｔ  ３０は、異なる機能特徴を指示する。端末がＭＦ技術方式である場合、ＦＧＩ  Ｂｉｔ  ３０は、端末がＭＦ技術方式からＦＤＤ技術方式の周波数帯に切り替える機能特徴を指示する。端末は、ＭＦ技術方式からＦＤＤ技術方式に変更した場合、ＦＧＩ  Ｂｉｔ  ３０は、端末がＦＤＤ技術方式からＴＤＤ技術方式の周波数帯またはＭＦ技術方式の周波数帯に切り替える機能特徴を指示する。端末がＴＤＤ技術方式である場合、ＦＧＩ  Ｂｉｔ  ３０は、端末がＴＤＤ技術方式からＦＤＤ技術手段の周波数帯に切り替える機能特徴を指示する。
【０１９２】
例えば、下記表１１のように、端末は、ＦＧＩのうちのＢｉｔ  １３を用いて、ＴＤＤ技術方式内の異周波数切換機能特徴、ＦＤＤ技術方式内の異周波数切換機能特徴、ＭＦ技術方式内の異周波数切換機能特徴を指示し、Ｂｉｔ  ３０を用いて、ＴＤＤとＦＤＤ技術方式の間の異周波数切換機能特徴、ＭＦとＦＤＤ技術方式の間の異周波数切換機能特徴を指示する。ＦＧＩのうちの空き状態のＢｉｔ  １３２を用いて、ＭＦとＴＤＤ技術方式の間の異周波数切換機能特徴を指示する。
【０１９３】
【表１１】
2019506063.tif 000034
方式７：
【０１９４】
上記ステップ４０３において、端末は、ＵＥ能力情報メッセージのＥ−ＵＴＲＡ能力情報に含まれるＦＧＩパラメータのうち、方式内の異周波数切換機能特徴を指示するビット情報を用いて、サポートされるＭＦ技術方式内の異周波数切換機能特徴を指示し、方式間の異周波数切換機能特徴を指示するビット情報を用いて、サポートされるＭＦ技術方式とＴＤＤまたはＦＤＤ技術方式の間の異周波数切換機能特徴を指示するステップ４０３７を含む。
【０１９５】
ここで、ＦＧＩパラメータのうち方式内の異周波数切換機能特徴を指示するビット情報、すなわちＢｉｔ  １３を用いて、ＭＦ技術方式内の異周波数切換機能特徴を指示し、方式間の異周波数切換機能特徴を指示するビット情報、すなわちＢｉｔ  ３０を用いて、ＭＦ技術方式とＴＤＤまたはＦＤＤ技術方式の間の異周波数切換機能特徴を指示する。この方式は、空き状態のＦＧＩビットを最も節約する。
【０１９６】
この場合、ＦＧＩ  Ｂｉｔ  ３０は、端末が任意方式（ＴＤＤ／ＦＤＤ／ＭＦ）から他の任意方式に切り替える異周波数切換機能特徴を指示する。ＦＧＩ  Ｂｉｔ  ３０を１に設定することは、端末が、現在の方式から他の任意方式に切り替えられることを示す。
【０１９７】
例えば、下記表１２のように、端末は、ＦＧＩのうちのＢｉｔ  １３を用いて、ＴＤＤ技術方式内の異周波数切換機能特徴、ＦＤＤ技術方式の間の異周波数切換機能特徴、ＭＦ技術方式内の異周波数切換機能特徴を指示し、Ｂｉｔ  ３０を用いて、ＴＤＤとＴＤＤ技術方式の間の異周波数切換機能特徴、ＭＦとＦＤＤ技術方式の間の異周波数切換機能特徴、ＭＦとＴＤＤ技術方式の間の異周波数切換機能特徴を指示する。
【０１９８】
【表１２】
2019506063.tif 000035
【０１９９】
以上の記載をまとめると、本開示の実施例の端末能力指示方法は、端末がＥ−ＵＴＲＡ能力情報のラジオ周波数パラメータでサポートされるＭＦ技術方式周波数帯を指示し、Ｅ−ＵＴＲＡ能力情報のＦＧＩパラメータでサポートされるＭＦ技術方式機能特徴を指示することによって、サポートされるＭＦ技術方式能力を指示する目的が実現され、端末のＭＦ技術方式における関連機能が実現される。しかも、ＭＦ方式の導入によって占有するＦＧＩビットが増加することが避けられ、占有する空き状態ＦＧＩビットを節約する目的が達成された。ＭＦ技術方式に関する能力指示情報がＵＥのＥ−ＵＴＲＡ能力情報にないため、ＵＥのＭＦ技術方式における関連機能が実現できないという従来技術の問題を解決した。
実施例５
【０２００】
図５に示すように、本開示の実施例は、端末に応用される端末能力指示装置をさらに提供する。前記装置において、ユーザ機器ＵＥ能力取得要求メッセージを基地局から受信するための受信モジュール５０１と、サポートされるＭＦ技術方式周波数帯および／またはサポートされるＭＦ技術方式機能特徴を含む、サポートされるＭＦ技術方式能力をＵＥ能力情報メッセージで指示するための指示モジュール５０２と、前記ＵＥ能力情報メッセージを前記基地局に送信するための送信モジュール５０３とを含む。
【０２０１】
本開示の実施例の端末能力指示装置は、端末からサポートされるＭＦ技術方式能力を基地局に指示する目的が実現され、端末のＭＦ技術方式における関連機能が実現される。ＭＦ技術方式に関する能力指示情報がＵＥのＥ−ＵＴＲＡ能力情報にないため、ＵＥのＭＦ技術方式における関連機能が実現できないという従来技術の問題を解決した。
【０２０２】
前記指示モジュール５０２は、サポートされるＭＦ技術方式周波数帯を、前記ＵＥ能力情報メッセージのＥ−ＵＴＲＡ能力情報に含まれるラジオ周波数パラメータで指示するための第１指示サブモジュール、および／または、ＭＦ技術方式の測定機能特徴とＭＦ技術方式の切換機能特徴を含むサポートされるＭＦ技術方式機能特徴を、前記ＵＥ能力情報メッセージのＥ−ＵＴＲＡ能力情報に含まれるＦＧＩパラメータで指示するための第２指示サブモジュールとを含むことが好ましい。
【０２０３】
前記第１指示サブモジュールは、ＭＦ技術方式とＬＡＡ技術方式で同一の周波数帯番号が使用される場合、前記ＵＥ能力情報メッセージのＥ−ＵＴＲＡ能力情報に含まれるラジオ周波数パラメータのうち、周波数帯番号と、ＭＦ技術方式および／またはＬＡＡ技術方式を含むネットワークタイプを用いて、サポートされるＭＦ技術方式周波数帯を指示するための第１指示ユニットと、ＭＦ技術方式とＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いて、サポートされるＭＦ技術方式周波数帯を指示するための第２指示ユニットとを含むことが好ましい。
【０２０４】
前記第２指示サブモジュールは、前記ＵＥ能力情報メッセージのＥ−ＵＴＲＡ能力情報に含まれるＦＧＩパラメータのうち、異周波数測定機能特徴を指示するビット情報および／または所定の空き状態のビット情報を用いて、サポートされるＭＦ技術方式の異周波数測定機能特徴を指示するための第３指示ユニットを含み、ここで、前記ＭＦ技術方式の異周波数測定機能特徴は、ＭＦ技術方式内の異周波数測定機能特徴、ＭＦ技術方式とＴＤＤまたはＦＤＤ技術方式の間の異周波数測定機能特徴を含むことが好ましい。
【０２０５】
前記第３指示ユニットは、具体的に、前記ＵＥ能力情報メッセージのＥ−ＵＴＲＡ能力情報に含まれるＦＧＩパラメータのうち、所定の空き状態の第１ビット情報を用いて、サポートされるＭＦ技術方式内の異周波数測定機能特徴を指示し、所定の空き状態の第２ビット情報を用いて、サポートされるＭＦ技術方式とＴＤＤ技術方式の間の異周波数測定機能特徴を指示し、所定の空き状態の第３ビット情報を用いて、サポートされるＭＦ技術方式とＦＤＤ技術方式の間の異周波数測定機能特徴を指示することに用いられることが好ましい。
【０２０６】
前記第３指示ユニットは、具体的に、前記ＵＥ能力情報メッセージのＥ−ＵＴＲＡ能力情報に含まれるＦＧＩパラメータのうち、前記異周波数測定機能特徴を指示するビット情報を用いて、サポートされるＭＦ技術方式内の異周波数測定機能特徴を指示し、所定の空き状態の第２ビット情報を用いて、サポートされるＭＦ技術方式とＴＤＤ技術方式の間の異周波数測定機能特徴を指示し、所定の空き状態の第３ビット情報を用いて、サポートされるＭＦ技術方式とＦＤＤ技術方式の間の異周波数測定機能特徴を指示することに用いられることが好ましい。
【０２０７】
前記第３指示ユニットは、具体的に、前記ＵＥ能力情報メッセージのＥ−ＵＴＲＡ能力情報に含まれるＦＧＩパラメータのうち、前記異周波数測定機能特徴を指示するビット情報を用いて、サポートされるＭＦ技術方式内の異周波数測定機能特徴およびＭＦ技術方式におけるＴＤＤまたはＦＤＤ技術方式に対する異周波数測定機能特徴を指示し、所定の空き状態の第３ビット情報を用いて、ＴＤＤまたはＦＤＤ技術方式におけるＭＦ技術方式に対する異周波数測定機能特徴を指示することに用いられることが好ましい。
【０２０８】
前記第３指示ユニットは、具体的に、前記ＵＥ能力情報メッセージのＥ−ＵＴＲＡ能力情報に含まれるＦＧＩパラメータのうち、前記異周波数測定機能特徴を指示するビット情報を用いて、サポートされるＭＦ技術方式内の異周波数測定機能特徴を指示し、所定の空き状態の第３ビット情報を用いて、サポートされるＭＦ技術方式とＴＤＤまたはＦＤＤ技術方式の間の異周波数測定機能特徴を指示することに用いられることが好ましい。
【０２０９】
前記第３指示ユニットは、具体的に、前記ＵＥ能力情報メッセージのＥ−ＵＴＲＡ能力情報に含まれるＦＧＩパラメータのうち、前記異周波数測定機能特徴を指示するビット情報を用いて、サポートされるＭＦ技術方式内の異周波数測定機能特徴およびＭＦ技術方式とＴＤＤ技術方式の間の異周波数測定機能特徴を指示し、所定の空き状態の第３ビット情報を用いて、サポートされるＭＦ技術方式とＦＤＤ技術方式の間の異周波数測定機能特徴を指示することに用いられることが好ましい。
【０２１０】
前記第３指示ユニットは、具体的に、前記ＵＥ能力情報メッセージのＥ−ＵＴＲＡ能力情報に含まれるＦＧＩパラメータのうち、前記異周波数測定機能特徴を指示するビット情報を用いて、サポートされるＭＦ技術方式内の異周波数測定機能特徴およびＭＦ技術方式とＦＤＤ技術方式の間の異周波数測定機能特徴を指示し、所定の空き状態の第３ビット情報を用いて、サポートされるＭＦ技術方式とＴＤＤ技術方式の間の異周波数測定機能特徴を指示することに用いられることが好ましい。
【０２１１】
前記第３指示ユニットは、具体的に、前記ＵＥ能力情報メッセージのＥ−ＵＴＲＡ能力情報に含まれるＦＧＩパラメータのうち、前記異周波数測定機能特徴を指示するビット情報を用いて、サポートされるＭＦ技術方式内の異周波数測定機能特徴、ＭＦ技術方式とＴＤＤまたはＦＤＤ技術方式の間の異周波数測定機能特徴を指示することに用いられることが好ましい。
【０２１２】
前記第２指示サブモジュールは、前記ＵＥ能力情報メッセージのＥ−ＵＴＲＡ能力情報に含まれるＦＧＩパラメータのうち、異周波数切換機能特徴を指示するビット情報および／または所定の空き状態のビット情報を用いて、サポートされるＭＦ技術方式の異周波数切換機能特徴を指示するための第４指示ユニットを含み、ここで、前記異周波数切換機能特徴を指示するビット情報は、方式内の異周波数切換機能特徴を指示するビット情報と方式間の異周波数切換機能特徴を指示するビット情報を含み、前記ＭＦ技術方式の異周波数切換機能特徴は、ＭＦ技術方式内の異周波数切換機能特徴、ＭＦ技術方式とＴＤＤまたはＦＤＤ技術方式の間の異周波数切換機能特徴を含むことが好ましい。
【０２１３】
前記第４指示ユニットは、具体的に、前記ＵＥ能力情報メッセージのＥ−ＵＴＲＡ能力情報に含まれるＦＧＩパラメータのうち、所定の空き状態の第４ビット情報を用いて、サポートされるＭＦ技術方式内の異周波数切換機能特徴を指示し、所定の空き状態の第５ビット情報を用いて、サポートされるＭＦ技術方式とＴＤＤ技術方式の間の異周波数切換機能特徴を指示し、所定の空き状態の第６ビット情報を用いて、サポートされるＭＦ技術方式とＦＤＤ技術方式の間の異周波数切換機能特徴を指示するに用いられることことが好ましい。
【０２１４】
前記第４指示ユニットは、具体的に、前記ＵＥ能力情報メッセージのＥ−ＵＴＲＡ能力情報に含まれるＦＧＩパラメータのうち、前記方式内の異周波数切換機能特徴を指示するビット情報を用いて、サポートされるＭＦ技術方式内の異周波数切換機能特徴を指示し、所定の空き状態の第５ビット情報を用いて、サポートされるＭＦ技術方式とＴＤＤ技術方式の間の異周波数切換機能特徴を指示し、所定の空き状態の第６ビット情報を用いて、サポートされるＭＦ技術方式とＦＤＤ技術方式の間の異周波数切換機能特徴を指示することに用いられることが好ましい。
【０２１５】
前記第４指示ユニットは、具体的に、前記ＵＥ能力情報メッセージのＥ−ＵＴＲＡ能力情報に含まれるＦＧＩパラメータのうち、前記方式内の異周波数切換機能特徴を指示するビット情報を用いて、サポートされるＭＦ技術方式内の異周波数切換機能特徴を指示し、前記方式間の異周波数切換機能特徴を指示するビット情報を用いて、サポートされるＭＦ技術方式からＴＤＤまたはＦＤＤ技術方式に切り替える異周波数切換機能特徴を指示し、所定の空き状態の第６ビット情報を用いて、サポートされるＴＤＤまたはＦＤＤ技術方式からＭＦ技術方式に切り替える異周波数切換機能特徴を指示することに用いられることが好ましい。
【０２１６】
前記第４指示ユニットは、具体的に、前記ＵＥ能力情報メッセージのＥ−ＵＴＲＡ能力情報に含まれるＦＧＩパラメータのうち、前記方式内の異周波数切換機能特徴を指示するビット情報を用いて、サポートされるＭＦ技術方式内の異周波数切換機能特徴を指示し、所定の空き状態の第６ビット情報を用いて、サポートされるＭＦ技術方式とＴＤＤまたはＦＤＤ技術方式の間の異周波数切換機能特徴を指示することに用いられることが好ましい。
【０２１７】
前記第４指示ユニットは、具体的に、前記ＵＥ能力情報メッセージのＥ−ＵＴＲＡ能力情報に含まれるＦＧＩパラメータのうち、前記方式内の異周波数切換機能特徴を指示するビット情報を用いて、サポートされるＭＦ技術方式内の異周波数切換機能特徴を指示し、前記方式間の異周波数切換機能特徴を指示するビット情報を用いて、サポートされるＭＦ技術方式とＴＤＤ技術方式の間の異周波数切換機能特徴を指示し、所定の空き状態の第６ビット情報を用いて、サポートされるＭＦ技術方式とＦＤＤ技術方式の間の異周波数切換機能特徴を指示することに用いられることが好ましい。
【０２１８】
前記第４指示ユニットは、具体的に、前記ＵＥ能力情報メッセージのＥ−ＵＴＲＡ能力情報に含まれるＦＧＩパラメータのうち、前記方式内の異周波数切換機能特徴を指示するビット情報を用いて、サポートされるＭＦ技術方式内の切換機能特徴を指示し、前記方式間の異周波数切換機能特徴を指示するビット情報を用いて、サポートされるＭＦ技術方式とＦＤＤ技術方式の間の異周波数切換機能特徴を指示し、所定の空き状態の第６ビット情報を用いて、サポートされるＭＦ技術方式とＴＤＤ技術方式の間の異周波数切換機能特徴を指示することに用いられることが好ましい。
【０２１９】
前記第４指示ユニットは、具体的に、前記ＵＥ能力情報メッセージのＥ−ＵＴＲＡ能力情報に含まれるＦＧＩパラメータのうち、前記方式内の異周波数切換機能特徴を指示するビット情報を用いて、サポートされるＭＦ技術方式内の異周波数切換機能特徴を指示し、前記方式間の異周波数切換機能特徴を指示するビット情報を用いて、サポートされるＭＦ技術方式とＴＤＤまたはＦＤＤ技術方式の間の異周波数切換機能特徴を指示することに用いられることが好ましい。
【０２２０】
以上の記載をまとめると、本開示の実施例の端末能力指示装置は、端末がＥ−ＵＴＲＡ能力情報のラジオ周波数パラメータでサポートされるＭＦ技術方式周波数帯を指示し、Ｅ−ＵＴＲＡ能力情報のＦＧＩパラメータでサポートされるＭＦ技術方式機能特徴を指示することによって、サポートされるＭＦ技術方式能力を指示する目的が実現され、端末のＭＦ技術方式における関連機能が実現される。しかも、ＭＦ方式の導入によって占有するＦＧＩビットが増加することが避けられ、占有する空き状態ＦＧＩビットを節約する目的が達成された。ＭＦ技術方式に関する能力指示情報がＵＥのＥ−ＵＴＲＡ能力情報にないため、ＵＥのＭＦ技術方式における関連機能が実現できないという従来技術の問題を解決した。
【０２２１】
なお、当該端末能力指示装置は、上記端末能力指示方法に対応する装置であり、上記方法の実施例におけるすべての実現方式が当該装置の実施例に適用し、同様の技術効果を達成することもできる。
実施例６
【０２２２】
図６に示すように、本開示の実施例の端末は、ユーザ機器ＵＥ能力取得要求メッセージを基地局から受信するための受信機６０１と、サポートされるＭＦ技術方式周波数帯および／またはサポートされるＭＦ技術方式機能特徴を含む、サポートされるＭＦ技術方式能力をＵＥ能力情報メッセージで指示するためのプロセッサ６０２と、前記ＵＥ能力情報メッセージを前記基地局に送信するための送信機６０３とを含む。
【０２２３】
前記プロセッサ６０２は、上記端末能力指示装置の実施例におけるすべてのモジュールによる機能を実現するように配置されてもよく、上記端末能力指示装置の実施例と同一の技術効果を達成することもできる。
【０２２４】
一部の実施例において、プロセッサ６０２、受信機６０１、送信機６０３は、バスシステムを介して接続される。ここで、バスシステムは、データバスを含むほか、電源バス、制御バス、状態信号バスなども含む。プロセッサ６０２は、一体化回路チップであってもよく、信号処理能力を有する。実現プロセスにおいて、プロセッサ６０２は、ＣＰＵ（Ｃｅｎｔｒａｌ  Ｐｒｏｃｅｓｓｉｎｇ  Ｕｎｉｔ）、ＮＰ（Ｎｅｔｗｏｒｋ  Ｐｒｏｃｅｓｓｏｒ）などを含む汎用プロセッサであってもよく、ＤＳＰ（Ｄｉｇｉｔａｌ  Ｓｉｇｎａｌ  Ｐｒｏｃｅｓｓｉｎｇ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）または他のプログラム可能な論理デバイス、個別ゲートまたはトランジスタ論理デバイス、個別ハードウェアコンポーネントであってもよい。本開示の実施例に開示されている各方法、ステップおよび論理ブロック図を実現または実行することができる。汎用プロセッサは、マイクロプロセッサであってもよく、または、当該プロセッサは、任意の通常のプロセッサなどであってもよい。本開示の実施例の端末は、移動電話機（または携帯電話）、またはそれ以外の無線信号の送受信が可能な機器であり、ユーザ機器（端末）、パーソナルデジタルアシスタント（ＰＤＡ）、無線モデム、無線通信装置、ハンドヘルドデバイス、ラップトップコンピュータ、コードレス電話、無線ローカルループ（ＷＬＬ）局、移動信号をｗｉｆｉ信号に変換可能なＣＰＥまたはＭｉｆｉ、スマート家電、またはそれ以外の人の操作によらずに自発的に移動通信ネットワークと通信可能な機器などが含まれる。
実施例７
【０２２５】
図７に示すように、本開示の実施例の端末能力指示方法は、基地局に応用される。前記方法は、ユーザ機器ＵＥ能力取得要求メッセージを端末に送信するステップ７０１と、サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信するステップ７０２と、前記ＵＥ能力情報メッセージから前記端末にサポートされるＭＦ技術方式能力の情報を取得するステップ７０３とを含む。
【０２２６】
ここで、基地局は、端末にサポートされるＭＦ技術方式能力を指示するＵＥ能力情報メッセージを受信することによって、ＭＦ技術方式に関連する機能の対応が実現される。
【０２２７】
選択可能に、ステップ７０３において、前記ＵＥ能力情報メッセージのＥ−ＵＴＲＡ能力情報に含まれるラジオ周波数パラメータから前記端末にサポートされるＭＦ技術方式周波数帯を取得する。または、前記ＵＥ能力情報メッセージのＥ−ＵＴＲＡ能力情報に含まれるＦＧＩパラメータから前記端末にサポートされるＭＦ技術方式機能特徴を取得する。ここで、前記ＭＦ技術方式機能特徴は、ＭＦ技術方式の異周波数測定機能特徴とＭＦ技術方式の異周波数切換機能特徴を含む。対応的に、図１〜図６の実施例を参照されたく、繰り返して記載しない。
【０２２８】
本開示の実施例の端末能力指示方法において、端末からサポートされるＭＦ技術方式能力を指示する目的が実現され、端末のＭＦ技術方式における関連機能が実現される。ＭＦ技術方式に関する能力指示情報がＵＥのＥ−ＵＴＲＡ能力情報にないため、ＵＥのＭＦ技術方式における関連機能が実現できないという従来技術の問題を解決した。
実施例８
【０２２９】
図８に示すように、本開示の実施例の端末能力指示装置は、基地局に応用される。前記装置は、ユーザ機器ＵＥ能力取得要求メッセージを端末に送信するための送信モジュール８０１と、サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信するための受信モジュール８０２と、前記ＵＥ能力情報メッセージから前記端末にサポートされるＭＦ技術方式能力の情報を取得するための処理モジュール８０３とを含む。
【０２３０】
選択可能に、前記処理モジュール８０３は、具体的に、前記ＵＥ能力情報メッセージのＥ−ＵＴＲＡ能力情報に含まれるラジオ周波数パラメータから前記端末にサポートされるＭＦ技術方式周波数帯を取得すること、および／または、前記端末にサポートされるＭＦ技術方式機能特徴を、前記ＵＥ能力情報メッセージのＥ−ＵＴＲＡ能力情報に含まれるＦＧＩパラメータから取得するに用いられる。ここで前記ＭＦ技術方式機能特徴は、ＭＦ技術方式の異周波数測定機能特徴とＭＦ技術方式の異周波数切換機能特徴を含む。
【０２３１】
本開示の実施例の端末能力指示方法において、端末からサポートされるＭＦ技術方式能力を指示する目的が実現され、端末のＭＦ技術方式における関連機能が実現される。ＭＦ技術方式に関する能力指示情報がＵＥのＥ−ＵＴＲＡ能力情報にないため、ＵＥのＭＦ技術方式における関連機能が実現できないという従来技術の問題を解決した。
なお、当該端末能力指示装置は、上記端末能力指示方法に対応する装置であり、上記方法の実施例におけるすべての実現方式が当該装置の実施例に適用し、同様の技術効果を達成することもできる。
実施例９
【０２３２】
図９に示すように、本開示の実施例の基地局は、ユーザ機器ＵＥ能力取得要求メッセージを端末に送信するための送信機９０１と、サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信するための受信機９０２と、前記ＵＥ能力情報メッセージから前記端末にサポートされるＭＦ技術方式能力の情報を取得するためのプロセッサ９０３とを含む。
【０２３３】
前記プロセッサ９０３は、上記端末能力指示装置の実施例におけるすべてのモジュールによる機能を実現するように配置されてもよく、上記端末能力指示装置の実施例と同一の技術効果を達成することもできる。
【０２３４】
本開示の各実施例において、上記各プロセスの番号の大きさは、実行順の前後を表すというわけではなく、各プロセスの実行順は、その機能と内在的な論理によって決められ、本開示の実施例の実施プロセスについていっさい限定しない。
【０２３５】
以上の記載は、本開示の好適な実施形態である。なお、当業者にとって、本開示に記載される原理から逸脱することなく、若干の改良や修飾を行うことができる。これらの改良や修飾も、本開示の保護範囲とみなされるべきである。
【０２３６】
Ａ１）端末に応用される端末能力指示方法において、ユーザ機器ＵＥ能力取得要求メッセージを基地局から受信することと、サポートされるＭＦ技術方式周波数帯および／またはサポートされるＭＦ技術方式機能特徴を含む、サポートされるＭＦ技術方式能力をＵＥ能力情報メッセージで指示することと、前記ＵＥ能力情報メッセージを前記基地局に送信することとを含む。
【０２３７】
Ａ２）Ａ１）において、サポートされるＭＦ技術方式能力をＵＥ能力情報メッセージで指示することは、前記サポートされるＭＦ技術方式周波数帯を、前記ＵＥ能力情報メッセージのＥ−ＵＴＲＡ能力情報に含まれるラジオ周波数パラメータで指示すること、および／または、ＭＦ技術方式の測定機能特徴とＭＦ技術方式の切換機能特徴を含む前記サポートされるＭＦ技術方式機能特徴を、前記ＵＥ能力情報メッセージのＥ−ＵＴＲＡ能力情報に含まれるＦＧＩパラメータで指示することとを含む。
【０２３８】
Ａ３）Ａ２）において、サポートされるＭＦ技術方式周波数帯を、前記ＵＥ能力情報メッセージのＥ−ＵＴＲＡ能力情報に含まれるラジオ周波数パラメータで指示することは、  前記ＭＦ技術方式とＬＡＡ技術方式で同一の周波数帯番号が使用される場合、前記ＵＥ能力情報メッセージのＥ−ＵＴＲＡ能力情報に含まれるラジオ周波数パラメータのうち、周波数帯番号と、ＭＦ技術方式および／またはＬＡＡ技術方式を含むネットワークタイプを用いて前記サポートされるＭＦ技術方式周波数帯を指示することと、  前記ＭＦ技術方式と前記ＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いてサポートされるＭＦ技術方式周波数帯を指示することとを含む。
【０２３９】
Ａ４）Ａ２）において、前記サポートされるＭＦ技術方式機能特徴を、前記ＵＥ能力情報メッセージのＥ−ＵＴＲＡ能力情報に含まれるＦＧＩパラメータで指示することは、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することを含み、ここで、前記ＭＦ技術方式の測定機能特徴は、前記ＭＦ技術方式内の測定機能特徴、前記ＭＦ技術方式とＴＤＤ技術方式の間の測定機能特徴、または前記ＭＦ技術方式とＦＤＤ技術方式の間の測定機能特徴を含む。
【０２４０】
Ａ５）Ａ４）において、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、所定の空き状態の第１ビット情報を用いて、サポートされるＭＦ技術方式内の測定機能特徴を指示し、所定の空き状態の第２ビット情報を用いて、サポートされるＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することを含む。
【０２４１】
Ａ６）Ａ４）において、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第２ビット情報を用いて、サポートされるＭＦ技術方式とＴＤＤ技術方式の間の測定機能特徴を指示し、所定の空き状態の第３ビット情報を用いて、ＭＦ技術方式とＦＤＤ技術方式の間の測定機能特徴を指示することを含む。
【０２４２】
Ａ７）Ａ４）において、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴および前記ＭＦ技術方式におけるＴＤＤまたはＦＤＤ技術方式に対する測定機能特徴を指示し、所定の空き状態の第３ビット情報を用いて、サポートされるＴＤＤまたはＦＤＤ技術方式におけるＭＦ技術方式に対する測定機能特徴を指示することを含む。
【０２４３】
Ａ８）Ａ４）において、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第３ビット情報を用いて、サポートされる前記ＭＦ技術方式とＴＤＤまたはＦＤＤ技術方式の間の測定機能特徴を指示することを含む。
【０２４４】
Ａ９）Ａ４）において、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴およびＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することを含む。
【０２４５】
Ａ１０）Ａ４）において、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴およびＭＦ技術方式とＦＤＤ技術方式の間の測定機能特徴を指示し、所定の空き状態の第３ビット情報を用いて、サポートされるＭＦ技術方式とＴＤＤ技術方式の間の測定機能特徴を指示することを含む。
【０２４６】
Ａ１１）Ａ４）において、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴、ＭＦ技術方式とＴＤＤまたはＦＤＤ技術方式の間の測定機能特徴を指示することを含む。
【０２４７】
Ａ１２）Ａ２）〜Ａ１１）において、前記サポートされるＭＦ技術方式機能特徴を、前記ＵＥ能力情報メッセージのＥ−ＵＴＲＡ能力情報に含まれるＦＧＩパラメータで指示することは、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することを含み、ここで、前記切換機能特徴を指示するビット情報は、方式内の切換機能特徴を指示するビット情報と方式間の切換機能特徴を指示するビット情報を含み、前記ＭＦ技術方式の切換機能特徴は、ＭＦ技術方式内の切換機能特徴、ＭＦ技術方式とＴＤＤまたはＦＤＤ技術方式の間の切換機能特徴を含む。
【０２４８】
Ａ１３）Ａ１２）において、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、所定の空き状態の第４ビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む。
【０２４９】
Ａ１４）Ａ１２）において、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む。
【０２５０】
Ａ１５）Ａ１２）において、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式からＴＤＤまたはＦＤＤ技術方式に切り替える切換機能特徴を指示し、所定の空き状態の第６ビット情報を用いて、サポートされるＴＤＤまたはＦＤＤ技術方式からＭＦ技術方式に切り替える切換機能特徴を指示することを含む。
【０２５１】
Ａ１６）Ａ１２）において、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第６ビット情報を用いて、サポートされるＭＦ技術方式とＴＤＤまたはＦＤＤ技術方式の間の切換機能特徴を指示することを含む。
【０２５２】
Ａ１７）Ａ１２）において、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む。
【０２５３】
Ａ１８）Ａ１２）において、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＦＤＤ技術方式の間の切換機能特徴を指示し、所定の空き状態の第６ビット情報を用いて、サポートされるＭＦ技術方式とＴＤＤ技術方式の間の切換機能特徴を指示することを含む。
【０２５４】
Ａ１９）Ａ１２）において、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤまたはＦＤＤ技術方式の間の切換機能特徴を指示することを含む。
【０２５５】
Ｂ２０）端末に応用される端末能力指示装置において、ユーザ機器ＵＥ能力取得要求メッセージを基地局から受信するための受信モジュールと、サポートされるＭＦ技術方式周波数帯および／またはサポートされるＭＦ技術方式機能特徴を含む、サポートされるＭＦ技術方式能力をＵＥ能力情報メッセージで指示するための指示モジュールと、前記ＵＥ能力情報メッセージを前記基地局に送信するための送信モジュールとを含む。
【０２５６】
Ｂ２１）Ｂ２０）において、前記指示モジュールは、前記サポートされるＭＦ技術方式周波数帯を、前記ＵＥ能力情報メッセージのＥ−ＵＴＲＡ能力情報に含まれるラジオ周波数パラメータで指示するための第１指示サブモジュール、および／または、ＭＦ技術方式の測定機能特徴とＭＦ技術方式の切換機能特徴を含むサポートされるＭＦ技術方式機能特徴を、前記ＵＥ能力情報メッセージのＥ−ＵＴＲＡ能力情報に含まれるＦＧＩパラメータで指示するための第２指示サブモジュールとを含む。
【０２５７】
Ｂ２２）Ｂ２１）において、前記第１指示サブモジュールは、ＭＦ技術方式とＬＡＡ技術方式で同一の周波数帯番号が使用される場合、前記ＵＥ能力情報メッセージのＥ−ＵＴＲＡ能力情報に含まれるラジオ周波数パラメータのうち、周波数帯番号と、ＭＦ技術方式および／またはＬＡＡ技術方式を含むネットワークタイプを用いてサポートされるＭＦ技術方式周波数帯を指示するための第１指示ユニットと、前記ＭＦ技術方式とＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いて、サポートされるＭＦ技術方式周波数帯を指示するための第２指示ユニットとを含む。
【０２５８】
Ｂ２３）Ｂ２１）において、前記第２指示サブモジュールは、前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示するための第３指示ユニットを含み、ここで、前記ＭＦ技術方式の測定機能特徴は、ＭＦ技術方式内の測定機能特徴、前記ＭＦ技術方式とＴＤＤ技術方式の間の測定機能特徴、または前記ＭＦ技術方式とＦＤＤ技術方式の間の測定機能特徴を含む。
【０２５９】
Ｂ２４）Ｂ２３）において、前記第３指示ユニットは、具体的に、前記ＵＥ能力情報メッセージのＥ−ＵＴＲＡ能力情報に含まれるＦＧＩパラメータのうち、所定の空き状態の第１ビット情報を用いて、サポートされるＭＦ技術方式内の測定機能特徴を指示し、所定の空き状態の第２ビット情報を用いて、サポートされるＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することに用いられる。
【０２６０】
Ｂ２５）Ｂ２３）において、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第２ビット情報を用いて、サポートされるＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することに用いられる。
【０２６１】
Ｂ２６）Ｂ２３）において、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴および前記ＭＦ技術方式におけるＴＤＤまたはＦＤＤ技術方式に対する測定機能特徴を指示し、所定の空き状態の第３ビット情報を用いて、サポートされるＴＤＤまたはＦＤＤ技術方式におけるＭＦ技術方式に対する測定機能特徴を指示することに用いられる。
【０２６２】
Ｂ２７）Ｂ２３）において、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴を指示し、所定の空き状態の第３ビット情報を用いて、サポートされる前記ＭＦ技術方式とＴＤＤまたはＦＤＤ技術方式の間の測定機能特徴を指示することに用いられる。
【０２６３】
Ｂ２８）Ｂ２３）において、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴およびＭＦ技術方式とＴＤＤ技術方式の間の測定機能特徴を指示し、所定の空き状態の第３ビット情報を用いて、サポートされるＭＦ技術方式とＦＤＤ技術方式の間の測定機能特徴を指示することに用いられる。
【０２６４】
Ｂ２９）Ｂ２３）において、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴および前記ＭＦ技術方式とＦＤＤ技術方式の間の測定機能特徴を指示し、所定の空き状態の第３ビット情報を用いて、サポートされるＭＦ技術方式とＴＤＤ技術方式の間の測定機能特徴を指示することに用いられる。
【０２６５】
Ｂ３０）Ｂ２３）において、前記第３指示ユニットは、具体的に、前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴、ＭＦ技術方式とＴＤＤまたはＦＤＤ技術方式の間の測定機能特徴を指示することに用いられる。
【０２６６】
Ｂ３１）Ｂ２１〜Ｂ３０）において、前記第２指示サブモジュールは、前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示するための第４指示ユニットを含み、ここで、前記切換機能特徴を指示するビット情報は、方式内の切換機能特徴を指示するビット情報と方式間の切換機能特徴を指示するビット情報を含み、前記ＭＦ技術方式の切換機能特徴は、ＭＦ技術方式内の切換機能特徴、ＭＦ技術方式とＴＤＤまたはＦＤＤ技術方式の間の切換機能特徴を含む。
【０２６７】
Ｂ３２）Ｂ３１）において、前記第４指示ユニットは、具体的に、前記ＵＥ能力情報メッセージのＥ−ＵＴＲＡ能力情報に含まれるＦＧＩパラメータのうち、所定の空き状態の第４ビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示する。
【０２６８】
Ｂ３３）Ｂ３１）において、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示する。
【０２６９】
Ｂ３４）Ｂ３１）において、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式からＴＤＤまたはＦＤＤ技術方式に切り替える切換機能特徴を指示し、所定の空き状態の第６ビット情報を用いて、サポートされるＴＤＤまたはＦＤＤ技術方式からＭＦ技術方式に切り替える切換機能特徴を指示する。
【０２７０】
Ｂ３５）Ｂ３１）において、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第６ビット情報を用いて、サポートされるＭＦ技術方式とＴＤＤまたはＦＤＤ技術方式の間の切換機能特徴を指示する。
【０２７１】
Ｂ３６）Ｂ３１）において、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示する。
【０２７２】
Ｂ３７）Ｂ３１）において、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＦＤＤ技術方式の間の切換機能特徴を指示し、所定の空き状態の第６ビット情報を用いて、サポートされるＭＦ技術方式とＴＤＤ技術方式の間の切換機能特徴を指示する。
【０２７３】
Ｂ３８）Ｂ３１）において、前記第４指示ユニットは、具体的に、前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤまたはＦＤＤ技術方式の間の切換機能特徴を指示する。
【０２７４】
Ｃ３９）ユーザ機器ＵＥ能力取得要求メッセージを基地局から受信するための受信機と、サポートされるＭＦ技術方式周波数帯および／またはサポートされるＭＦ技術方式機能特徴を含む、サポートされるＭＦ技術方式能力をＵＥ能力情報メッセージで指示するためのプロセッサと、前記ＵＥ能力情報メッセージを前記基地局に送信するための送信機とを含む端末。
【０２７５】
Ｄ４０）基地局に応用される端末能力指示方法において、ユーザ機器ＵＥ能力取得要求メッセージを端末に送信することと、サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信することと、前記ＵＥ能力情報メッセージから前記端末にサポートされるＭＦ技術方式能力の情報を取得することとを含む。
【０２７６】
Ｄ４１）Ｄ４０）において、前記ＵＥ能力情報メッセージから前記端末にサポートされるＭＦ技術方式能力の情報を取得することは、前記ＵＥ能力情報メッセージのＥ−ＵＴＲＡ能力情報に含まれるラジオ周波数パラメータから前記端末にサポートされるＭＦ技術方式周波数帯を取得すること、および／または、ＭＦ技術方式の測定機能特徴とＭＦ技術方式の切換機能特徴を含む前記端末にサポートされるＭＦ技術方式機能特徴を、前記ＵＥ能力情報メッセージのＥ−ＵＴＲＡ能力情報に含まれるＦＧＩパラメータから取得することを含む。
【０２７７】
Ｅ４２）基地局に応用される端末能力指示装置において、ユーザ機器ＵＥ能力取得要求メッセージを端末に送信するための送信モジュールと、サポートされるＭＦ技術方式周波数帯とサポートされるＭＦ技術方式機能特徴を含む、前記端末がサポートされるＭＦ技術方式能力を指示する情報が含まれるＵＥ能力情報メッセージを前記端末から受信するための受信モジュールと、前記ＵＥ能力情報メッセージから前記端末にサポートされるＭＦ技術方式能力の情報を取得するための処理モジュールとを含む端末能力指示装置。
【０２７８】
Ｅ４３）Ｅ４２）において、前記処理モジュールは、具体的に、前記ＵＥ能力情報メッセージのＥ−ＵＴＲＡ能力情報に含まれるラジオ周波数パラメータから前記端末にサポートされるＭＦ技術方式周波数帯を取得し、および／または、ＭＦ技術方式の測定機能特徴とＭＦ技術方式の切換機能特徴を含む前記端末にサポートされるＭＦ技術方式機能特徴を、前記ＵＥ能力情報メッセージのＥ−ＵＴＲＡ能力情報に含まれるＦＧＩパラメータから取得することに用いられる。
【０２７９】
Ｆ４４）ユーザ機器ＵＥ能力取得要求メッセージを端末に送信するための送信機と、サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信するための受信機と、前記ＵＥ能力情報メッセージから前記端末にサポートされるＭＦ技術方式能力の情報を取得するためのプロセッサとを含む基地局。
【手続補正２】
【補正対象書類名】特許請求の範囲
【補正対象項目名】全文
【補正方法】変更
【補正の内容】
【特許請求の範囲】
【請求項１】
端末に応用される端末能力指示方法において、
ユーザ機器ＵＥ能力取得要求メッセージを基地局から受信することと、
サポートされるＭＦ技術方式周波数帯および／またはサポートされるＭＦ技術方式機能特徴を含む、サポートされるＭＦ技術方式能力をＵＥ能力情報メッセージで指示することと、
前記ＵＥ能力情報メッセージを前記基地局に送信することとを含む端末能力指示方法。
【請求項２】
前記のサポートされるＭＦ技術方式能力をＵＥ能力情報メッセージで指示することは、
前記サポートされるＭＦ技術方式周波数帯を、前記ＵＥ能力情報メッセージのＥ−ＵＴＲＡ能力情報に含まれるラジオ周波数パラメータで指示すること、および／または、
ＭＦ技術方式の測定機能特徴とＭＦ技術方式の切換機能特徴を含む前記サポートされるＭＦ技術方式機能特徴を、前記ＵＥ能力情報メッセージのＥ−ＵＴＲＡ能力情報に含まれるＦＧＩパラメータで指示することとを含む請求項１に記載の方法。
【請求項３】
前記サポートされるＭＦ技術方式周波数帯を、前記ＵＥ能力情報メッセージのＥ−ＵＴＲＡ能力情報に含まれるラジオ周波数パラメータで指示することは、
前記ＭＦ技術方式とＬＡＡ技術方式で同一の周波数帯番号が使用される場合、前記ＵＥ能力情報メッセージのＥ−ＵＴＲＡ能力情報に含まれるラジオ周波数パラメータのうち、周波数帯番号と、ＭＦ技術方式および／またはＬＡＡ技術方式を含むネットワークタイプを用いて前記サポートされるＭＦ技術方式周波数帯を指示することと、
前記ＭＦ技術方式と前記ＬＡＡ技術方式で異なる周波数帯番号が使用される場合、前記ＵＥ能力情報メッセージのＥ−ＵＴＲＡ能力情報に含まれるラジオ周波数パラメータのうち、周波数帯番号を用いて前記サポートされるＭＦ技術方式周波数帯を指示することとを含む請求項２に記載の方法。
【請求項４】
前記サポートされるＭＦ技術方式機能特徴を、前記ＵＥ能力情報メッセージのＥ−ＵＴＲＡ能力情報に含まれるＦＧＩパラメータで指示することは、
前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することを含み、
ここで、前記ＭＦ技術方式の測定機能特徴は、前記ＭＦ技術方式内の測定機能特徴、前記ＭＦ技術方式とＴＤＤ技術方式の間の測定機能特徴、または前記ＭＦ技術方式とＦＤＤ技術方式の間の測定機能特徴を含む請求項２または３に記載の方法。
【請求項５】
前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、
前記ＵＥ能力情報メッセージのＥ−ＵＴＲＡ能力情報に含まれるＦＧＩパラメータのうち、前記測定機能特徴を指示するビット情報を用いて、前記サポートされるＭＦ技術方式内の測定機能特徴を指示し、所定の空き状態の第２ビット情報を用いて、前記サポートされるＭＦ技術方式とＴＤＤ技術方式の間の測定機能特徴を指示し、所定の空き状態の第３ビット情報を用いて、前記サポートされるＭＦ技術方式とＦＤＤ技術方式の間の測定機能特徴を指示することを含む請求項４に記載の方法。
【請求項６】
前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、
前記ＵＥ能力情報メッセージのＥ−ＵＴＲＡ能力情報に含まれるＦＧＩパラメータのうち、前記測定機能特徴を指示するビット情報を用いて、前記サポートされるＭＦ技術方式内の測定機能特徴を指示し、所定の空き状態の第３ビット情報を用いて、サポートされる前記ＭＦ技術方式とＴＤＤまたはＦＤＤ技術方式の間の測定機能特徴を指示することを含む請求項４に記載の方法。
【請求項７】
前記ＵＥ能力情報メッセージのＥ−ＵＴＲＡ能力情報に含まれるＦＧＩパラメータのうち、測定機能特徴を指示するビット情報および／または所定の空き状態のビット情報を用いて、サポートされるＭＦ技術方式の測定機能特徴を指示することは、
前記ＵＥ能力情報メッセージのＥ−ＵＴＲＡ能力情報に含まれるＦＧＩパラメータのうち、前記測定機能特徴を指示するビット情報を用いて、サポートされるＭＦ技術方式内の測定機能特徴、ＭＦ技術方式とＴＤＤまたはＦＤＤ技術方式の間の測定機能特徴を指示することを含む請求項４に記載の方法。
【請求項８】
前記サポートされるＭＦ技術方式機能特徴を、前記ＵＥ能力情報メッセージのＥ−ＵＴＲＡ能力情報に含まれるＦＧＩパラメータで指示することは、
前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することを含み、
ここで、前記切換機能特徴を指示するビット情報は、方式内の切換機能特徴を指示するビット情報と方式間の切換機能特徴を指示するビット情報を含み、前記ＭＦ技術方式の切換機能特徴は、ＭＦ技術方式内の切換機能特徴、ＭＦ技術方式とＴＤＤまたはＦＤＤ技術方式の間の切換機能特徴を含む請求項２〜７のいずれか一項に記載の方法。
【請求項９】
前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第５ビット情報を用いて、サポートされるＭＦ技術方式とＴＤＤ技術方式の間の切換機能特徴を指示し、所定の空き状態の第６ビット情報を用いて、サポートされるＭＦ技術方式とＦＤＤ技術方式の間の切換機能特徴を指示することを含む請求項８に記載の方法。
【請求項１０】
前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、所定の空き状態の第６ビット情報を用いて、サポートされるＭＦ技術方式とＴＤＤまたはＦＤＤ技術方式の間の切換機能特徴を指示することを含む請求項８に記載の方法。
【請求項１１】
前記ＵＥ能力情報メッセージのＥ−ＵＴＲＡ能力情報に含まれるＦＧＩパラメータのうち、切換機能特徴を指示するビット情報および／または所定の空き状態のビット情報を用いて、サポートされるＭＦ技術方式の切換機能特徴を指示することは、
前記ＵＥ能力情報メッセージのＥ−ＵＴＲＡ能力情報に含まれるＦＧＩパラメータのうち、前記方式内の切換機能特徴を指示するビット情報を用いて、サポートされるＭＦ技術方式内の切換機能特徴を指示し、前記方式間の切換機能特徴を指示するビット情報を用いて、サポートされるＭＦ技術方式とＴＤＤまたはＦＤＤ技術方式の間の切換機能特徴を指示することを含む請求項８に記載の方法。
【請求項１２】
端末に応用される端末能力指示装置において、
ユーザ機器ＵＥ能力取得要求メッセージを基地局から受信するための受信モジュールと、
サポートされるＭＦ技術方式周波数帯および／またはサポートされるＭＦ技術方式機能特徴を含む、サポートされるＭＦ技術方式能力をＵＥ能力情報メッセージで指示するための指示モジュールと、
前記ＵＥ能力情報メッセージを前記基地局に送信するための送信モジュールとを含む端末能力指示装置。
【請求項１３】
基地局に応用される端末能力指示方法において、
ユーザ機器ＵＥ能力取得要求メッセージを端末に送信することと、
サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信することと、
前記ＵＥ能力情報メッセージから前記端末にサポートされるＭＦ技術方式能力の情報を取得することとを含む前記端末能力指示方法。
【請求項１４】
基地局に応用される端末能力指示装置において、
ユーザ機器ＵＥ能力取得要求メッセージを端末に送信するための送信モジュールと、
サポートされるＭＦ技術方式周波数帯とサポートされるＭＦ技術方式機能特徴を含む、前記端末にサポートされるＭＦ技術方式能力を指示する情報が含まれるＵＥ能力情報メッセージを前記端末から受信するための受信モジュールと、
前記ＵＥ能力情報メッセージから前記端末にサポートされるＭＦ技術方式能力の情報を取得するための処理モジュールとを含む端末能力指示装置。
【国際調査報告】
2019506063.tif 000036
2019506063.tif 000037
2019506063.tif 000038
2019506063.tif 000039